(57)【要約】構成可能な送信タイムインターバル（ＴＴＩ）または短いＴＴＩ（ｓＴＴＩ）および処理能力（ＰＣ）を使用するシステムなど、待ち時間を低減するように構成されているシステムにおいて、低減された利用可能な処理時間を取り扱うための方法および装置が本明細書において記述されている。ワイヤレス送信／受信ユニット（ＷＴＲＵ）が、ＰＣを使用するように構成されることができる。ＷＴＲＵは、ＴＴＩ構成を受信することができる。ＷＴＲＵは、ＷＴＲＵのＰＣを決定することができる。ＰＣは、ＴＴＩ構成および処理基準のうちの少なくとも１つに基づいて決定されることができる。ＷＴＲＵは次いで、決定されたＰＣのレポートを送信することができる。レポートは、ｅＮＢへ送信されることができる。ＰＣは、タイムラインであることができ、タイムラインは、時間ユニットの数として報告されることができ、時間ユニットは、シンボル、ＴＴＩ、時間サンプル、および時間サンプルのセットのうちの少なくとも１つである。
2019527999.tif 000002
【特許請求の範囲】
【請求項１】
処理能力（ＰＣ）を使用するためにワイヤレス送信／受信ユニット（ＷＴＲＵ）において使用するための方法であって、
送信タイムインターバル（ＴＴＩ）構成を受信するステップと、
前記ＷＴＲＵの前記ＰＣを決定するステップであって、前記ＰＣは、前記ＴＴＩ構成および処理基準のうちの少なくとも１つに基づいて決定される、ステップと、
前記決定されたＰＣのレポートを送信するステップとを含む方法。
【請求項２】
前記ＰＣはタイムラインであり、前記タイムラインは、時間ユニットの数として報告され、時間ユニットは、シンボル、ＴＴＩ、時間サンプル、および時間サンプルのセットのうちの少なくとも１つである請求項１に記載の方法。
【請求項３】
前記タイムラインは、スケジューリングタイムラインおよびＨＡＲＱタイムラインのうちの少なくとも１つである請求項２に記載の方法。
【請求項４】
前記処理基準は、ＴＴＩ長さ、タイムライン、最大トランスポートブロックサイズ（ＴＢＳ）、アップリンク（ＵＬ）チャネルタイプ、最大タイミングアドバンス（ＴＡ）値、物理ダウンリンク制御チャネル（ＰＤＣＣＨ）のＴＴＩと、前記ＵＬのＴＴＩとの間における時間のうちの少なくとも１つである請求項１に記載の方法。
【請求項５】
前記ＴＴＩ構成に基づいてＴＴＩ長さを決定するステップであって、前記ＴＴＩ構成は、シンボルの数およびサブキャリアスペーシングのうちの少なくとも１つを含む、ステップ
をさらに含む請求項１に記載の方法。
【請求項６】
前記レポートは、現在のタイミングアドバンス（ＴＡ）値、実際のトランスポートブロックサイズ（ＴＢＳ）、前記ＷＴＲＵの受信タイミングと送信タイミングとの間における時間差、および処理時間のうちの少なくとも１つに基づいて決定される現在の処理値（ＰＶ）を含む請求項１に記載の方法。
【請求項７】
前記レポートは、プロキシミティー条件の充足に基づく処理値（ＰＶ）に対するＰＣプロキシミティーを含む請求項１に記載の方法。
【請求項８】
前記送信されるレポートは、ｅＮｏｄｅＢ（ｅＮＢ）へ送信される請求項１に記載の方法。
【請求項９】
前記決定されたＰＣおよび決定された処理値（ＰＶ）に基づいて少なくとも１つのアップリンク（ＵＬ）送信を保留するステップ
をさらに含む請求項１に記載の方法。
【請求項１０】
前記少なくとも１つの保留されるＵＬ送信は、関連したバッファおよびタイマーを取り扱うステップを含む請求項９に記載の方法。
【請求項１１】
前記決定されたＰＣおよび決定された処理値（ＰＶ）に基づいてアップリンク（ＵＬ）送信をやめるステップ
をさらに含む請求項１に記載の方法。
【請求項１２】
前記ＵＬ送信をやめるステップは、優先度に基づく請求項１１に記載の方法。
【請求項１３】
前記レポートは、アップリンク（ＵＬ）チャネルごとに、決定されたＰＣを含む請求項１に記載の方法。
【請求項１４】
処理能力（ＰＣ）を使用するように構成されているワイヤレス送信／受信ユニット（ＷＴＲＵ）であって、
送信タイムインターバル（ＴＴＩ）構成を受信するように構成されている受信機と、
前記ＷＴＲＵの前記ＰＣを決定するように構成されているプロセッサであって、前記ＰＣは、前記ＴＴＩ構成および処理基準のうちの少なくとも１つに基づいて決定される、プロセッサと、
前記決定されたＰＣのレポートを送信するように構成されている送信機とを含むＷＴＲＵ。
【請求項１５】
前記ＰＣはタイムラインであり、前記タイムラインは、時間ユニットの数として報告され、時間ユニットは、シンボル、ＴＴＩ、時間サンプル、および時間サンプルのセットのうちの少なくとも１つである請求項１４に記載のＷＴＲＵ。
【請求項１６】
前記タイムラインは、スケジューリングタイムラインおよびＨＡＲＱタイムラインのうちの少なくとも１つである請求項１５に記載のＷＴＲＵ。
【請求項１７】
前記処理基準は、ＴＴＩ長さ、タイムライン、最大トランスポートブロックサイズ（ＴＢＳ）、アップリンク（ＵＬ）チャネルタイプ、最大タイミングアドバンス（ＴＡ）値、物理ダウンリンク制御チャネル（ＰＤＣＣＨ）のＴＴＩと、前記ＵＬのＴＴＩとの間における時間のうちの少なくとも１つである請求項１４に記載のＷＴＲＵ。
【請求項１８】
前記ＴＴＩ構成に基づいてＴＴＩ長さを決定するようにさらに構成されている前記プロセッサであって、前記ＴＴＩ構成は、シンボルの数およびサブキャリアスペーシングのうちの少なくとも１つを含む、前記プロセッサ
をさらに含む請求項１４に記載のＷＴＲＵ。
【請求項１９】
前記レポートは、現在のタイミングアドバンス（ＴＡ）値、実際のトランスポートブロックサイズ（ＴＢＳ）、前記ＷＴＲＵの受信タイミングと送信タイミングとの間における時間差、および処理時間のうちの少なくとも１つに基づいて決定される現在の処理値（ＰＶ）を含む請求項１４に記載のＷＴＲＵ。
【請求項２０】
前記レポートは、プロキシミティー条件の充足に基づく処理値（ＰＶ）に対するＰＣプロキシミティーを含む請求項１４に記載のＷＴＲＵ。
【請求項２１】
前記送信されるレポートは、ｅＮｏｄｅＢ（ｅＮＢ）へ送信される請求項１４に記載のＷＴＲＵ。
【請求項２２】
前記決定されたＰＣおよび決定された処理値（ＰＶ）に基づいて少なくとも１つのアップリンク（ＵＬ）送信を保留するようにさらに構成されている前記送信機
をさらに含む請求項１４に記載のＷＴＲＵ。
【請求項２３】
前記少なくとも１つの保留されるＵＬ送信は、関連したバッファおよびタイマーを取り扱うことを含む請求項２２に記載のＷＴＲＵ。
【請求項２４】
前記決定されたＰＣおよび決定された処理値（ＰＶ）に基づいてアップリンク（ＵＬ）送信をやめるようにさらに構成されている前記送信機
をさらに含む請求項１４に記載のＷＴＲＵ。
【請求項２５】
前記ＵＬ送信をやめることは、優先度に基づく請求項２４に記載のＷＴＲＵ。
【請求項２６】
前記レポートは、アップリンク（ＵＬ）チャネルごとに、決定されたＰＣを含む請求項２４に記載のＷＴＲＵ。
【請求項２７】
処理能力（ＰＣ）を使用するためにｅＮｏｄｅＢ（ｅＮＢ）において使用するための方法であって、
送信タイムインターバル（ＴＴＩ）構成を送信するステップと、
決定されたＰＣのレポートを受信するステップであって、前記ＰＣは、前記ＴＴＩ構成および処理基準のうちの少なくとも１つに基づいてワイヤレス送信／受信ユニット（ＷＴＲＵ）によって決定される、ステップとを含む方法。
【請求項２８】
前記ＰＣはタイムラインであり、前記タイムラインは、時間ユニットの数として報告され、時間ユニットは、シンボル、ＴＴＩ、時間サンプル、および時間サンプルのセットのうちの少なくとも１つである請求項２７に記載の方法。
【請求項２９】
前記タイムラインは、スケジューリングタイムラインおよびＨＡＲＱタイムラインのうちの少なくとも１つである請求項２８に記載の方法。
【請求項３０】
前記処理基準は、ＴＴＩ長さ、タイムライン、最大トランスポートブロックサイズ（ＴＢＳ）、アップリンク（ＵＬ）チャネルタイプ、最大タイミングアドバンス（ＴＡ）値、物理ダウンリンク制御チャネル（ＰＤＣＣＨ）のＴＴＩと、前記ＵＬのＴＴＩとの間における時間のうちの少なくとも１つである請求項２７に記載の方法。
【請求項３１】
前記レポートは、現在のタイミングアドバンス（ＴＡ）値、実際のトランスポートブロックサイズ（ＴＢＳ）、前記ＷＴＲＵの受信タイミングと送信タイミングとの間における時間差、および処理時間のうちの少なくとも１つに基づいて決定される現在の処理値（ＰＶ）を含む請求項２７に記載の方法。
【請求項３２】
前記レポートは、プロキシミティー条件の充足に基づく処理値（ＰＶ）に対するＰＣプロキシミティーを含む請求項２７に記載の方法。
【請求項３３】
前記レポートは、アップリンク（ＵＬ）チャネルごとに、決定されたＰＣを含む請求項２７に記載の方法。
【発明の詳細な説明】
【技術分野】
【０００１】
本発明は、低減された待ち時間システムにおけるタイミングアドバンスおよび処理能力に関する。
【背景技術】
【０００２】
関連出願の相互参照
本出願は、２０１６年８月１０日に出願された米国特許仮出願第６２／３７３，１２３号明細書の利益を主張するものであり、その内容は、参照によって本明細書に組み込まれている。
【０００３】
アラーム報告、自動車安全、工場プロセス制御、およびマシンタイプ通信（ＭＴＣ）などのセルラーテクノロジーに関する台頭しているアプリケーションは、低待ち時間セルラー通信の利用から利益を享受することができる。低待ち時間アプリケーションは、たとえば、ＬＴＥアドバンスト（ＬＴＥ−Ａ）システムにおいて使用される場合がある１ｍｓの送信タイムインターバル（ＴＴＩ）および関連付けられている待ち時間が不十分であると認識する場合がある。ゲーミングなどの既存のアプリケーション、ならびにボイスオーバーＬＴＥ（ＶｏＬＴＥ）およびビデオ電話／会議などのリアルタイムアプリケーションも、たとえば、高められる知覚される体感品質という点で、低減された待ち時間から利益を享受することができる。いくつかのアプリケーションは、待ち時間を低減するために短いＴＴＩ（ｓＴＴＩ）を使用することができるが、ｓＴＴＩの使用は、利用可能な処理時間を低減する。
【発明の概要】
【課題を解決するための手段】
【０００４】
構成可能な送信タイムインターバル（ＴＴＩ）または短いＴＴＩ（ｓＴＴＩ）を使用するシステムなど、待ち時間を低減するように構成されているシステムにおいて、低減された利用可能な処理時間を取り扱うための方法および装置が本明細書において記述されている。
【０００５】
ワイヤレス送信／受信ユニット（ＷＴＲＵ）が、１つまたは複数の処理能力を決定し、決定された処理能力に基づいて処理能力（ＰＣ）表示をｅＮｏｄｅＢ（ｅＮＢ）へ送信し、ｅＮＢからＰＣ構成を受信し、ＰＣ構成または決定された処理能力に基づいて最大タイミングアドバンスまたは最大Ｒｘ−Ｔｘ時間差を決定し、適用されるタイミングアドバンスまたはＲｘ−Ｔｘ時間差を、特定のＴＴＩ長さに関する最大タイミングアドバンスまたは最大Ｒｘ−Ｔｘ時間差に制限するように構成されることができる。ＷＴＲＵは、処理パラメータの処理値（ＰＶ）を測定し、ＰＶとＰＣとの間における差であるヘッドルームの量を決定し、条件に基づいてヘッドルームを報告するように構成されることもできる。ＷＴＲＵは、条件に基づいてアクションを実行することもできる。
【０００６】
一例においては、ＷＴＲＵは、ＰＣを使用するように構成されることができる。ＷＴＲＵは、ＴＴＩ構成を受信することができる。ＷＴＲＵは、ＷＴＲＵのＰＣを決定することができる。ＰＣは、ＴＴＩ構成および処理基準のうちの少なくとも１つに基づいて決定されることができる。ＷＴＲＵは次いで、決定されたＰＣのレポートを送信することができる。レポートは、ｅＮＢへ送信されることができる。ＰＣは、タイムラインであることができ、タイムラインは、時間ユニットの数として報告されることができ、時間ユニットは、シンボル、ＴＴＩ、時間サンプル、および時間サンプルのセットのうちの少なくとも１つである。
【０００７】
別の例においては、ＷＴＲＵは、構成可能なＴＴＩを使用するように構成されることができる。ＷＴＲＵは、ＴＴＩ構成を受信することができる。ＷＴＲＵは、処理基準に基づいてＴＴＩ構成に関するＷＴＲＵのＰＣを決定することができる。ＷＴＲＵは次いで、決定されたＰＣのレポートを送信することができ、決定されたＰＣは、使用および／または構成されるＴＴＩまたはＴＴＩ長さ内のシンボルの数に基づくことができる。ＷＴＲＵは、現在の処理値（ＰＶ）を決定することもできる。レポートは、プロキシミティー条件の充足、１つもしくは複数のＵＬ送信を保留すること、またはＵＬ送信をやめることに基づくことができる。処理基準は、たとえば、使用および／または構成されるＴＴＩまたはＴＴＩ長さ内のシンボルの数を含むことができる。
【０００８】
別の例においては、ＷＴＲＵは、ｓＴＴＩを使用するように構成されることができる。ＷＴＲＵは、ｓＴＴＩ構成を受信し、処理基準に基づいてｓＴＴＩ構成に関するＷＴＲＵのＰＣを決定することができる。ＷＴＲＵは、現在のＰＶを決定することができる。ＷＴＲＵは、決定されたＰＣおよび決定されたＰＶに基づいて、プロキシミティー条件の充足、１つもしくは複数のＵＬ送信を保留すること、またはＵＬ送信をやめることに基づいてＰＣプロキシミティーを報告することができる。この例においては、処理基準は、ｓＴＴＩ長さ、タイムライン、トランスポートブロック（ＴＢ）サイズ、アップリンク（ＵＬ）チャネルタイプ、短い物理ダウンリンク制御チャネル（ｓＰＤＣＣＨ）のｓＴＴＩとＵＬのｓＴＴＩとの間における時間を含むことができるが、それらには限定されない。
【図面の簡単な説明】
【０００９】
例として添付の図面とともに与えられる以降の説明から、より詳細な理解が得られることができ、図どうしにおける同様の参照番号は、同様の要素を示している。
【００１０】
【図１Ａ】１つまたは複数の開示されている実施形態が実施されることができる例示的な通信システムを示すシステム図である。
【図１Ｂ】実施形態による、図１Ａにおいて示されている通信システム内で使用されることができる例示的なワイヤレス送信／受信ユニット（ＷＴＲＵ）を示すシステム図である。
【図１Ｃ】実施形態による、図１Ａにおいて示されている通信システム内で使用されることができる例示的な無線アクセスネットワーク（ＲＡＮ）および例示的なコアネットワーク（ＣＮ）を示すシステム図である。
【図１Ｄ】実施形態による、図１Ａにおいて示されている通信システム内で使用されることができるさらなる例示的なＲＡＮおよびさらなる例示的なＣＮを示すシステム図である。
【図２】送信受信タイミングの例を示す図である。
【図３】ＴＡが適用された状態の送信および受信タイミングの例を提供する図である。
【図４】ＴＡが適用された状態の送信および受信タイミングの別の例を提供する図である。
【図５】プロキシミティー報告の例を示す図である。
【図６】プロキシミティー報告の別の例を示す図である。
【図７】条件が満たされた場合にＵＬ送信を修正することの例を示す図である。
【図８】送信保留の例を示す図である。
【図９】送信保留の別の例を示す図である。
【図１０】保留条件が満たされた場合の送信保留の例を示す図である。
【発明を実施するための形態】
【００１１】
図１Ａは、１つまたは複数の開示されている実施形態が実施されることができる例示的な通信システム１００を示す図である。通信システム１００は、コンテンツ、たとえば、音声、データ、ビデオ、メッセージング、放送などを複数のワイヤレスユーザに提供するマルチプルアクセスシステムであることができる。通信システム１００は、複数のワイヤレスユーザが、ワイヤレス帯域幅を含むシステムリソースの共有を通じてそのようなコンテンツにアクセスすることを可能にすることができる。たとえば、通信システム１００は、１つまたは複数のチャネルアクセス方法、たとえば、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）、ゼロテールユニークワード離散フーリエ変換スプレッドＯＦＤＭ（ＺＴ  ＵＷ  ＤＴＳ−ｓ  ＯＦＤＭ）、ユニークワードＯＦＤＭ（ＵＷ−ＯＦＤＭ）、リソースブロックフィルタードＯＦＤＭ、フィルタバンクマルチキャリア（ＦＢＭＣ）などを採用することができる。
【００１２】
図１Ａにおいて示されているように、通信システム１００は、ワイヤレス送信／受信ユニット（ＷＴＲＵ）１０２ａ、１０２ｂ、１０２ｃ、１０２ｄ、ＲＡＮ１０４／１１３、ＣＮ１０６／１１５、公衆交換電話ネットワーク（ＰＳＴＮ）１０８、インターネット１１０、およびその他のネットワーク１１２を含むことができるが、開示されている実施形態は、任意の数のＷＴＲＵ、基地局、ネットワーク、および／またはネットワーク要素を想定しているということが理解されるであろう。ＷＴＲＵ１０２ａ、１０２ｂ、１０２ｃ、１０２ｄのそれぞれは、ワイヤレス環境において動作および／または通信を行うように構成されている任意のタイプのデバイスであることができる。例として、ＷＴＲＵ１０２ａ、１０２ｂ、１０２ｃ、１０２ｄ（これらのいずれも、「ステーション」および／または「ＳＴＡ」と呼ばれる場合がある）は、ワイヤレス信号を送信および／または受信するように構成されることができ、ユーザ機器（ＵＥ）、移動局、固定式または移動式のサブスクライバーユニット、サブスクリプションベースのユニット、ページャー、セルラー電話、携帯情報端末（ＰＤＡ）、スマートフォン、ラップトップ、ネットブック、パーソナルコンピュータ、ワイヤレスセンサ、ホットスポットまたはＭｉ−Ｆｉデバイス、インターネットオブシングス（ＩｏＴ）デバイス、腕時計またはその他のウェアラブル、ヘッドマウントディスプレイ（ＨＭＤ）、乗り物、ドローン、医療デバイスおよびアプリケーション（たとえば、遠隔手術）、工業デバイスおよびアプリケーション（たとえば、工業および／または自動化された処理チェーンのコンテキストにおいて動作するロボットおよび／またはその他のワイヤレスデバイス）、家庭用電子機器、商業および／または工業ワイヤレスネットワーク上で動作するデバイスなどを含むことができる。ＷＴＲＵ１０２ａ、１０２ｂ、１０２ｃ、および１０２ｄのいずれも、ＵＥと言い換え可能に呼ばれる場合がある。
【００１３】
通信システム１００は、基地局１１４ａおよび／または基地局１１４ｂを含むこともできる。基地局１１４ａ、１１４ｂのそれぞれは、１つまたは複数の通信ネットワーク、たとえば、ＣＮ１０６／１１５、インターネット１１０、および／またはその他のネットワーク１１２へのアクセスを容易にするために、ＷＴＲＵ１０２ａ、１０２ｂ、１０２ｃ、１０２ｄのうちの少なくとも１つとワイヤレスにインターフェース接続するように構成されている任意のタイプのデバイスであることができる。例として、基地局１１４ａ、１１４ｂは、ベーストランシーバステーション（ＢＴＳ）、Ｎｏｄｅ−Ｂ、ｅＮｏｄｅ  Ｂ、ホームＮｏｄｅ  Ｂ、ホームｅＮｏｄｅ  Ｂ、次世代ＮｏｄｅＢ（ｇＮＢ）、新無線（ＮＲ）ＮｏｄｅＢ、サイトコントローラ、アクセスポイント（ＡＰ）、ワイヤレスルータ、送信／受信ポイント（ＴＲＰ）などであることができる。基地局１１４ａ、１１４ｂは、それぞれ単一の要素として示されているが、基地局１１４ａ、１１４ｂは、任意の数の相互接続された基地局および／またはネットワーク要素を含むことができるということが理解されるであろう。
【００１４】
基地局１１４ａは、ＲＡＮ１０４／１１３の一部であることができ、ＲＡＮ１０４／１１３は、その他の基地局および／またはネットワーク要素（図示せず）、たとえば、基地局コントローラ（ＢＳＣ）、無線ネットワークコントローラ（ＲＮＣ）、中継ノードなどを含むこともできる。基地局１１４ａおよび／または基地局１１４ｂは、１つまたは複数のキャリア周波数上でワイヤレス信号を送信および／または受信するように構成されることができ、それらのキャリア周波数は、セル（図示せず）と呼ばれる場合がある。これらの周波数は、ライセンス供与されているスペクトル、ライセンス供与されていないスペクトル、またはライセンス供与されているスペクトルと、ライセンス供与されていないスペクトルとの組合せであることができる。セルは、比較的固定される場合がある、または時間とともに変わる場合がある特定の地理的エリアへのワイヤレスサービスのためのカバレッジを提供することができる。セルは、セルセクタへとさらに分割されることができる。たとえば、基地局１１４ａに関連付けられているセルは、３つのセクタへと分割されることができる。したがって一実施形態においては、基地局１１４ａは、３つのトランシーバ、すなわち、セルのそれぞれのセクタごとに１つのトランシーバを含むことができる。実施形態においては、基地局１１４ａは、多入力多出力（ＭＩＭＯ）テクノロジーを採用することができ、セルのそれぞれのセクタごとに複数のトランシーバを利用することができる。たとえば、所望の空間方向において信号を送信および／または受信するためにビームフォーミングが使用されることができる。
【００１５】
基地局１１４ａ、１１４ｂは、エアインターフェース１１６を介してＷＴＲＵ１０２ａ、１０２ｂ、１０２ｃ、１０２ｄのうちの１つまたは複数と通信することができ、エアインターフェース１１６は、任意の適切なワイヤレス通信リンク（たとえば、無線周波数（ＲＦ）、マイクロ波、センチメートル波、マイクロメートル波、赤外線（ＩＲ）、紫外線（ＵＶ）、可視光など）であることができる。エアインターフェース１１６は、任意の適切な無線アクセステクノロジー（ＲＡＴ）を使用して確立されることができる。
【００１６】
さらに具体的には、上述されているように、通信システム１００は、マルチプルアクセスシステムであることができ、１つまたは複数のチャネルアクセススキーム、たとえば、ＣＤＭＡ、ＴＤＭＡ、ＦＤＭＡ、ＯＦＤＭＡ、ＳＣ−ＦＤＭＡなどを採用することができる。たとえば、ＲＡＮ１０４／１１３内の基地局１１４ａ、およびＷＴＲＵ１０２ａ、１０２ｂ、１０２ｃは、ユニバーサルモバイルテレコミュニケーションズシステム（ＵＭＴＳ）テレストリアルラジオアクセス（ＵＴＲＡ）などの無線テクノロジーを実施することができ、この無線テクノロジーは、ワイドバンドＣＤＭＡ（ＷＣＤＭＡ）を使用してエアインターフェース１１６を確立することができる。ＷＣＤＭＡは、ハイスピードパケットアクセス（ＨＳＰＡ）および／またはエボルブドＨＳＰＡ（ＨＳＰＡ＋）などの通信プロトコルを含むことができる。ＨＳＰＡは、ハイスピードダウンリンク（ＤＬ）パケットアクセス（ＨＳＤＰＡ）および／またはハイスピードアップリンク（ＵＬ）パケットアクセス（ＨＳＵＰＡ）を含むことができる。
【００１７】
実施形態においては、基地局１１４ａおよびＷＴＲＵ１０２ａ、１０２ｂ、１０２ｃは、ロングタームエボリューション（ＬＴＥ）および／またはＬＴＥアドバンスト（ＬＴＥ−Ａ）および／またはＬＴＥアドバンストプロ（ＬＴＥ−Ａ  Ｐｒｏ）を使用してエアインターフェース１１６を確立することができるエボルブドＵＭＴＳテレストリアルラジオアクセス（Ｅ−ＵＴＲＡ）などの無線テクノロジーを実施することができる。
【００１８】
実施形態においては、基地局１１４ａおよびＷＴＲＵ１０２ａ、１０２ｂ、１０２ｃは、ＮＲを使用してエアインターフェース１１６を確立することができるＮＲ無線アクセスなどの無線テクノロジーを実施することができる。
【００１９】
実施形態においては、基地局１１４ａおよびＷＴＲＵ１０２ａ、１０２ｂ、１０２ｃは、複数の無線アクセステクノロジーを実施することができる。たとえば、基地局１１４ａおよびＷＴＲＵ１０２ａ、１０２ｂ、１０２ｃは、たとえばデュアル接続（ＤＣ）原理を使用して、ＬＴＥ無線アクセスおよびＮＲ無線アクセスをともに実施することができる。したがって、ＷＴＲＵ１０２ａ、１０２ｂ、１０２ｃによって利用されるエアインターフェースは、複数のタイプの無線アクセステクノロジー、および／または複数のタイプの基地局（たとえば、ｅＮＢおよびｇＮＢ）へ／から送られる送信によって特徴付けられることができる。
【００２０】
その他の実施形態においては、基地局１１４ａおよびＷＴＲＵ１０２ａ、１０２ｂ、１０２ｃは、無線テクノロジー、たとえば、ＩＥＥＥ８０２．１１（すなわち、ワイヤレスフィディリティー（ＷｉＦｉ）、ＩＥＥＥ８０２．１６（すなわち、ワールドワイドインターオペラビリティーフォーマイクロウェーブアクセス（ＷｉＭＡＸ））、ＣＤＭＡ２０００、ＣＤＭＡ２０００  １Ｘ、ＣＤＭＡ２０００エボリューションデータオンリー／エボリューションデータオプティマイズド（ＥＶ−ＤＯ）、暫定標準２０００（ＩＳ−２０００）、暫定標準９５（ＩＳ−９５）、暫定標準８５６（ＩＳ−８５６）、グローバルシステムフォーモバイルコミュニケーションズ（ＧＳＭ）、エンハンストデータレートフォーＧＳＭエボリューション（ＥＤＧＥ）、ＧＳＭ  ＥＤＧＥ（ＧＥＲＡＮ）などを実施することができる。
【００２１】
図１Ａにおける基地局１１４ｂは、たとえば、ワイヤレスルータ、ホームＮｏｄｅ  Ｂ、ホームｅＮｏｄｅ  Ｂ、またはアクセスポイントであることができ、局所的なエリア、たとえば、事業所、家庭、乗り物、キャンパス、工業施設、空中回廊（たとえば、ドローンによる使用のための）、車道などにおけるワイヤレス接続を容易にするために、任意の適切なＲＡＴを利用することができる。一実施形態においては、基地局１１４ｂおよびＷＴＲＵ１０２ｃ、１０２ｄは、ワイヤレスローカルエリアネットワーク（ＷＬＡＮ）を確立するために、ＩＥＥＥ８０２．１１などの無線テクノロジーを実施することができる。実施形態においては、基地局１１４ｂおよびＷＴＲＵ１０２ｃ、１０２ｄは、ワイヤレスパーソナルエリアネットワーク（ＷＰＡＮ）を確立するために、ＩＥＥＥ８０２．１５などの無線テクノロジーを実施することができる。さらに別の実施形態においては、基地局１１４ｂおよびＷＴＲＵ１０２ｃ、１０２ｄは、ピコセルまたはフェムトセルを確立するために、セルラーベースのＲＡＴ（たとえば、ＷＣＤＭＡ、ＣＤＭＡ２０００、ＧＳＭ、ＬＴＥ、ＬＴＥ−Ａ、ＬＴＥ−Ａ  Ｐｒｏ、ＮＲなど）を利用することができる。図１Ａにおいて示されているように、基地局１１４ｂは、インターネット１１０への直接接続を有することができる。したがって基地局１１４ｂは、ＣＮ１０６／１１５を介してインターネット１１０にアクセスすることを求められないことができる。
【００２２】
ＲＡＮ１０４／１１３は、ＣＮ１０６／１１５と通信状態にあることができ、ＣＮ１０６／１１５は、音声、データ、アプリケーション、および／またはボイスオーバーインターネットプロトコル（ＶｏＩＰ）サービスをＷＴＲＵ１０２ａ、１０２ｂ、１０２ｃ、１０２ｄのうちの１つまたは複数に提供するように構成されている任意のタイプのネットワークであることができる。データは、さまざまなサービス品質（ＱｏＳ）要件、たとえば、別々のスループット要件、待ち時間要件、エラー許容範囲要件、信頼性要件、データスループット要件、モビリティー要件などを有することができる。ＣＮ１０６／１１５は、コール制御、料金請求サービス、モバイルロケーションベースサービス、プリペイドコーリング、インターネット接続、ビデオ配信などを提供すること、および／またはハイレベルセキュリティー機能、たとえば、ユーザ認証を実行することができる。図１Ａにおいては示されていないが、ＲＡＮ１０４／１１３および／またはＣＮ１０６／１１５は、ＲＡＮ１０４／１１３と同じＲＡＴまたは異なるＲＡＴを採用しているその他のＲＡＮと直接または間接の通信状態にあることができるということが理解されるであろう。たとえば、ＣＮ１０６／１１５は、ＮＲ無線テクノロジーを利用している可能性があるＲＡＮ１０４／１１３に接続されていることに加えて、ＧＳＭ、ＵＭＴＳ、ＣＤＭＡ２０００、ＷｉＭＡＸ、Ｅ−ＵＴＲＡ、またはＷｉＦｉ無線テクノロジーを採用している別のＲＡＮ（図示せず）と通信状態にあることもできる。
【００２３】
ＣＮ１０６／１１５は、ＷＴＲＵ１０２ａ、１０２ｂ、１０２ｃ、１０２ｄがＰＳＴＮ１０８、インターネット１１０、および／またはその他のネットワーク１１２にアクセスするためのゲートウェイとしての役割を果たすこともできる。ＰＳＴＮ１０８は、単純旧式電話サービス（ＰＯＴＳ）を提供する回線交換電話ネットワークを含むことができる。インターネット１１０は、一般的な通信プロトコル、たとえば、トランスミッション制御プロトコル（ＴＣＰ）／インターネットプロトコル（ＩＰ）インターネットプロトコルスイートにおけるＴＣＰ、ユーザデータグラムプロトコル（ＵＤＰ）、および／またはＩＰを使用する相互接続されたコンピュータネットワークおよびデバイスからなるグローバルシステムを含むことができる。ネットワーク１１２は、その他のサービスプロバイダによって所有および／または運営されている有線通信ネットワークおよび／またはワイヤレス通信ネットワークを含むことができる。たとえば、ネットワーク１１２は、ＲＡＮ１０４／１１３と同じＲＡＴまたは異なるＲＡＴを採用することができる１つまたは複数のＲＡＮに接続されている別のＣＮを含むことができる。
【００２４】
通信システム１００内のＷＴＲＵ１０２ａ、１０２ｂ、１０２ｃ、１０２ｄのうちのいくつかまたはすべては、マルチモード機能を含むことができる（たとえば、ＷＴＲＵ１０２ａ、１０２ｂ、１０２ｃ、１０２ｄは、別々のワイヤレスリンクを介して別々のワイヤレスネットワークと通信するために複数のトランシーバ、送信機、または受信機を含むことができる）。たとえば、図１Ａにおいて示されているＷＴＲＵ１０２ｃは、セルラーベースの無線テクノロジーを採用することができる基地局１１４ａと、およびＩＥＥＥ８０２無線テクノロジーを採用することができる基地局１１４ｂと通信するように構成されることができる。
【００２５】
図１Ｂは、例示的なＷＴＲＵ１０２を示すシステム図である。図１Ｂにおいて示されているように、ＷＴＲＵ１０２は、数ある中でも、プロセッサ１１８、トランシーバ１２０、送信／受信要素１２２、スピーカー／マイクロフォン１２４、キーパッド１２６、ディスプレイ／タッチパッド１２８、取り外し不能メモリ１３０、取り外し可能メモリ１３２、電源１３４、グローバルポジショニングシステム（ＧＰＳ）チップセット１３６、および／またはその他の周辺機器１３８を含むことができる。ＷＴＲＵ１０２は、実施形態との整合性を保持しながら、上述の要素どうしの任意の下位組合せを含むことができるということが理解されるであろう。
【００２６】
プロセッサ１１８は、汎用プロセッサ、専用プロセッサ、従来型プロセッサ、デジタルシグナルプロセッサ（ＤＳＰ）、複数のマイクロプロセッサ、ＤＳＰコアと関連付けられている１つもしくは複数のマイクロプロセッサ、コントローラ、マイクロコントローラ、特定用途向け集積回路（ＡＳＩＣ）、フィールドプログラマブルゲートアレイ（ＦＰＧＡ）回路、その他の任意のタイプの集積回路（ＩＣ）、状態マシンなどであることができる。プロセッサ１１８は、信号コーディング、データ処理、パワー制御、入力／出力処理、および／または、ＷＴＲＵ１０２がワイヤレス環境において動作することを可能にするその他の任意の機能を実行することができる。プロセッサ１１８は、トランシーバ１２０に結合されることができ、トランシーバ１２０は、送信／受信要素１２２に結合されることができる。図１Ｂは、プロセッサ１１８とトランシーバ１２０を別々のコンポーネントとして示しているが、プロセッサ１１８とトランシーバ１２０は、電子パッケージまたはチップ内にともに統合されることができるということが理解されるであろう。
【００２７】
送信／受信要素１２２は、エアインターフェース１１６を介して、基地局（たとえば、基地局１１４ａ）に信号を送信するように、または基地局（たとえば、基地局１１４ａ）から信号を受信するように構成されることができる。たとえば、一実施形態においては、送信／受信要素１２２は、ＲＦ信号を送信および／または受信するように構成されているアンテナであることができる。実施形態においては、送信／受信要素１２２は、たとえば、ＩＲ信号、ＵＶ信号、または可視光信号を送信および／または受信するように構成されているエミッタ／検知器であることができる。さらに別の実施形態においては、送信／受信要素１２２は、ＲＦ信号および光信号の両方を送信および／または受信するように構成されることができる。送信／受信要素１２２は、ワイヤレス信号の任意の組合せを送信および／または受信するように構成されることができるということが理解されるであろう。
【００２８】
送信／受信要素１２２は、図１Ｂにおいては単一の要素として示されているが、ＷＴＲＵ１０２は、任意の数の送信／受信要素１２２を含むことができる。さらに具体的には、ＷＴＲＵ１０２は、ＭＩＭＯテクノロジーを採用することができる。したがって、一実施形態においては、ＷＴＲＵ１０２は、エアインターフェース１１６を介してワイヤレス信号を送信および受信するために、２つ以上の送信／受信要素１２２（たとえば、複数のアンテナ）を含むことができる。
【００２９】
トランシーバ１２０は、送信／受信要素１２２によって送信されることになる信号を変調するように、および送信／受信要素１２２によって受信される信号を復調するように構成されることができる。上述されているように、ＷＴＲＵ１０２は、マルチモード機能を有することができる。したがってトランシーバ１２０は、ＷＴＲＵ１０２が、たとえばＮＲおよびＩＥＥＥ８０２．１１などの複数のＲＡＴを介して通信することを可能にするために複数のトランシーバを含むことができる。
【００３０】
ＷＴＲＵ１０２のプロセッサ１１８は、スピーカー／マイクロフォン１２４、キーパッド１２６、および／またはディスプレイ／タッチパッド１２８（たとえば、液晶ディスプレイ（ＬＣＤ）ディスプレイユニットもしくは有機発光ダイオード（ＯＬＥＤ）ディスプレイユニット）に結合されることができ、そこからユーザ入力データを受信することができる。プロセッサ１１８は、ユーザデータをスピーカー／マイクロフォン１２４、キーパッド１２６、および／またはディスプレイ／タッチパッド１２８へ出力することもできる。加えて、プロセッサ１１８は、任意のタイプの適切なメモリ、たとえば、取り外し不能メモリ１３０および／または取り外し可能メモリ１３２からの情報にアクセスすること、およびそれらのメモリにデータを格納することができる。取り外し不能メモリ１３０は、ランダムアクセスメモリ（ＲＡＭ）、読み取り専用メモリ（ＲＯＭ）、ハードディスク、またはその他の任意のタイプのメモリストレージデバイスを含むことができる。取り外し可能メモリ１３２は、サブスクライバーアイデンティティーモジュール（ＳＩＭ）カード、メモリスティック、セキュアデジタル（ＳＤ）メモリカードなどを含むことができる。その他の実施形態においては、プロセッサ１１８は、ＷＴＲＵ１０２上に物理的に配置されていない、たとえば、サーバまたはホームコンピュータ（図示せず）上のメモリからの情報にアクセスすること、およびそのメモリにデータを格納することができる。
【００３１】
プロセッサ１１８は、電源１３４から電力を受け取ることができ、ＷＴＲＵ１０２内のその他のコンポーネントへの電力を分配および／または制御するように構成されることができる。電源１３４は、ＷＴＲＵ１０２に電力供給するための任意の適切なデバイスであることができる。たとえば、電源１３４は、１つまたは複数の乾電池（たとえば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）など）、太陽電池、燃料電池などを含むことができる。
【００３２】
プロセッサ１１８は、ＧＰＳチップセット１３６に結合されることもでき、ＧＰＳチップセット１３６は、ＷＴＲＵ１０２の現在のロケーションに関するロケーション情報（たとえば、経度および緯度）を提供するように構成されることができる。ＷＴＲＵ１０２は、ＧＰＳチップセット１３６からの情報に加えて、またはその情報の代わりに、基地局（たとえば、基地局１１４ａ、１１４ｂ）からエアインターフェース１１６を介してロケーション情報を受信すること、および／または２つ以上の近隣の基地局から受信されている信号のタイミングに基づいてそのロケーションを決定することができる。ＷＴＲＵ１０２は、実施形態との整合性を保持しながら、任意の適切なロケーション決定方法を通じてロケーション情報を取得することができるということが理解されるであろう。
【００３３】
プロセッサ１１８は、その他の周辺機器１３８にさらに結合されることができ、その他の周辺機器１３８は、さらなる特徴、機能、および／または有線接続もしくはワイヤレス接続を提供する１つまたは複数のソフトウェアモジュールおよび／またはハードウェアモジュールを含むことができる。たとえば、周辺機器１３８は、加速度計、ｅコンパス、衛星トランシーバ、デジタルカメラ（写真および／またはビデオ用）、ユニバーサルシリアルバス（ＵＳＢ）ポート、振動デバイス、テレビジョントランシーバ、ハンドフリーヘッドセット、Ｂｌｕｅｔｏｏｔｈ（登録商標）モジュール、周波数変調（ＦＭ）ラジオユニット、デジタルミュージックプレーヤ、メディアプレーヤ、ビデオゲームプレーヤモジュール、インターネットブラウザ、仮想現実および／または拡張現実（ＶＲ／ＡＲ）デバイス、アクティビティートラッカーなどを含むことができる。周辺機器１３８は、１つまたは複数のセンサを含むことができ、それらのセンサは、ジャイロスコープ、加速度計、ホール効果センサ、磁力計、方位センサ、プロキシミティーセンサ、温度センサ、時間センサ、ジオロケーションセンサ、高度計、光センサ、タッチセンサ、磁力計、バロメータ、ジェスチャーセンサ、バイオメトリックセンサ、および／または湿度センサのうちの１つまたは複数であることができる。
【００３４】
ＷＴＲＵ１０２は、（たとえば、ＵＬ（たとえば、送信用）およびダウンリンク（たとえば、受信用）の両方に関して特定のサブフレームに関連付けられている信号のうちのいくつかまたはすべての送信および受信が並行および／または同時であることができる全二重無線を含むことができる。全二重無線は、ハードウェア（たとえば、チョーク）、またはプロセッサを介した（たとえば、別個のプロセッサ（図示せず）もしくはプロセッサ１１８を介した）信号処理を介して自己干渉を低減するおよびまたは実質的になくすための干渉管理ユニット１３９を含むことができる。実施形態においては、ＷＴＲＵ１０２は、（たとえば、ＵＬ（たとえば、送信用）またはダウンリンク（たとえば、受信用）のいずれかに関して特定のサブフレームに関連付けられている）信号のうちのいくつかまたはすべての送信および受信が半二重無線を含むことができる。
【００３５】
図１Ｃは、実施形態によるＲＡＮ１０４およびＣＮ１０６を示すシステム図である。上述されているように、ＲＡＮ１０４は、エアインターフェース１１６を介してＷＴＲＵ１０２ａ、１０２ｂ、１０２ｃと通信するためにＥ−ＵＴＲＡ無線テクノロジーを採用することができる。ＲＡＮ１０４は、ＣＮ１０６と通信状態にあることもできる。
【００３６】
ＲＡＮ１０４は、ｅＮｏｄｅ−Ｂ１６０ａ、１６０ｂ、１６０ｃを含むことができるが、ＲＡＮ１０４は、実施形態との整合性を保持しながら、任意の数のｅＮｏｄｅ−Ｂを含むことができるということが理解されるであろう。ｅＮｏｄｅ−Ｂ１６０ａ、１６０ｂ、１６０ｃはそれぞれ、エアインターフェース１１６を介してＷＴＲＵ１０２ａ、１０２ｂ、１０２ｃと通信するために１つまたは複数のトランシーバを含むことができる。一実施形態においては、ｅＮｏｄｅ−Ｂ１６０ａ、１６０ｂ、１６０ｃは、ＭＩＭＯテクノロジーを実施することができる。したがってｅＮｏｄｅ−Ｂ１６０ａは、たとえば、ＷＴＲＵ１０２ａにワイヤレス信号を送信するために、および／またはＷＴＲＵ１０２ａからワイヤレス信号を受信するために、複数のアンテナを使用することができる。
【００３７】
ｅＮｏｄｅ−Ｂ１６０ａ、１６０ｂ、１６０ｃのそれぞれは、特定のセル（図示せず）に関連付けられることができ、無線リソース管理の決定、ハンドオーバーの決定、ＵＬおよび／またはＤＬにおけるユーザのスケジューリングなどを取り扱うように構成されることができる。図１Ｃにおいて示されているように、ｅＮｏｄｅ−Ｂ１６０ａ、１６０ｂ、１６０ｃは、Ｘ２インターフェースを介して互いに通信することができる。
【００３８】
図１Ｃにおいて示されているＣＮ１０６は、モビリティー管理エンティティー（ＭＭＥ）１６２、サービングゲートウェイ（ＳＧＷ）１６４、およびパケットデータネットワーク（ＰＤＮ）ゲートウェイ（またはＰＧＷ）１６６を含むことができる。上述の要素のうちのそれぞれは、ＣＮ１０６の一部として示されているが、これらの要素のうちのいずれかが、ＣＮオペレータ以外のエンティティーによって所有および／または運営されることができるということが理解されるであろう。
【００３９】
ＭＭＥ１６２は、Ｓ１インターフェースを介してＲＡＮ１０４内のｅＮｏｄｅ−Ｂ１６２ａ、１６２ｂ、１６２ｃのそれぞれに接続されることができ、制御ノードとしての役割を果たすことができる。たとえば、ＭＭＥ１６２は、ＷＴＲＵ１０２ａ、１０２ｂ、１０２ｃのユーザを認証すること、ベアラのアクティブ化／非アクティブ化、ＷＴＲＵ１０２ａ、１０２ｂ、１０２ｃの最初の接続の間に特定のサービングゲートウェイを選択することなどを担当することができる。ＭＭＥ１６２は、ＲＡＮ１０４と、ＧＳＭおよび／またはＷＣＤＭＡなどのその他の無線テクノロジーを採用しているその他のＲＡＮ（図示せず）との間における切り替えを行うための制御プレーン機能を提供することができる。
【００４０】
ＳＧＷ１６４は、Ｓ１インターフェースを介してＲＡＮ１０４内のｅＮｏｄｅ  Ｂ１６０ａ、１６０ｂ、１６０ｃのそれぞれに接続されることができる。ＳＧＷ１６４は一般に、ユーザデータパケットをＷＴＲＵ１０２ａ、１０２ｂ、１０２ｃへ／ＷＴＲＵ１０２ａ、１０２ｂ、１０２ｃから回送および転送することができる。ＳＧＷ１６４は、その他の機能、たとえば、ｅＮｏｄｅ  Ｂ間でのハンドオーバー中にユーザプレーンを固定すること、ＷＴＲＵ１０２ａ、１０２ｂ、１０２ｃにとってＤＬデータが利用可能である場合にページングをトリガーすること、ＷＴＲＵ１０２ａ、１０２ｂ、１０２ｃのコンテキストを管理および格納することなどを実行することができる。
【００４１】
ＳＧＷ１６４は、ＰＧＷ１６６に接続されることができ、ＰＧＷ１６６は、ＷＴＲＵ１０２ａ、１０２ｂ、１０２ｃと、ＩＰ対応デバイスとの間における通信を容易にするために、インターネット１１０などのパケット交換ネットワークへのアクセスをＷＴＲＵ１０２ａ、１０２ｂ、１０２ｃに提供することができる。
【００４２】
ＣＮ１０６は、その他のネットワークとの通信を容易にすることができる。たとえば、ＣＮ１０６は、ＷＴＲＵ１０２ａ、１０２ｂ、１０２ｃと、従来の地上通信線通信デバイスとの間における通信を容易にするために、ＰＳＴＮ１０８などの回線交換ネットワークへのアクセスをＷＴＲＵ１０２ａ、１０２ｂ、１０２ｃに提供することができる。たとえば、ＣＮ１０６は、ＣＮ１０６とＰＳＴＮ１０８との間におけるインターフェースとしての役割を果たすＩＰゲートウェイ（たとえば、ＩＰマルチメディアサブシステム（ＩＭＳ）サーバ）を含むことができ、またはそうしたＩＰゲートウェイと通信することができる。加えて、ＣＮ１０６は、その他のネットワーク１１２へのアクセスをＷＴＲＵ１０２ａ、１０２ｂ、１０２ｃに提供することができ、その他のネットワーク１１２は、その他のサービスプロバイダによって所有および／または運営されているその他の有線ネットワークおよび／またはワイヤレスネットワークを含むことができる。
【００４３】
ＷＴＲＵは、図１Ａ〜図１Ｄにおいてはワイヤレス端末として記述されているが、特定の代表的な実施形態においては、そのような端末は、通信ネットワークとの有線通信インターフェースを（たとえば、一時的にまたは永久に）使用することができると想定される。
【００４４】
代表的な実施形態においては、その他のネットワーク１１２は、ＷＬＡＮであることができる。
【００４５】
インフラストラクチャーベーシックサービスセット（ＢＳＳ）モードにおけるＷＬＡＮは、ＢＳＳ用のアクセスポイント（ＡＰ）と、ＡＰに関連付けられている１つまたは複数のステーション（ＳＴＡ）とを有することができる。ＡＰは、ＢＳＳとの間で出入りするトラフィックを搬送する配信システム（ＤＳ）または別のタイプの有線／ワイヤレスネットワークへのアクセスまたはインターフェースを有することができる。ＢＳＳの外部から生じるＳＴＡへのトラフィックは、ＡＰを通じて着信することができ、ＳＴＡへ配信されることができる。ＳＴＡからＢＳＳの外部の宛先へ生じるトラフィックは、ＡＰへ送信されて、それぞれの宛先へ配信されることができる。ＢＳＳ内のＳＴＡどうしの間におけるトラフィックは、たとえば、ソースＳＴＡがトラフィックをＡＰへ送信することができ、ＡＰがそのトラフィックを宛先ＳＴＡへ配信することができる場合には、ＡＰを通じて送信されることができる。ＢＳＳ内のＳＴＡどうしの間におけるトラフィックは、ピアツーピアトラフィックとみなされること、および／または呼ばれることができる。ピアツーピアトラフィックは、ダイレクトリンクセットアップ（ＤＬＳ）を用いてソースＳＴＡと宛先ＳＴＡとの間において（たとえば、間において直接）送信されることができる。特定の代表的な実施形態においては、ＤＬＳは、８０２．１１ｅ  ＤＬＳまたは８０２．１１ｚトンネルドＤＬＳ（ＴＤＬＳ）を使用することができる。独立ＢＳＳ（ＩＢＳＳ）モードを使用するＷＬＡＮは、ＡＰを有さなくてよく、ＩＢＳＳ内のまたはＩＢＳＳを使用するＳＴＡ（たとえば、ＳＴＡのうちのすべて）は、互いに直接通信することができる。通信のＩＢＳＳモードは、本明細書においては、時には通信の「アドホック」モードと呼ばれる場合がある。
【００４６】
オペレーションの８０２．１１ａｃインフラストラクチャーモードまたはオペレーションの同様のモードを使用する場合には、ＡＰは、プライマリーチャネルなどの固定されたチャネル上でビーコンを送信することができる。プライマリーチャネルは、固定された幅（たとえば、２０ＭＨｚの幅の帯域幅）またはシグナリングを介した動的に設定される幅であることができる。プライマリーチャネルは、ＢＳＳの動作チャネルであることができ、ＳＴＡによってＡＰとの接続を確立するために使用されることができる。特定の代表的な実施形態においては、たとえば、８０２．１１システムにおいて、搬送波感知多重アクセス／衝突回避方式（ＣＳＭＡ／ＣＡ）が実施されることができる。ＣＳＭＡ／ＣＡに関しては、ＡＰを含むＳＴＡ（たとえば、あらゆるＳＴＡ）は、プライマリーチャネルを感知することができる。特定のＳＴＡによってプライマリーチャネルが感知／検知され、および／またはビジーであると決定された場合には、その特定のＳＴＡは、引き下がることができる。１つのＳＴＡ（たとえば、１つのステーションのみ）が、所与のＢＳＳ内で任意の所与の時点において送信を行うことができる。
【００４７】
高スループット（ＨＴ）ＳＴＡは、たとえば、プライマリー２０ＭＨｚチャネルと、隣り合っているまたは隣り合っていない２０ＭＨｚのチャネルとの組合せを介して４０ＭＨｚの幅のチャネルを形成して、通信のために４０ＭＨｚの幅のチャネルを使用することができる。
【００４８】
超高スループット（ＶＨＴ）ＳＴＡは、２０ＭＨｚ、４０ＭＨｚ、８０ＭＨｚ、および／または１６０ＭＨｚの幅のチャネルをサポートすることができる。４０ＭＨｚのチャネル、および／または８０ＭＨｚのチャネルは、隣接している２０ＭＨｚのチャネルどうしを組み合わせることによって形成されることができる。１６０ＭＨｚのチャネルは、８つの隣接している２０ＭＨｚのチャネルを組み合わせることによって、または２つの隣接していない８０ＭＨｚのチャネル（これは、８０＋８０構成と呼ばれる場合がある）を組み合わせることによって形成されることができる。８０＋８０構成に関しては、データは、チャネルエンコーディングの後に、データを２つのストリームへと分割することができるセグメントパーサに通されることができる。逆高速フーリエ変換（ＩＦＦＴ）処理、および時間ドメイン処理が、それぞれのストリーム上で別々に行われることができる。それらのストリームは、２つの８０ＭＨｚのチャネル上にマップされることができ、データは、送信側のＳＴＡによって送信されることができる。受信側のＳＴＡの受信機においては、８０＋８０構成に関する上述のオペレーションは、逆にされることができ、組み合わされたデータは、メディアアクセス制御（ＭＡＣ）へ送信されることができる。
【００４９】
オペレーションのサブ１ＧＨｚモードが、８０２．１１ａｆおよび８０２．１１ａｈによってサポートされている。チャネル動作帯域幅、およびキャリアは、８０２．１１ａｆおよび８０２．１１ａｈにおいては、８０２．１１ｎおよび８０２．１１ａｃにおいて使用されるものに比べて低減される。８０２．１１ａｆは、ＴＶホワイトスペース（ＴＶＷＳ）スペクトルにおける５ＭＨｚ、１０ＭＨｚ、および２０ＭＨｚの帯域幅をサポートし、８０２．１１ａｈは、非ＴＶＷＳスペクトルを使用する１ＭＨｚ、２ＭＨｚ、４ＭＨｚ、８ＭＨｚ、および１６ＭＨｚの帯域幅をサポートする。代表的な実施形態によれば、８０２．１１ａｈは、マクロカバレッジエリアにおけるＭＴＣデバイスなど、メータタイプ制御／マシンタイプ通信をサポートすることができる。ＭＴＣデバイスは、特定の能力、たとえば、特定のおよび／または限られた帯域幅に関するサポートを（たとえば、それらに関するサポートのみを）含む限られた能力を有する場合がある。ＭＴＣデバイスは、（たとえば、非常に長いバッテリー寿命を保持するために）しきい値を上回るバッテリー寿命を伴うバッテリーを含むことができる。
【００５０】
複数のチャネル、およびチャネル帯域幅、たとえば、８０２．１１ｎ、８０２．１１ａｃ、８０２．１１ａｆ、および８０２．１１ａｈをサポートすることができるＷＬＡＮシステムは、プライマリーチャネルとして指定されることができるチャネルを含む。プライマリーチャネルは、ＢＳＳ内のすべてのＳＴＡによってサポートされている最大の共通動作帯域幅に等しい帯域幅を有することができる。プライマリーチャネルの帯域幅は、ＢＳＳ内で動作しているすべてのＳＴＡのうちで、最小の帯域幅動作モードをサポートしているＳＴＡによって設定および／または制限される場合がある。８０２．１１ａｈの例においては、たとえＡＰ、およびＢＳＳ内のその他のＳＴＡが、２ＭＨｚ、４ＭＨｚ、８ＭＨｚ、１６ＭＨｚ、および／またはその他のチャネル帯域幅動作モードをサポートしても、１ＭＨｚモードをサポートする（たとえば、サポートするだけである）ＳＴＡ（たとえば、ＭＴＣタイプデバイス）に関しては、プライマリーチャネルは、１ＭＨｚの幅であることができる。キャリア感知および／またはネットワーク割り当てベクトル（ＮＡＶ）設定は、プライマリーチャネルのステータスに依存する場合がある。プライマリーチャネルが、たとえば、（１ＭＨｚの動作モードしかサポートしていない）ＳＴＡがＡＰへの送信を行っていることに起因して、ビジーである場合には、利用可能な周波数帯域全体は、たとえそれらの周波数帯域の大部分がアイドルのままであって利用可能である可能性があっても、ビジーとみなされる場合がある。
【００５１】
米国においては、８０２．１１ａｈによって使用されることができる利用可能な周波数帯域は、９０２ＭＨｚから９２８ＭＨｚまでである。韓国においては、利用可能な周波数帯域は、９１７．５ＭＨｚから９２３．５ＭＨｚまでである。日本においては、利用可能な周波数帯域は、９１６．５ＭＨｚから９２７．５ＭＨｚまでである。８０２．１１ａｈにとって利用可能な合計の帯域幅は、国コードに応じて６ＭＨｚから２６ＭＨｚである。
【００５２】
図１Ｄは、実施形態によるＲＡＮ１１３およびＣＮ１１５を示すシステム図である。上述されているように、ＲＡＮ１１３は、エアインターフェース１１６を介してＷＴＲＵ１０２ａ、１０２ｂ、１０２ｃと通信するためにＮＲ無線テクノロジーを採用することができる。ＲＡＮ１１３は、ＣＮ１１５と通信状態にあることもできる。
【００５３】
ＲＡＮ１１３は、ｇＮＢ１８０ａ、１８０ｂ、１８０ｃを含むことができるが、ＲＡＮ１１３は、実施形態との整合性を保持しながら、任意の数のｇＮＢを含むことができるということが理解されるであろう。ｇＮＢ１８０ａ、１８０ｂ、１８０ｃはそれぞれ、エアインターフェース１１６を介してＷＴＲＵ１０２ａ、１０２ｂ、１０２ｃと通信するために１つまたは複数のトランシーバを含むことができる。一実施形態においては、ｇＮＢ１８０ａ、１８０ｂ、１８０ｃは、ＭＩＭＯテクノロジーを実施することができる。たとえば、ｇＮＢ１８０ａ、１８０ｂは、ｇＮＢ１８０ａ、１８０ｂ、１８０ｃへ信号を送信するために、および／またはｇＮＢ１８０ａ、１８０ｂ、１８０ｃから信号を受信するために、ビームフォーミングを利用することができる。したがってｇＮＢ１８０ａは、たとえば、ＷＴＲＵ１０２ａへワイヤレス信号を送信するために、および／またはＷＴＲＵ１０２ａからワイヤレス信号を受信するために、複数のアンテナを使用することができる。実施形態においては、ｇＮＢ１８０ａ、１８０ｂ、１８０ｃは、キャリアアグリゲーションテクノロジーを実施することができる。たとえば、ｇＮＢ１８０ａは、複数のコンポーネントキャリアをＷＴＲＵ１０２ａ（図示せず）へ送信することができる。これらのコンポーネントキャリアのサブセットが、ライセンス供与されていないスペクトル上にあることができ、その一方で残りのコンポーネントキャリアが、ライセンス供与されているスペクトル上にあることができる。実施形態においては、ｇＮＢ１８０ａ、１８０ｂ、１８０ｃは、協調マルチポイント（ＣｏＭＰ）テクノロジーを実施することができる。たとえば、ＷＴＲＵ１０２ａは、ｇＮＢ１８０ａおよびｇＮＢ１８０ｂ（および／またはｇＮＢ１８０ｃ）から協調送信を受信することができる。
【００５４】
ＷＴＲＵ１０２ａ、１０２ｂ、１０２ｃは、スケーラブルなニューメロロジーに関連付けられている送信を使用して、ｇＮＢ１８０ａ、１８０ｂ、１８０ｃと通信することができる。たとえば、ＯＦＤＭシンボルスペーシングおよび／またはＯＦＤＭサブキャリアスペーシングは、別々の送信、別々のセル、および／またはワイヤレス送信スペクトルの別々の部分ごとに異なることができる。ＷＴＲＵ１０２ａ、１０２ｂ、１０２ｃは、さまざまなまたはスケーラブルな長さのサブフレームまたは送信タイムインターバル（ＴＴＩ）（たとえば、さまざまな数のＯＦＤＭシンボルおよび／または持続するさまざまな長さの絶対時間を含む）を使用して、ｇＮＢ１８０ａ、１８０ｂ、１８０ｃと通信することができる。
【００５５】
ｇＮＢ１８０ａ、１８０ｂ、１８０ｃは、スタンドアロンの構成および／またはスタンドアロンではない構成でＷＴＲＵ１０２ａ、１０２ｂ、１０２ｃと通信するように構成されることができる。スタンドアロンの構成においては、ＷＴＲＵ１０２ａ、１０２ｂ、１０２ｃは、その他のＲＡＮ（たとえば、ｅＮｏｄｅ−Ｂ１６０ａ、１６０ｂ、１６０ｃなど）にアクセスすることも伴わずに、ｇＮＢ１８０ａ、１８０ｂ、１８０ｃと通信することができる。スタンドアロンの構成においては、ＷＴＲＵ１０２ａ、１０２ｂ、１０２ｃは、ｇＮＢ１８０ａ、１８０ｂ、１８０ｃのうちの１つまたは複数をモビリティーアンカーポイントとして利用することができる。スタンドアロンの構成においては、ＷＴＲＵ１０２ａ、１０２ｂ、１０２ｃは、ライセンス供与されていない帯域内の信号を使用してｇＮＢ１８０ａ、１８０ｂ、１８０ｃと通信することができる。スタンドアロンではない構成においては、ＷＴＲＵ１０２ａ、１０２ｂ、１０２ｃは、ｇＮＢ１８０ａ、１８０ｂ、１８０ｃと通信する／それらに接続する一方で、ｅＮｏｄｅ−Ｂ１６０ａ、１６０ｂ、１６０ｃなどの別のＲＡＮと通信すること／それらに接続することもできる。たとえば、ＷＴＲＵ１０２ａ、１０２ｂ、１０２ｃは、ＤＣ原理を実施して、１つまたは複数のｇＮＢ１８０ａ、１８０ｂ、１８０ｃおよび１つまたは複数のｅＮｏｄｅ−Ｂ１６０ａ、１６０ｂ、１６０ｃと実質的に同時に通信することができる。スタンドアロンではない構成においては、ｅＮｏｄｅ−Ｂ１６０ａ、１６０ｂ、１６０ｃは、ＷＴＲＵ１０２ａ、１０２ｂ、１０２ｃのためのモビリティーアンカーとしての役割を果たすことができ、ｇＮＢ１８０ａ、１８０ｂ、１８０ｃは、ＷＴＲＵ１０２ａ、１０２ｂ、１０２ｃにサービス提供するためのさらなるカバレッジおよび／またはスループットを提供することができる。
【００５６】
ｇＮＢ１８０ａ、１８０ｂ、１８０ｃのそれぞれは、特定のセル（図示せず）に関連付けられることが可能であり、無線リソース管理決定、ハンドオーバー決定、ＵＬおよび／またはＤＬにおけるユーザのスケジューリング、ネットワークスライシングのサポート、デュアル接続、ＮＲとＥ−ＵＴＲＡとの間におけるインターワーキング、ユーザプレーン機能（ＵＰＦ）１８４ａ、１８４ｂへのユーザプレーンデータの回送、アクセスおよびモビリティー管理機能（ＡＭＦ）１８２ａ、１８２ｂへの制御プレーン情報の回送などを取り扱うように構成されることができる。図１Ｄにおいて示されているように、ｇＮＢ１８０ａ、１８０ｂ、１８０ｃは、Ｘｎインターフェースを介して互いに通信することができる。
【００５７】
図１Ｄにおいて示されているＣＮ１１５は、少なくとも１つのＡＭＦ１８２ａ、１８２ｂ、少なくとも１つのＵＰＦ１８４ａ、１８４ｂ、少なくとも１つのセッション管理機能（ＳＭＦ）１８３ａ、１８３ｂ、および場合によってはデータネットワーク（ＤＮ）１８５ａ、１８５ｂを含むことができる。上述の要素のうちのそれぞれは、ＣＮ１１５の一部として示されているが、これらの要素のうちのいずれかが、ＣＮオペレータ以外のエンティティーによって所有および／または運営されることができるということが理解されるであろう。
【００５８】
ＡＭＦ１８２ａ、１８２ｂは、Ｎ２インターフェースを介してＲＡＮ１１３内のｇＮＢ１８０ａ、１８０ｂ、１８０ｃのうちの１つまたは複数に接続されることができ、制御ノードとしての役割を果たすことができる。たとえば、ＡＭＦ１８２ａ、１８２ｂは、ＷＴＲＵ１０２ａ、１０２ｂ、１０２ｃのユーザを認証すること、ネットワークスライシングに関するサポート（たとえば、別々の要件を伴う別々のＰＤＵセッションを取り扱うこと）、特定のＳＭＦ１８３ａ、１８３ｂを選択すること、登録エリアの管理、ＮＡＳシグナリングの終了、モビリティー管理などを担当することができる。ネットワークスライシングは、ＷＴＲＵ１０２ａ、１０２ｂ、１０２ｃによって利用されているサービスのタイプに基づいてＷＴＲＵ１０２ａ、１０２ｂ、１０２ｃのためにＣＮサポートをカスタマイズするためにＡＭＦ１８２ａ、１８２ｂによって使用されることができる。たとえば、超高信頼低遅延（ＵＲＬＬＣ）アクセスに依存するサービス、高度大容量モバイルブロードバンド（ｅＭＢＢ）アクセスに依存するサービス、マシンタイプ通信（ＭＴＣ）アクセスに関するサービス等などの別々の使用事例に関して、別々のネットワークスライスが確立されることができる。ＡＭＦ１８２ａ、１８２ｂは、ＲＡＮ１１３と、ＬＴＥ、ＬＴＥ−Ａ、ＬＴＥ−Ａ  Ｐｒｏなどのその他の無線テクノロジー、および／またはＷｉＦｉなどの非３ＧＰＰアクセステクノロジーを採用しているその他のＲＡＮ（図示せず）との間において切り替えを行うための制御プレーン機能を提供することができる。
【００５９】
ＳＭＦ１８３ａ、１８３ｂは、Ｎ１１インターフェースを介してＣＮ１１５内のＡＭＦ１８２ａ、１８２ｂに接続されることができる。ＳＭＦ１８３ａ、１８３ｂは、Ｎ４インターフェースを介してＣＮ１１５内のＵＰＦ１８４ａ、１８４ｂに接続されることもできる。ＳＭＦ１８３ａ、１８３ｂは、ＵＰＦ１８４ａ、１８４ｂを選択および制御し、ＵＰＦ１８４ａ、１８４ｂを通じたトラフィックの回送を構成することができる。ＳＭＦ１８３ａ、１８３ｂは、その他の機能、たとえば、ＵＥ  ＩＰアドレスを管理することおよび割り当てること、ＰＤＵセッションを管理すること、ポリシー施行およびＱｏＳを制御すること、ダウンリンクデータ通知を提供することなどを実行することができる。ＰＤＵセッションタイプは、ＩＰベース、非ＩＰベース、イーサネットベースなどであることができる。
【００６０】
ＵＰＦ１８４ａ、１８４ｂは、Ｎ３インターフェースを介してＲＡＮ１１３内のｇＮＢ１８０ａ、１８０ｂ、１８０ｃのうちの１つまたは複数に接続されることができ、Ｎ３インターフェースは、ＷＴＲＵ１０２ａ、１０２ｂ、１０２ｃとＩＰ対応デバイスとの間における通信を容易にするために、インターネット１１０などのパケット交換ネットワークへのアクセスをＷＴＲＵ１０２ａ、１０２ｂ、１０２ｃに提供することができる。ＵＰＦ１８４、１８４ｂは、その他の機能、たとえば、パケットを回送および転送すること、ユーザプレーンポリシーを施行すること、マルチホームドＰＤＵセッションをサポートすること、ユーザプレーンＱｏＳを取り扱うこと、ダウンリンクパケットをバッファリングすること、モビリティーアンカリングを提供することなどを実行することができる。
【００６１】
ＣＮ１１５は、その他のネットワークとの通信を容易にすることができる。たとえば、ＣＮ１１５は、ＣＮ１１５とＰＳＴＮ１０８との間におけるインターフェースとしての役割を果たすＩＰゲートウェイ（たとえば、ＩＰマルチメディアサブシステム（ＩＭＳ）サーバ）を含むことができ、またはそうしたＩＰゲートウェイと通信することができる。加えて、ＣＮ１１５は、その他のネットワーク１１２へのアクセスをＷＴＲＵ１０２ａ、１０２ｂ、１０２ｃに提供することができ、その他のネットワーク１１２は、その他のサービスプロバイダによって所有および／または運営されているその他の有線ネットワークおよび／またはワイヤレスネットワークを含むことができる。一実施形態においては、ＷＴＲＵ１０２ａ、１０２ｂ、１０２ｃは、ＵＰＦ１８４ａ、１８４ｂへのＮ３インターフェース、およびＵＰＦ１８４ａ、１８４ｂとＤＮ１８５ａ、１８５ｂとの間におけるＮ６インターフェースを介して、ＵＰＦ１８４ａ、１８４ｂを通じてローカルデータネットワーク（ＤＮ）１８５ａ、１８５ｂに接続されることができる。
【００６２】
図１Ａ〜図１Ｄ、および図１Ａ〜図１Ｄの対応する説明を考慮すると、ＷＴＲＵ１０２ａ〜ｄ、基地局１１４ａ〜ｂ、ｅＮｏｄｅ−Ｂ１６０ａ〜ｃ、ＭＭＥ１６２、ＳＧＷ１６４、ＰＧＷ１６６、ｇＮＢ１８０ａ〜ｃ、ＡＭＦ１８２ａ〜ａｂ、ＵＰＦ１８４ａ〜ｂ、ＳＭＦ１８３ａ〜ｂ、ＤＮ１８５ａ〜ｂ、および／または本明細書において記述されているその他の任意のデバイスのうちの１つまたは複数に関連して本明細書において記述されている機能のうちの１つもしくは複数またはすべては、１つまたは複数のエミュレーションデバイス（図示せず）によって実行されることができる。エミュレーションデバイスは、本明細書において記述されている機能のうちの１つもしくは複数またはすべてをエミュレートするように構成されている１つまたは複数のデバイスであることができる。たとえば、エミュレーションデバイスは、その他のデバイスをテストするために、ならびに／またはネットワークおよび／もしくはＷＴＲＵ機能をシミュレートするために使用されることができる。
【００６３】
エミュレーションデバイスは、ラボ環境において、および／またはオペレータネットワーク環境においてその他のデバイスの１つまたは複数のテストを実施するように設計されることができる。たとえば、１つまたは複数のエミュレーションデバイスは、有線および／またはワイヤレス通信ネットワーク内のその他のデバイスをテストするために通信ネットワークの一部として全体的にまたは部分的に実装／展開されている間に、１つもしくは複数のまたはすべての機能を実行することができる。１つまたは複数のエミュレーションデバイスは、有線および／またはワイヤレス通信ネットワークの一部として一時的に実装および／または展開されている間に、１つもしくは複数のまたはすべての機能を実行することができる。エミュレーションデバイスは、テスティングの目的のために別のデバイスに直接結合されることができ、および／またはオーバージエアワイヤレス通信を使用してテスティングを実行することができる。
【００６４】
１つまたは複数のエミュレーションデバイスは、有線および／またはワイヤレス通信ネットワークの一部として実装／展開されていない間に、すべての機能を含む１つまたは複数の機能を実行することができる。たとえば、エミュレーションデバイスは、テスティングラボラトリー内のテスティングシナリオ、ならびに／または、１つもしくは複数のコンポーネントのテスティングを実施するための展開されていない（たとえば、テスティングの）有線および／もしくはワイヤレス通信ネットワークにおいて利用されることができる。１つまたは複数のエミュレーションデバイスは、テスト機器であることができる。直接ＲＦ結合、および／または、ＲＦ回路（たとえば、１つもしくは複数のアンテナを含むことができる）を介したワイヤレス通信が、エミュレーションデバイスによってデータを送信および／または受信するために使用されることができる。
【００６５】
本明細書において記述されている実施形態におけるＷＴＲＵおよびｅＮＢの使用は、例示的な目的のためのものである。本明細書において記述されている方法は、ＷＴＲＵ、基地局、ＡＰ、ｅＮＢ、ｇＮＢ、ＴＲＰ、または、ワイヤレス通信システムにおいて動作することができるその他の任意のデバイスを含むがそれらには限定されない本明細書において記述されているデバイスのうちのいずれかによって実行されることができる。
【００６６】
１つまたは複数のファクタが、ＷＴＲＵによって経験されるトータルのエンドツーエンドの遅延の一因となる場合がある。これらのファクタは、スケジューリンググラント取得時間、送信タイムインターバル（ＴＴＩ）、処理時間、およびハイブリッド自動再送要求（ＨＡＲＱ）ラウンドトリップタイム（ＲＴＴ）を含むことができるが、それらには限定されない。
【００６７】
要求、グラント、ＨＡＲＱフィードバック、および／またはデータの送信は、ブロックまたはチャンク（いくつかの実施形態においては、たとえば、サブフレームである、またはサブフレームに対応する場合がある）のタイミングで、および／またはそのタイミングに従って行われることができる。これらのブロックまたはチャンク（たとえば、サブフレーム）は、固定されているまたは知られている持続時間（たとえば、１ｍｓ）を有することができる。その持続時間は、ＴＴＩと呼ばれる場合がある。
【００６８】
ＴＴＩは、サブフレーム、複数のサブフレーム、タイムスロット、複数のタイムスロット、シンボル、複数のシンボル、および／または複数の時間サンプルであることができ、またはそれらを含むことができる。ＴＴＩは、ＴＴＩに対応することができる時間を表すために使用されることができる。たとえば、ＴＴＩは、サブフレーム（たとえば、１ｍｓ）、複数のサブフレーム、タイムスロット（たとえば、０．５ｍｓ）、複数のタイムスロット、シンボル、複数のシンボル、時間サンプル（たとえば、Ｔｓ）、および／または複数の時間サンプルのうちの少なくとも１つに対応することができる時間であることができ、またはそれらを含むことができる。Ｔｓという用語は、時間サンプル、および／または時間サンプルに対応する時間を表すために使用されることができる。本明細書において記述されている例および実施形態においては、タイムスロットおよび／またはサブフレームは、ＴＴＩの非限定的な例として使用されることができる。ＴＴＩのその他の例が使用されること、ならびに本明細書において記述されている例および実施形態と依然として整合していることができる。
【００６９】
フィードバック、たとえばＨＡＲＱフィードバックが、たとえば、本明細書において記述されているデバイスのうちのいずれかによって、送信の成功したまたは成功しなかった受信に続いて送信されることができる。フィードバックは、送信の成功したまたは成功しなかった受信をそれぞれ示すことができる肯定応答（ＡＣＫ）または否定応答（ＮＡＣＫ）を含むことができる。
【００７０】
送信者による送信（たとえば、実際の送信またはスケジュールされている送信）と、受信者または意図されている受信者がフィードバックを送信することができるときとの間において時間関係が存在することができる。この関係は、知られている、構成されている、または予想されている時間関係であることができる。たとえば、データが時間ｎにおいて送信および／もしくは受信されるまたはそうされる可能性がある（たとえば、実際に送信および／もしくは受信される、または送信および／もしくは受信されるようにスケジュールされている）場合には、フィードバック（たとえば、ＨＡＲＱフィードバック）が、時間ｎ＋ｘにおいて送信および／または受信されることができ、この場合には、ｘは、ｋ×ＴＴＩに等しいことができる。フィードバックは、データもしくは送信に関するものであることができ、またはデータもしくは送信に対応することができる。フィードバックは、データまたは送信の成功したまたは成功しなかった受信を示すことができる。この例においては、ｋは、４などの整数であることができる。
【００７１】
別の例においては、データが（たとえば、ダウンリンク（ＤＬ）において）サブフレームｎにおいて送信および／もしくは受信されるまたはそうされる可能性がある（たとえば、実際に送信および／もしくは受信される、または送信および／もしくは受信されるようにスケジュールされている）場合には、ＨＡＲＱフィードバック（たとえば、データに関するまたは対応する）が、サブフレームｎ＋４において（たとえば、アップリンク（ＵＬ）において）送信および／または受信されることができる。ｎ＋４ＨＡＲＱまたはフィードバックタイミング（たとえば、タイミング関係）は、たとえば、周波数分割複信（ＦＤＤ）を使用するシステムに適用可能であることができる。別の例においては、時分割複信（ＴＤＤ）を使用するシステムに関しては、ＨＡＲＱタイミングは、ＴＤＤ構成（たとえば、ＵＬ／ＤＬ構成）に依存することができる。
【００７２】
たとえば、時間ｎにおいて送信および／もしくは受信されるまたはそうされる可能性があるデータに関するまたは対応するＨＡＲＱフィードバックは、時間ｎ＋（ｋ×ＴＴＩ）において利用可能であることができ、この場合には、ｋは、ＦＤＤに関しては４、および／またはＴＤＤに関しては少なくとも４であることができ、それは、ＴＤＤ構成に依存することができる。時間ｎは、サブフレームｎであることができる。時間ｎ＋（ｋ×ＴＴＩ）は、サブフレームｎ＋ｋであることができる。
【００７３】
別の例においては、ＤＬ  ＴＴＩ  ｎにおけるＤＬ送信に関するＨＡＲＱフィードバックが、ＤＬ  ＴＴＩ  ｎの後に少なくともｋ×ＤＬ  ＴＴＩであるＵＬ  ＴＴＩにおいて送信および／または受信されることができる。これは、ＤＬ  ＴＴＩ  ｎの後に少なくともｋ×ＤＬ  ＴＴＩである次のＵＬ  ＴＴＩであることができる。
【００７４】
タイムラインは、スケジューリングタイムラインおよび／またはフィードバックタイムライン（たとえば、ＨＡＲＱタイムライン）であることができる。スケジューリングタイムラインは、スケジューリンググラントまたは割り当てが送信または受信されるときと、対応するデータが送信または受信されることができるときとの間における関係を含むことができる。たとえば、ＴＴＩ  ｎにおいて受信されるグラントまたは割り当てに関しては、データは、ＴＴＩ  ｎ＋ｋにおいて受信されることができる。ｋの値は、たとえば、ＤＬ受信に関しては０または１であることができる。ＵＬ送信に関するｋの値は、たとえば、４または少なくとも４などの整数であることができる。例示的なタイムライン関係は、ＴＴＩ  ｎ→ＴＴＩ  ｎ＋ｋによって表されることができる。別の例示的なタイムライン関係は、時間ｎ→時間ｎ＋ｘであることができる。
【００７５】
タイムラインは、ｘまたはｋの第１の値に関する通常のタイムラインとみなされることができる。タイムラインは、ｘまたはｋの第１の値未満であることができるｘまたはｋの第２の値に関する短縮されたタイムラインとみなされることができる。たとえば、ｋは、通常のタイムラインに関しては４、および短縮されたタイムラインに関しては２または３であることができる。短縮されたタイムラインは、通常のタイムラインよりも低い待ち時間を有することができる。
【００７６】
ＷＴＲＵは、セルの受信されたフレームタイミング（たとえば、受信されたＤＬフレームタイミング）に基づいてその受信および／または送信タイミングを調整することができる。セルは、たとえば、基準セルであることができる。ＷＴＲＵは、その受信および／または送信タイミングをセルの受信されたフレームタイミングに同期化することができる。
【００７７】
セルは、プライマリーセル（ＰＣｅｌｌ）、セカンダリーセル（ＳＣｅｌｌ）、またはプライマリーＳＣｅｌｌ（ＰＳＣｅｌｌ）であることができ、それは、いくつかの実施形態においては、キャリアアグリゲーション（ＣＡ）またはデュアル接続とともに使用されることができる。ＰＣｅｌｌは、プライマリーサービングセルであることができる。ＷＴＲＵは、たとえば、少なくとも１つのまたは１つだけのＰＣｅｌｌを有することができる。ＳＣｅｌｌは、セカンダリーサービングセルであることができる。ＷＴＲＵは、少なくとも１つのＳＣｅｌｌを有することができる。ＷＴＲＵは、ＰＣｅｌｌを１つまたは複数のＳＣｅｌｌとアグリゲートすることができ、またはＷＴＲＵは、複数のＳＣｅｌｌをアグリゲートすることができ、これは、たとえば、帯域幅を増やすことができる。ＰＳＣｅｌｌは、プライマリーＳＣｅｌｌであることができる。ＷＴＲＵは、少なくとも１つのＰＳＣｅｌｌを有することができる。たとえば、ＷＴＲＵは、同じメディアアクセス制御（ＭＡＣ）エンティティーに属することができるＳＣｅｌｌのグループごとに１つのＰＳＣｅｌｌを有することができる。ＷＴＲＵは、少なくとも１つのＭＡＣエンティティーを有することができる。ＰＣｅｌｌおよび１つまたは複数のＳＣｅｌｌが、ＭＡＣエンティティーに関連付けられることができる。ＰＳＣｅｌｌおよび１つまたは複数のＳＣｅｌｌが、ＭＡＣエンティティーに関連付けられることができる。
【００７８】
ＷＴＲＵによって受信されるフレームのフレーム境界のタイミングは、ＷＴＲＵの動き、および／またはオシレータドリフトなどのその他のファクタに起因して、時間とともに変わる場合がある。ＷＴＲＵは、たとえば、自律的に、その受信および／または送信タイミングを適宜調整することができる。たとえば、ＷＴＲＵは、セルの受信されたダウンリンクフレームに従って、そのダウンリンク受信タイミングおよび／またはアップリンク送信タイミングを自律的に調整することができ、そのタイミングは変わる場合がある。
【００７９】
ＷＴＲＵは、タイミングアドバンス（ＴＡ）をそのＵＬ送信タイミングに適用することができる。ＷＴＲＵは、ＵＬ時間ユニット（たとえば、サブフレームまたはＴＴＩ）の送信を、対応するＤＬ時間ユニットの始まりよりもいくらかの量の時間（たとえば、適用されるＴＡ）だけ前に開始することができる。たとえば、ＷＴＲＵは、ＵＬサブフレームｎの送信を、対応するＤＬサブフレームｎの開始よりも適用されるＴＡだけ前に開始することができる。ＴＡは、時間サンプル（たとえば、Ｔｓ）または整数個の時間サンプル（たとえば、整数個のＴｓ）などの時間のユニット内にあることができる。ＴＡは、セルサイズに起因して別々の時間にｅＮＢに着信する信号を考慮するために、このようにして適用されることができる。ＴＡは、ＷＴＲＵがｅＮＢから離れている距離を考慮するために、およびＷＴＲＵからの送信をｅＮＢ受信機におけるその他のＷＴＲＵの送信とよりよくアラインすることを可能にするために、より早くまたはより後で送信を行う目的で使用されることができる。たとえば、ＷＴＲＵがｅＮＢに近い場合には、ＷＴＲＵがその信号をより後の時間に送信するように、小さなＴＡが適用されることができる。この例においては、ＷＴＲＵがｅＮＢからさらに遠い距離にある場合には、ＷＴＲＵがその信号をより早い時間に送信するように、より大きなＴＡが適用されることができる。この例におけるようなＴＡの使用は、ｅＮＢが同様の時間に別々の距離においてＷＴＲＵからの信号を受信することを可能にすることができる。
【００８０】
ＷＴＲＵは、ＴＡコマンドを、たとえば、ＷＴＲＵが通信することができる相手のセルまたはｅＮＢから受信することができる。ＴＡコマンドは、ランダムアクセス手順中にｅＮＢから受信されることができる。ＴＡコマンドは、ランダムアクセス手順から独立して受信されることができる。ＴＡコマンドは、ＭＡＣ制御要素（ＣＥ）において受信されることができる。ｅＮＢは、ＴＡコマンドを提供することができ、それによって、時間またはタイムピリオド（たとえば、サブフレームもしくはＴＴＩ）内のまたはそれに対応する１つまたは複数のＷＴＲＵからのＵＬ送信が、名目上は同時にまたは受信時間ウィンドウ内でセルに着信することができる。ＷＴＲＵは、１つまたは複数の受信されたＴＡコマンドを適用して、そのＵＬタイミングを調整することができる。ＴＡコマンドは、ＴＡ値またはＴＡ調整（たとえば、上へまたは下へ）を提供することができる。
【００８１】
ＷＴＲＵは、たとえば、受信されたＴＡコマンドに従って、ＴＡコマンドを受信した後の時間の量にＴＡまたはＴＡ調整を適用することができる。時間の量は、コマンドが受信されるＴＴＩの後の整数個のＴＴＩ（たとえば、６つのＴＴＩ）であることができる。時間の量は、固定されることまたは構成されることができる。ＷＴＲＵは、それが受信するＴＡ値に従ってＴＡを適用することができる。ＷＴＲＵは、調整されたＴＡ（たとえば、ＴＡを調整した後の）であるＴＡを適用することができる。ＷＴＲＵは、それが受信するＴＡ調整に従ってＴＡを調整することができる。たとえば、ＷＴＲＵは、それが受信するＴＡ調整に従って、以前に適用されたＴＡを調整することができ、ＷＴＲＵは次いで、調整されたＴＡを適用および／または使用することができる。「ＴＡ調整を適用すること」および「ＴＡ調整に従ってＴＡを適用すること」というフレーズは、本明細書においては言い換え可能に使用されることができる。ＷＴＲＵがＴＡを適用する時点で、ＷＴＲＵの受信タイミングと送信タイミングとの間における時間差が、適用されるＴＡに設定されることができる。たとえば、それは、適用されるＴＡに厳密に、または適用されるＴＡの認められる許容範囲内で設定されることができる。
【００８２】
ＴＡ（たとえば、適用されるＴＡ）の適用後に、ＷＴＲＵの受信タイミングと送信タイミングとの間における差は、適用されているＴＡから離れていく場合がある。ＷＴＲＵは、その受信タイミングと送信タイミングとの間における時間差が、適用されているＴＡのしきい値または許容値内にあることができるように、その送信タイミングを調整することができる。
【００８３】
ＴＡ調整は、ＴＡステップ値のインクリメントにあることができる。たとえば、ＴＡ調整は、ＴＡステップ値のインクリメントで要求、命令、受信、および／または適用されることができる。ＴＡステップ値は、たとえば、時間サンプル（たとえば、Ｔｓ）の整数倍であることができる。ＴＡステップ値は、たとえば、１６Ｔｓであることができる。１／（３０７２００００）秒のＴｓおよび１６Ｔｓの例示的なＴＡステップ値に関しては、その例示的なＴＡステップ値は、約０．５２ｕｓであろう。
【００８４】
ＴＡコマンドは、適用されるＴＡが増加または減少されるべきであるということを示すことができ、それは、たとえば、ΔＴＡと呼ばれることができる時間の量だけであることができる。ＴＡコマンドは、新たなＴＡを適用して、たとえば、既存の適用されているＴＡを新たな適用されるＴＡと置き換えるよう示すことができる。ＴＡコマンドは、適用されるＴＡに関する新たな値を含むことができる。既存の適用されているＴＡの置き換えは、その既存の適用されているＴＡがゼロである場合に適用可能であることができる。
【００８５】
本明細書において記述されているいくつかの例および実施形態においては、ｅＮＢ、セル、サービングセル、およびコンポーネントキャリア（ＣＣ）は、言い換え可能に使用されること、および／または互いに代用されること、ならびに依然として、本明細書において記述されている例および実施形態と整合していることができる。
【００８６】
上述されているように、ｅＮＢは、ＴＡコマンドをＷＴＲＵへ送信することができる。ＷＴＲＵは、たとえば、干渉または貧弱なチャネル状況に起因して、送信されたＴＡコマンドを受信しない場合がある。ｅＮＢは、ＷＴＲＵがＴＡコマンドを見失っている場合がわからないことがある。ｅＮＢは、ＷＴＲＵが１つまたは複数のＴＡコマンドを見失ったということがわからないので、ｅＮＢは、ＷＴＲＵが使用している適用されているＴＡ（たとえば、正確な適用されているＴＡ）がわからないことがある。
【００８７】
適用されているＴＡは、ＷＴＲＵが、たとえば、そのＵＬタイミングを調整するために適用しているＴＡである場合があり、その場合には、調整は、そのＤＬタイミングに対してであることができる。ＷＴＲＵの適用されているＴＡは、ｅＮＢによってＷＴＲＵへ送信された１つまたは複数の（たとえば、すべての）ＴＡコマンドの合計と同じではない場合がある。本明細書において記述されているいくつかの例および実施形態においては、ＴＡは、適用されているＴＡを表すために使用されることができる。
【００８８】
図２は、互いに通信することができる２つのノードの間における送信および受信タイミングの例２００である。この例においては、ｅＮＢは、それが時間０  ２１０と見るところにおいて２０１で送信を行うことができる。ＷＴＲＵは、たとえば、伝搬遅延に起因して、ｅＮＢの時間０  ２１０よりもｔ１  ２１４という時間の量だけ後に送信を２０２で受信することができる。したがってＷＴＲＵは、その時間０  ２１１を、ｅＮＢの時間０  ２１０においてｅＮＢによって送信されたものをそれが受信する時間であるとみなすことができる。ＷＴＲＵは、ＷＴＲＵの時間０  ２１１においてｅＮＢへ２０３で送信を行うことができる。ｅＮＢは、ＷＴＲＵによる送信よりもｔ２  ２１５という時間の量だけ後にＷＴＲＵからの送信を２０４で受信することができる。この遅延は、たとえば、伝搬遅延に起因する場合もある。結果として、ｅＮＢにおける受信は、時間ｔ１＋ｔ２  ２１６であることができる。これは、たとえば、ＷＴＲＵとｅＮＢとの間における双方向のまたはラウンドトリップの遅延に起因する場合がある。ｔ１およびｔ２の値は、たとえば、チャネル相互性がある場合には、等しいまたはほぼ等しいことがある。
【００８９】
図２の例においては、ｎ  ２１２というｅＮＢ開始時間が使用されることができ、同じ原理が当てはまることができる。たとえば、ＷＴＲＵは、たとえば、伝搬遅延に起因して、ｅＮＢの時間ｎ  ２１２よりもｔ１  ２１８という時間の量だけ後に送信を２０２で受信することができる。したがってＷＴＲＵは、その時間ｎ  ２１３を、ｅＮＢの時間ｎ  ２１２においてｅＮＢによって送信されたものをそれが受信する時間であるとみなすことができる。ＷＴＲＵは、ＷＴＲＵの時間ｎ  ２１３においてｅＮＢへ２０３で送信を行うことができる。ｅＮＢは、ＷＴＲＵによる送信よりもｔ２  ２１９という時間の量だけ後にＷＴＲＵからの送信を２０４で受信することができる。この遅延は、たとえば、伝搬遅延に起因する場合もある。したがってｅＮＢは、ｅＮＢ時間ｎ＋ｔ１＋ｔ２  ２１７においてＷＴＲＵ送信を受信することができる。
【００９０】
上述されているように、ｅＮＢと別々のＷＴＲＵとの間における通信は、別々の遅延を含む場合がある。ＷＴＲＵのセットからの送信が時間ウィンドウ内に収まることが望ましい場合があり、その時間ウィンドウは、たとえば、ｅＮＢの受信ウィンドウであることができる（および／またはそう呼ばれることができる）。上述されているように、ＴＡは、たとえば、いつｅＮＢが送信を受信するかを調整する目的で、いつＷＴＲＵがＵＬにおいて送信を行うかを調整するために使用されることができる。
【００９１】
図３は、ＴＡが適用された状態の送信および受信タイミングの例３００を提供している。この例においては、ｅＮＢ送信３０１からＷＴＲＵ受信３０２までの遅延は、ｔ１  ３１０であることができ、ＷＴＲＵ送信３０３からｅＮＢ受信３０４までの遅延は、ｔ２  ３１１であることができる。ＴＡ３１６は、ＷＴＲＵ受信時間に対するもの（たとえば、それに対して適用または使用されるもの）であることができる。適用されるＴＡ３１６は、たとえば、ＷＴＲＵの時間０での送信３１３のｅＮＢによる受信をｅＮＢの時間０  ３１４とアラインするために、ｔ１＋ｔ２であることができる。ＷＴＲＵは、その時間０での送信３１３（たとえば、ＵＬにおける）を、その時間０での受信３１５（たとえば、ＤＬにおける）よりも前のＴＡ３１６において送信することができる。ｅＮＢは、送信ｔ２を後で受信することができ、それは、ｅＮＢの時間０  ３１４送信時間とアラインすることができる。ｔ１＋ｔ２のＴＡ３１６を使用することによって、ｅＮＢは、ｅＮＢ時間３２３（０＋ｔ１＋ｔ２）−（ｔ１＋ｔ２）においてＷＴＲＵからの送信を受信することができる。ｅＮＢ時間３２３は、ＴＡ（０＋ｔ１＋ｔ２）から、適用されているＴＡ３１６（ｔ１＋ｔ２）を差し引いたものを適用しない受信時間であることができ、それは、この例においてはｅＮＢ時間０  ３１４に等しい。ｅＮＢは、ｅＮＢの時間０  ３１４において３０１で送信を行うことができる。ＷＴＲＵは、ｅＮＢ時間０  ３１４での送信ｔ１  ３１０を後で３０２で受信することができ、ＷＴＲＵは、その時間をＷＴＲＵの受信時間０  ３１５のために使用することができる。
【００９２】
図３の例においては、時間ｎ（たとえば、ｅＮＢ時間ｎ  ３１７、ＷＴＲＵ送信時間ｎ  ３１８、および／またはＷＴＲＵ受信時間ｎ  ３１９）が、時間０の代わりに使用されることができ、同じ原理が当てはまることができる。ＷＴＲＵは、時間ｎ  ３１９におけるＷＴＲＵの受信よりも前のＴＡ３２０において３０３で送信を行うことができる。この例においては、ｅＮＢ送信３０１からＷＴＲＵ受信３０２までの遅延は、ｔ１  ３２２であることができ、ＷＴＲＵ送信３０３からｅＮＢ受信３０４までの遅延は、ｔ２  ３２１であることができる。ｅＮＢは、送信ｔ２を後で受信することができ、それは、ｅＮＢの時間ｎ  ３１７送信時間とアラインすることができる。ｅＮＢは、ｅＮＢ時間３２４において送信を受信することができ、ｅＮＢ時間３２４は、（ｎ＋ｔ１＋ｔ２）−（ｔ１＋ｔ２）であることができ、ｅＮＢ時間ｎに等しいことができる。
【００９３】
図３の例におけるｅＮＢ時間０とのアライメントは、例示的な目的のためのものである。その他の任意の調整またはアライメントのためのＴＡは、本明細書において記述されている例および実施形態と整合していることができる。
【００９４】
ＵＬおよびＤＬは、送信方向の非限定的な例として使用されている。サイドリンクなど、その他の方向が、追加としてまたは代替として使用されること、ならびに依然として、本明細書において記述されている例および実施形態と整合していることができる。
【００９５】
ＷＴＲＵ、またはＷＴＲＵもしくは本明細書において記述されているその他のデバイスのうちのいずれかのＭＡＣエンティティーは、少なくとも１つのタイムアライメントタイマー（ＴＡＴ）を有することおよび／または保持することができる。たとえば、ＷＴＲＵは、１つの（たとえば、それぞれの）タイミングアドバンスグループ（ＴＡＧ）に関してＴＡＴを有することおよび／または保持することができる。ＴＡＧは、同じタイミング基準、同じタイミング基準セル、および／または同じＴＡ値を使用するサービングセルの（たとえば、ＷＴＲＵの）グループであることができ、またはそれを含むことができる。ＴＡＧは、構成されているＵＬを伴うサービングセルのグループであることができ、またはそれを含むことができる。タイミング基準、タイミング基準セル、および／またはＴＡは、構成されているＵＬを伴うセルに当てはまることができる。プライマリーＴＡＧ（ｐＴＡＧ）は、ＰＣｅｌｌまたはＰＳＣｅｌｌを含むＴＡＧであることができる。セカンダリーＴＡＧ（ｓＴＡＧ）は、ＰＣｅｌｌを含まない、および／またはＰＳＣｅｌｌを含まないＴＡＧであることができる。ＷＴＲＵおよびＭＡＣエンティティーは、本明細書において記述されている例および実施形態においては言い換え可能に使用されることができる。
【００９６】
ＴＡＴは、構成されることができ、または構成可能であることができる。ＴＡＴは、ＴＡＧに関連付けられることができる。ＴＡＧは、ＭＡＣエンティティーに関連付けられることができる。ＴＡＴは、ＴＡＧに関連付けられているサービングセルがアップリンクタイムアラインされているとＭＡＣエンティティーがどれぐらい長くみなすかを制御するために使用されることができる。
【００９７】
ＭＡＣエンティティーは、たとえば、ＭＡＣエンティティーがＴＡコマンドを受信した場合に、ＴＡＴを始動または再始動することができる。ＴＡコマンドは、ＭＡＣ−ＣＥまたはランダムアクセス応答（ＲＡＲ）内に含めて受信されることができる。たとえば、ＴＡコマンドは、ランダムアクセス手順中にまたはその後にＲＡＲ内に含めて受信されることができる。たとえば、ＭＡＣエンティティーは、示されるＴＡＧに関連付けられているＴＡＴを始動または再始動することができ、そのＴＡＧは、ＴＡコマンドによって示されることができる。
【００９８】
ＴＡＴは、期限切れになることができる。ＴＡＴは、ＭＡＣエンティティーに関連付けられることができるＴＡＧに関連付けられることができる。ＴＡＴが期限切れになっている場合、たとえば、ＴＡＴが期限切れになっているとＭＡＣエンティティーが決定した場合、またはＴＡＴが期限切れになったとＭＡＣエンティティーがみなした場合には、ＭＡＣエンティティーは、下記を含むがそれらには限定されない少なくとも１つのＴＡＴ期限切れアクションを実行することができる。
【００９９】
たとえば、ＴＡＴが期限切れになったＴＡＧに属することまたはそのＴＡＧに関連付けられることができる１つまたは複数の（たとえば、すべての）サービングセルに関する１つまたは複数の（たとえば、すべての）ＨＡＲＱバッファをフラッシュすること。
【０１００】
たとえば、（たとえば、ＴＡＧがｐＴＡＧであることができる場合に）ＭＡＣエンティティーに関連付けられているすべてのサービングセルに関する１つまたは複数の（たとえば、すべての）ＨＡＲＱバッファをフラッシュすることを含むことができる、１つまたは複数のサービングセルに関する１つまたは複数の（たとえば、すべての）ＨＡＲＱバッファをフラッシュすること。
【０１０１】
１つまたは複数の（たとえば、すべての）サービングセル、たとえば、ＴＡＴが期限切れになった可能性があるＴＡＧに属する１つまたは複数のサービングセルに関して、物理アップリンク制御チャネル（ＰＵＣＣＨ）および／またはサウンディング基準信号（ＳＲＳ）をリリースすること、および／またはリリースするよう無線リソース制御（ＲＲＣ）に通知すること。
【０１０２】
（たとえば、ＴＡＴが期限切れになった可能性があるＴＡＧがｐＴＡＧであることができる場合に）１つまたは複数のサービングセルが、ＭＡＣエンティティーに関連付けられているすべてのサービングセルであることができる場合に、それらの１つまたは複数のサービングセルに関して、ＰＵＣＣＨおよび／またはＳＲＳをリリースすること、および／またはリリースするようＲＲＣに通知すること。
【０１０３】
（たとえば、ＴＡＴが期限切れになった可能性があるＴＡＧがｐＴＡＧであることができる場合に）ＤＬ割り振りのうちの１つもしくは複数（たとえば、いずれか）および／または１つもしくは複数の（たとえば、いずれかの）ＵＬグラントが、ＭＡＣエンティティーに関するものであることができる場合に、それらの割り振りおよび／またはグラントをクリアすること。
【０１０４】
たとえば、ＴＡＴが期限切れになった可能性があるＴＡＧがｐＴＡＧであることができる場合に、ＭＡＣエンティティーに関連付けられることができる１つまたは複数の（たとえば、すべての）ＴＡＴを、期限切れになったとみなすこと。
【０１０５】
ＭＡＣエンティティーにおいて１つまたは複数のＨＡＲＱエンティティーがあることができる。たとえば、構成されているＵＬを有する１つの（たとえば、それぞれの）サービングセルに関してＨＡＲＱエンティティーがあることができる。ＨＡＲＱエンティティーは、たとえば、以前の送信の成功したまたは成功しなかった受信に関するＨＡＲＱフィードバックを待っている間に送信が継続的に生じることを可能にするために、並列であることができる複数のＨＡＲＱプロセスを保持することができる。ＨＡＲＱプロセスは、ＨＡＲＱバッファに関連付けられることができる。
【０１０６】
ＭＡＣエンティティーは、サービングセルが属するＴＡＧに関連付けられているＴＡＴが稼働していない場合には、そのサービングセル上で１つまたは複数のＵＬ送信を実行しないことができる。たとえば、ＭＡＣエンティティーは、このサービングセルが属するＴＡＧに関連付けられているＴＡＴが稼働していない場合には、ランダムアクセスプリアンブル送信を除く、サービングセル上での１つまたは複数のＵＬ送信（たとえば、いずれかのＵＬ送信）を実行しないことができる。「〜に属する」および「〜に関連付けられている」という用語は、本明細書において記述されている例および実施形態においては言い換え可能に使用されることができる。
【０１０７】
ＭＡＣエンティティーは、ｐＴＡＧに関連付けられているＴＡＴが稼働していない場合には、（たとえば、ＭＡＣエンティティーに関連付けられている）サービングセル上での１つまたは複数のＵＬ送信を実行しないことができる。たとえば、ＭＡＣエンティティーは、ｐＴＡＧに関連付けられているＴＡＴが稼働していない場合には、特別なセル（ＳｐＣｅｌｌ）上でのランダムアクセスプリアンブル送信を除く、いずれかのサービングセル上でのＵＬ送信を実行しないことができる。ＳｐＣｅｌｌは、たとえば、ＰＣｅｌｌまたはＰＳＣｅｌｌであることができる。
【０１０８】
ＴＡＴなどのタイマーが始動または再始動された場合には、そのタイマーは、０に、または構成されることができる最大値もしくは期限切れ値に設定されることができる。タイマーは、（たとえば、カウントダウンしている場合には）それがゼロに達したときに、または（たとえば、カウントアップしている場合には）それが最大値もしくは期限切れ値に達したときに、期限切れになることができる。ＴＡＴなどのタイマーは、１つのＴＴＩ（たとえば、それぞれのＴＴＩ）内でまたはその間に調整されること（たとえば、インクリメントまたはデクリメントされること）ができる。たとえば、ＴＡＴは、ＴＴＩまたはサブフレーム内でまたはその間に調整されることができる。ＴＡＴは、たとえば、それぞれのＴＴＩまたはサブフレーム内でまたはその間に調整されることができる。ＴＡＴなどのタイマーは、それが期限切れになった場合もしくは期限切れになることができる場合、期限切れにされた場合、および／またはそれが停止された場合には、稼働していないことができる。
【０１０９】
受信−送信（Ｒｘ−Ｔｘ）時間差は、ＷＴＲＵ、または本明細書において記述されているデバイスのうちのいずれかの受信タイミングと送信タイミングとの間における時間差であることができる。Ｒｘ−Ｔｘ時間差は、適用されているＴＡの値とは異なる場合がある。Ｒｘ−Ｔｘ時間差は、適用されているＴＡに対してオフセットを加えたまたは差し引いたものである場合がある。オフセットは、たとえば、ＷＴＲＵの動き、オシレータドリフト、および／または、ＴＡを適用する際のエラーのうちの少なくとも１つに起因する場合がある。ＷＴＲＵは、そのＲｘ−Ｔｘ時間差を、適用されているＴＡのしきい値または許容値内にあるように調整することができる。ＷＴＲＵは、ＷＴＲＵのＲｘ−Ｔｘ時間差を測定および／または報告するように構成されることができる（たとえば、そうするための構成を受信することができる）。
【０１１０】
ＷＴＲＵは、（たとえば、構成に基づいて）ＷＴＲＵのＲｘ−Ｔｘ時間差を測定すること、および／または、たとえば、ｅＮＢへ報告することができる。ＷＴＲＵは、（たとえば、構成に基づいて）ＷＴＲＵのＲｘ−Ｔｘ時間差を測定すること、および／または、たとえば、周期的に報告することができる。
【０１１１】
例においては、ＷＴＲＵのＲｘ−Ｔｘ時間差は、ＴＷＴＲＵ＿ＲＸ−ＴＷＴＲＵ＿ＴＸと定義されることができる。ＴＷＴＲＵ＿ＲＸは、たとえば、サービングセルからのダウンリンク時間ユニット（たとえば、サブフレームまたは無線フレーム）＃ｉのＷＴＲＵによって受信されるタイミングであることができる。受信されるタイミングは、時間における第１の検知されたパスによって定義されることができる。ＴＷＴＲＵ＿ＴＸは、アップリンク時間ユニット（たとえば、サブフレームまたは無線フレーム）＃ｉのＷＴＲＵ送信タイミングであることができる。基準ポイントは、ＷＴＲＵのＲｘ−Ｔｘ時間差測定のために使用されることができる。たとえば、基準ポイントは、ＷＴＲＵアンテナコネクタであることができる。
【０１１２】
本明細書において記述されている例および実施形態においては、ＴＡ、適用されているＴＡ、ＷＴＲＵのＲｘ−Ｔｘ時間差、Ｒｘ−Ｔｘ時間差、およびＵＬ／ＤＬ時間差は、言い換え可能に使用されること、および／または互いに代用されること、ならびに依然として本開示と整合していることができる。
【０１１３】
例においては、ＵＬ送信（たとえば、フレーム送信）は、（たとえば、時間において）第１の検知されたパスの受信の前であることができる、セル（たとえば、基準セル）からの対応するダウンリンク送信（たとえば、フレーム送信）の受信よりも［（ＮＴＡ＋ＮＴＡｏｆｆｓｅｔ）×Ｔｓ］だけ前に生じることができる。第１の検知されたパスは、セルからの対応するダウンリンク送信から受信されることができる。ＮＴＡは、ＴＡまたは適用されているＴＡであることができる。ＮＴＡｏｆｆｓｅｔは、ＴＡまたは適用されているＴＡからのオフセットであることができる。Ｒｘ−Ｔｘ時間差は、［（ＮＴＡ＋ＮＴＡｏｆｆｓｅｔ）×Ｔｓ］であることができる。
【０１１４】
処理時間は、たとえばＷＴＲＵおよび／またはｅＮｏｄｅＢ（ｅＮＢ）または本明細書において記述されているその他の任意のデバイスにおいてまたはそれらによってデータおよび／または制御シグナリングもしくは情報を処理するために必要とされるまたは使用される時間であることができ、またはそれを含むことができる。データおよび／または制御シグナリングもしくは情報を処理することは、たとえば、データおよび／または制御シグナリングをエンコードすること、デコードすること、解釈すること、理解すること、用意すること、使用すること、および／または適用することであることができ、またはそれらを含むことができる。たとえば、ＤＬデータ受信のための処理時間は、制御シグナリング（たとえば、ＤＬグラント）をデコードしてロケーションを決定すること、および／もしくはデータチャネルに関するパラメータをデコードすること、データチャネルをデコードすることを試みること、データが成功裏に受信されたかどうかを決定すること、受信されたトランスポートブロック（ＴＢ）をより高いレイヤへ配信すること、ならびに／またはＨＡＲＱフィードバックを送信する用意をすることのうちの１つまたは複数を含むことができる（たとえば、それらのための時間を含むことができる）。（たとえば、ＤＬグラントに関する）ＨＡＲＱフィードバックを用意するための処理時間は、ＤＬデータ受信のための処理時間に含まれることができるコンポーネントのうちの１つまたは複数（たとえば、すべて）を含むことができる。
【０１１５】
ＵＬデータ送信のための処理時間は、たとえば、制御シグナリング（たとえば、ＵＬグラント）をデコードしてデータチャネルのためのロケーションおよび／もしくは送信パラメータを決定すること、送信のためのトランスポートブロック（ＴＢ）を用意すること、ならびに／または送信のためのパワーを決定することのうちの１つまたは複数を含むこと（たとえば、それらのための時間を含むこと）ができる。処理時間（たとえば、データ処理時間）は、データのＴＢサイズおよび／またはＴＴＩ長さの関数であること（たとえば、それらに比例していること）ができる。
【０１１６】
図４は、ＴＡが適用された状態の送信および受信タイミングの別の例４００を提供している。図４の例においては、ＷＴＲＵは、時間ｎ  ４１２（たとえば、ＷＴＲＵ  Ｒｘ時間ｎ）においてＤＬグラントを４０１で受信することができる。ＷＴＲＵは、処理時間４１４中にＤＬグラントを処理することができ、ＷＴＲＵは、時間ｎ＋ｘ４１３（たとえば、ＷＴＲＵ  Ｔｘ時間ｎ＋ｘ）においてＨＡＲＱフィードバックを４０２で送信することができる。時間ｎおよび時間ｎ＋ｘは、サブフレーム、スロット、シンボル、ミニスロット、またはＴＴＩのユニット内にあることができる。ｘの値は、たとえば４などの整数であることができる。ＷＴＲＵ  Ｒｘタイミング４１２、４１５およびＷＴＲＵ  Ｔｘタイミング４１０、４１３（たとえば、対応するＴｘタイミング）は、たとえばＴＡ４１１、４１６に起因して、異なる場合がある。Ｒｘ時間ｎ  ４１２とＴｘ時間ｎ＋ｘ  ４１３との間における利用可能な処理時間４１４は、適用されているＴＡ４１６によって影響される場合がある。たとえば、利用可能な処理時間は、たとえば、利用可能な処理時間を決定するための開始点がＷＴＲＵ  Ｒｘ時間ｎ  ４１２の始まりである場合には、ｘ−適用されているＴＡ（またはｘ−ＷＴＲＵのＲｘ−Ｔｘ時間差）であることができる。別の開始点が使用される場合には、利用可能な処理時間４１４は、それに応じて調整されることができる。たとえば、利用可能な処理時間４１４に関する始点は、制御チャネルが受信されることができる時間ユニット（たとえば、ＴＴＩ）の終わり、または制御チャネルが受信されることができる時間ユニットの後の次なる時間ユニットの始まりであることができる。引き算のために、ｘおよび適用されているＴＡ（またはＷＴＲＵのＲｘ−Ｔｘ時間差）は、時間サンプルなどの共通のユニットに変換されることができる。
【０１１７】
いくつかのアプリケーションにおいては、たとえば、待ち時間を低減するために、短いＴＴＩ（本明細書においてはｓＴＴＩとも呼ばれる）が使用されることができる。短いＴＴＩの使用は、たとえば、ＵＬ（たとえば、ＤＬ受信に関連付けられている）および／またはＵＬデータ送信におけるＨＡＲＱフィードバックを生成および／または送信するための利用可能な処理時間を低減する場合がある。
【０１１８】
適用されているＴＡの使用は、利用可能な処理時間を、たとえばさらにいっそう低減する場合がある。より短いＴＴＩに関しては、ＷＴＲＵは、より長いＴＴＩの間にそれがサポートすることができる適用されているＴＡのうちのいくつかの値をサポートすることができない場合がある。
【０１１９】
たとえば、再び図４を参照すると、ＤＬデータ受信またはＵＬグラントに続くＵＬ送信（たとえば、ＨＡＲＱまたはデータ送信）のための利用可能な処理時間は、ｘ−適用されているＴＡであることができる。この例においては、ｘは、４ＴＴＩであることができ、ＴＴＩは、長いＴＴＩに関しては１ｍｓ、およびｓＴＴＩに関しては０．５ｍｓの持続時間を有することができる。結果として生じる利用可能な処理時間は、長いＴＴＩに関しては４ｍｓ−適用されているＴＡ、およびｓＴＴＩに関しては２ｍｓ−適用されているＴＡであることができる。たとえば、ＷＴＲＵが、１ｍｓのデータを処理するために２ｍｓ、および０．５ｍｓのデータを処理するために１ｍｓを必要とする場合には、ＷＴＲＵは、１ｍｓのＴＴＩに関しては２ｍｓの適用されているＴＡ、および０．５ｍｓのＴＴＩに関しては１ｍｓの適用されているＴＡをサポートすることができる。ＷＴＲＵは、ｓＴＴＩを伴って動作する場合のこの低減されたＴＡ能力を取り扱うことを可能にされることができる。ｅＮＢは、それがｓＴＴＩを伴って動作する場合に通信することができる相手のＷＴＲＵのこの低減されたＴＡ能力を取り扱うことを可能にされることができる。
【０１２０】
この低減されたＴＡ能力を取り扱うための１つのアプローチは、ＴＴＩの長さに基づいてＴＡを限定することであることができる。たとえば、ＴＡは、すべてのＷＴＲＵに関して最大値に限定されることができる。
【０１２１】
しかしながら、さらなるファクタおよび／または代替アプローチの考慮は、より最適なソリューションを提供することができる。なぜなら、たとえば、ＷＴＲＵどうしは、別々の処理能力を有することができ、複数のプロセスが処理時間にインパクトを与える可能性があるからである。本明細書において記述されている実施形態は、低減された待ち時間システムおよびその関連した方法においてＴＡおよび処理能力を取り扱うことに関連した下記のアプローチおよびコンセプトを提供する。
【０１２２】
たとえば、ＴＴＩ、トランスポートブロックサイズ（ＴＢＳ）、送信タイプ、送信チャネル、および／またはスケジューリング／ＨＡＲＱタイムラインを含むがそれらには限定されないパラメータに基づくこと（たとえば、それらに基づいて決定されること）ができる、処理能力（ＰＣ）または処理限界（たとえば、処理時間能力もしくは限界、ＴＡ能力もしくは限界、またはＲｘ−Ｔｘ時間差能力もしくは限界）の決定。
【０１２３】
ＰＣ（または限界）表示を決定、提供、受信、および／または使用すること。
【０１２４】
ＰＣ（または限界）構成を決定、提供、受信、および／または使用すること。
【０１２５】
ＰＣまたは限界に対するプロキシミティー（たとえば、ヘッドルーム）を決定すること、および／または示すこと。
【０１２６】
プロキシミティーがしきい値を下回っている、および／またはしきい値を上回っている場合に報告すること。
【０１２７】
ＰＣ（または限界）ヘッドルームを（たとえば、そのレポートを）トリガーすること、および／または報告すること。この場合には、そのレポートは、しきい値が超えられているＴＴＩ内でトリガーおよび／または送信されることができ、これは、たとえば、ＴＴＩおよび／またはＴＢＳとの相関を可能にすることができる。
【０１２８】
ＰＣ（または限界）が破られた場合（たとえば、最大であることができるＰＣ／限界に関しては超過された場合、または最小であることができるＰＣ／限界に関しては下回られた場合）の例外処理。この場合には、例外処理は、処理値（ＰＶ）の上限を設けること（たとえば、ＰＣに対するＰＶを設定すること）、ＵＬ内の１つもしくは複数の送信を（たとえば、短いＴＴＩの間に、複数のＴＴＩ、および／もしくはすべてのＴＴＩの間に）停止すること、タイムアライメントタイマーを（たとえば、全般的に、もしくは短いＴＴＩの間に）停止すること、１つもしくは複数のＨＡＲＱバッファを（たとえば、全般的に、もしくは短いＴＴＩの間に）フラッシュすること、ならびに／または、エラーメッセージもしくはプロキシミティー／ヘッドルームレポートを、たとえば、より長いＴＴＩ長さを伴う送信（たとえば、スケジュールされている場合）もしくは物理ランダムアクセスチャネル（ＰＲＡＣＨ）を使用して送信することを含むことができるが、それらには限定されない。
【０１２９】
ＴＴＩ、チャネル、および／もしくは送信タイプ（たとえば、ＵＣＩ対データ）を優先度付けすること、ならびに／または、少なくとも１つのより低い優先度のＴＴＩ、チャネル、もしくは送信タイプをやめて、（たとえば、ＴＴＩのうちの少なくとも１つに関して）例外条件を満たすのを回避することによって、例外条件を回避すること。ならびに／または、
【０１３０】
サブフレーム未満のＴＴＩ長さを使用する場合にＴＡを適用すること。この場合には、その適用は、サブフレーム内のＴＴＩ（たとえば、ｓＴＴＩ）において（たとえば、サブフレームｎ内の任意の時点で）受信されたＴＡに関してはサブフレームｎ＋６において（たとえば、その始まりで）、および／またはサブフレームｎ＋ｙにおいて、（たとえば、ＴＴＩ長さを問わずに）サブフレームの始まりで行われることができ、この場合には、ｙは、固定されること、構成されること、またはＴＴＩ長さの関数、ＰＣ、および／もしくは、ＤＬ  ＴＴＩとＵＬ  ＴＴＩとの間における時間差分であることができる。
【０１３１】
ＰＣは、構成、決定、および／または使用されることができる。ＰＣは、限界または処理限界であることができる。限界という用語は、処理限界を表すために使用されることができる。
【０１３２】
ＰＣ、ＷＴＲＵ  ＰＣ、またはＷＴＲＵのＰＣというフレーズおよび用語は、本明細書においては言い換え可能に使用されることができる。能力および限界は、本明細書において提供されている実施形態および例において互いに代用されること、および依然として本開示と整合していることができる。
【０１３３】
ＰＵＳＣＨおよびＰＵＣＣＨなどのチャネルは、本明細書においてはＵＬチャネル（たとえば、ＵＬデータおよび制御チャネル）の非限定的な例として使用されている。ＰＵＳＣＨおよびＰＵＣＣＨは、長いＴＴＩ（たとえば、１ｍｓ）またはｓＴＴＩ（たとえば、１ｍｓよりも短い値）とともに使用されることができるチャネルである。その他のチャネル、たとえば、ｓＰＵＳＣＨおよびｓＰＵＣＣＨは、ＰＵＳＣＨおよびＰＵＣＣＨと代用されること、ならびに依然として、本明細書において記述されている例および実施形態と整合していることができる。
【０１３４】
物理ダウンリンク共有チャネル（ＰＤＳＣＨ）および物理ダウンリンク制御チャネル（ＰＤＣＣＨ）などのチャネルは、本明細書においてはＤＬチャネル（たとえば、ＤＬデータおよび制御チャネル）の非限定的な例として使用されている。ＰＤＳＣＨおよびＰＤＣＣＨは、長いＴＴＩ（たとえば、１ｍｓ）または短いＴＴＩ（たとえば、１ｍｓよりも短い値）とともに使用されることができるチャネルである。その他のチャネル、たとえば、ｓＰＤＳＣＨ、ならびに、ｓＰＤＣＣＨ、ｅＰＤＣＣＨ、ｍＰＤＣＣＨ、およびｎＰＤＣＣＨのうちの少なくとも１つは、ＰＤＳＣＨおよびＰＤＣＣＨと代用されること、ならびに依然として、本明細書において記述されている例および実施形態と整合していることができる。
【０１３５】
通常のまたは普通のＴＴＩは、サブフレーム（たとえば、１ｍｓ）に対応することができるＴＴＩであることができる。長いＴＴＩは、通常のまたは普通のＴＴＩであるとみなされることができる。
【０１３６】
ＰＣは、１つのＴＴＩ（たとえば、それぞれのＴＴＩ）内で、または（たとえば、少なくとも１つの）ＴＴＩ（たとえば、それぞれのＴＴＩ）の間に決定されることができる（たとえば、ＷＴＲＵは、処理能力を決定することができる）。
【０１３７】
本明細書において記述されている実施形態においては、ＷＴＲＵは、ＵＬおよび／もしくはＤＬ  ＴＴＩ長さ、ＵＬおよび／もしくはＤＬ  ＴＢＳ、ＵＬ送信（たとえば、フィードバックもしくはデータ）のタイプ、ＵＬ送信（たとえば、ＰＵＣＣＨもしくは物理アップリンク共有チャネル（ＰＵＳＣＨ））のために使用されることができるチャネル、ならびに／またはタイムライン（たとえば、スケジューリングおよび／もしくはＨＡＲＱタイムライン）のうちの少なくとも１つに基づいて、（たとえば、ＷＴＲＵの）ＰＣまたは処理限界を有することができ、それを決定することができ、および／またはそれを伴って構成されることができる。（たとえば、ＷＴＲＵの）ＰＣまたは限界は、代替として、または追加として、複数の処理基準のうちの少なくとも１つなどの少なくとも１つの処理基準に基づくことができ、それらの関数であること（たとえば、それらに比例していること）ができ、それら関連付けられることができ、それらに対応することができ、それらに基づいて（たとえば、ＷＴＲＵによって）決定されることができ、および／またはそれらに基づいて（たとえば、ｅＮＢによって）構成されることができる。たとえば、ＷＴＲＵは、処理基準、たとえば、複数の処理基準のうちの少なくとも１つであることができる少なくとも１つの処理基準に基づいた、それらの関数としての、それらに関連付けられている、および／もしくはそれらに対応するＰＣを有することができ、それを決定することができ、ならびに／またはそれを伴って構成されることができる。ＰＣ構成は、たとえば、ＲＲＣシグナリングおよび／またはブロードキャストシグナリング（たとえば、システム情報内の）などのシグナリングを介して、ｅＮＢによって提供されることができる。さらに、１つのＰＣは、別のＰＣの関数であることができる。たとえば、ＷＴＲＵは、別のＰＣに基づいた、別のＰＣの関数としての、別のＰＣに関連付けられている、および／または別のＰＣに対応するＰＣを有することができ、それを決定することができ、および／またはそれを伴って構成されることができる。ＰＣは、本明細書において記述されている実施形態または例のうちのいずれか、またはそれらの組合せを使用して、ＷＴＲＵによって決定されることができる。
【０１３８】
ＰＣ表示が提供されること、および／または使用されることができる。ＷＴＲＵは、ＷＴＲＵの１つまたは複数の処理能力のセットを、たとえば、ｅＮＢに提供すること（たとえば、送信すること、またはシグナリングすること）ができる。ＷＴＲＵは、ＲＲＣシグナリングなどのシグナリングを介して１つまたは複数の処理能力のセットを提供することができる。
【０１３９】
ＷＴＲＵのＰＣは、下記のうちの少なくとも１つであることができ、またはそれを含むことができる。
【０１４０】
ＴＡ能力（または限界）、たとえば、サポートおよび／または使用されることができるＴＡ。
【０１４１】
最大ＴＡ能力（または限界）、たとえば、サポートおよび／または使用されることができる最大ＴＡ。
【０１４２】
Ｒｘ−Ｔｘ時間差能力（または限界）、たとえば、サポートおよび／または使用されることができるＲｘ−Ｔｘ時間差。
【０１４３】
最大Ｒｘ−Ｔｘ時間差能力（または限界）、たとえば、サポートおよび／または使用されることができる最大Ｒｘ−Ｔｘ時間差。
【０１４４】
処理時間能力（または限界）、たとえば、サポートされること、必要とされること、および／または使用されることができる処理時間。
【０１４５】
最小または最大処理時間能力（または限界）、たとえば、サポートされること、必要とされること、および／または使用されることができる最小または最大処理時間。
【０１４６】
利用可能な処理時間、たとえば、（たとえば、ＵＬ  ＴＴＩ、ＤＬ  ＴＴＩ、および／または、少なくとも１つのＤＬ  ＴＴＩと少なくとも１つのＵＬ  ＴＴＩとの組合せに関する）処理のために利用可能であることができる時間。
【０１４７】
ＴＴＩ（たとえば、ＴＴＩ長さ）能力（または限界）、たとえば、サポートおよび／または使用されることができるＴＴＩ。
【０１４８】
最小ＴＴＩ（たとえば、ＴＴＩ長さ）能力（または限界）、たとえば、サポートおよび／または使用されることができる最小ＴＴＩ。最小ＴＴＩ（たとえば、ＴＴＩ長さ）は、ＴＴＩに関して使用および／もしくは構成されるシンボルの数、ならびに／または使用および／もしくは構成されるサブキャリアスペーシングに基づいて決定されることができる。
【０１４９】
ＴＢＳ能力（または限界）、たとえば、サポートおよび／または使用されることができるＴＢＳ。
【０１５０】
最大ＴＢＳ能力（または限界）、たとえば、サポートおよび／または使用されることができる最大ＴＢＳ。
【０１５１】
タイムライン（たとえば、スケジューリングおよび／またはＨＡＲＱタイムライン）能力（または限界）、たとえば、サポートおよび／または使用されることができるタイムライン（たとえば、ＴＴＩ  ｎ→ＴＴＩ  ｎ＋ｋのタイムライン関係におけるｋの値）。ならびに／または、
【０１５２】
最小タイムライン（たとえば、スケジューリングおよび／またはＨＡＲＱタイムライン）能力（または限界）、たとえば、サポートおよび／または使用されることができる最小タイムライン（たとえば、ＴＴＩ  ｎ→ＴＴＩ  ｎ＋ｋのタイムライン関係におけるｋの最小値）。
【０１５３】
タイムラインは、ＵＬ（たとえば、ＵＬ送信）に関するスケジューリングタイムライン、ＤＬ（たとえば、ＤＬ受信）に関するスケジューリングタイムライン、ＤＬ送信（たとえば、ＤＬデータ受信→ＵＬにおけるＨＡＲＱフィードバック送信）に関するＨＡＲＱタイムライン、および／またはＵＬ送信（たとえば、ＵＬデータ送信→ＤＬにおけるＨＡＲＱフィードバック受信）に関するＨＡＲＱタイムラインのうちの少なくとも１つであることができる。（たとえば、ＤＬにおける）否定的なＨＡＲＱフィードバックに起因する場合がある（たとえば、ＵＬにおける）再送信のためのタイムラインは、スケジューリングタイムラインとみなされることができる。
【０１５４】
ＷＴＲＵは、１つまたは複数のＰＣ、たとえば、少なくとも第１のＰＣおよび第２のＰＣを決定すること、有すること、保持すること、それらを伴って構成されること、および／または使用することができる。第１のＰＣおよび第２のＰＣは、処理基準の別々のセットに基づいて決定されることができる。
【０１５５】
サポートおよび／または使用は、ＷＴＲＵおよび／またはｅＮＢによるものであることができる。
【０１５６】
（たとえば、マイクロ秒、ミリ秒、ナノ秒等などの時間での）ＴＴＩ長さは、構成および／または使用されることができるシンボルの数および／またはサブキャリアスペーシングのうちの少なくとも１つに基づいて（たとえば、ＷＴＲＵによって）決定されることができる。
【０１５７】
本明細書において記述されている実施形態においては、処理基準は、下記のうちの少なくとも１つであることができ、またはそれを含むことができる。
【０１５８】
たとえば、（たとえば、ＴＴＩ構成において、またはＴＴＩ構成に従って）使用および／または構成されることができるＴＴＩまたはＴＴＩ長さ内のシンボルの数であることができるシンボルの数。
【０１５９】
（たとえば、ＵＬおよび／またはＤＬにおける）ＴＴＩ、たとえば、（たとえば、ＵＬおよび／またはＤＬにおける）ＴＴＩ長さ。
【０１６０】
ＤＬにおけるＴＴＩと、ＵＬにおけるＴＴＩとの間における時間差分、たとえば、ＵＬ  ＴＴＩにおけるＵＬ送信をもたらすこと（たとえば、トリガーもしくはスケジュールすること）またはそこに至ることができるＤＬ  ＴＴＩの始まりまたは終わりと、ＵＬ送信が行われることができるＵＬ  ＴＴＩの始まりとの間における時間。
【０１６１】
ＴＢＳ、たとえば、ＴＴＩなどの時間ユニット内でスケジュールされること、許可されること、割り当てられること、送信されること、または受信されることができるＴＢＳ。
【０１６２】
受信および／または送信のために使用されることができるレイヤの数（たとえば、ランク）。
【０１６３】
受信および／または送信のために使用されることができるコードワードの数。
【０１６４】
ＴＴＩなどの時間ユニット内でスケジュールされること、許可されること、割り当てられること、送信されること、または受信されることができる時間／周波数リソース（たとえば、物理リソースブロック（ＰＲＢ））の数。
【０１６５】
ＴＡが当てはまることができる（たとえば、ＵＬにおける）送信に先立つこと、対応すること、および／または至ることができるチャネル（たとえば、ＰＤＳＣＨなどのＤＬチャネル）の受信のために使用されることができるコーディングスキーム（たとえば、畳み込みコーディングまたはターボコーディング）。
【０１６６】
１つまたは複数の送信レイヤを伴うチャネル（たとえば、ＰＤＳＣＨなどのＤＬチャネル）の受信のために使用されることができるＭＩＭＯ受信機スキーム（たとえば、ＭＭＳＥ、ＭＭＳＥ−ＩＲＣ、またはＭＭＳＥ−ＳＩＣ）。
【０１６７】
送信のために使用される波形（たとえば、ＣＰ−ＯＦＤＭまたはＤＦＴ−ｓ−ＯＦＤＭ）、ならびに／または、
【０１６８】
使用または構成されるニューメロロジー（たとえば、ＣＰ長さ、サブキャリアスペーシング）。
【０１６９】
その他の処理基準は、送信タイプ、受信タイプ、チャネルタイプ、および／またはチャネルロケーションであることができ、またはそれらを含むことができるが、それらには限定されない。
【０１７０】
処理基準は、送信タイプ（たとえば、ＵＬ送信タイプ）、たとえば、ＴＡが当てはまることができる送信タイプであることができ、またはそれを含むことができる。送信タイプは、たとえば、制御またはフィードバック送信（たとえば、ＨＡＲＱもしくはＣＳＩフィードバック）、データ送信、および／またはＲＳ送信（たとえば、ＤＭＲＳもしくはＳＲＳ）のうちの少なくとも１つであることができる。
【０１７１】
処理基準は、受信タイプ（たとえば、ＤＬ受信タイプ）、たとえば、ＴＡが当てはまることができる（たとえば、ＵＬにおける）送信に先立つこと、対応すること、および／または至ることができる受信タイプであることができ、またはそれを含むことができる。受信タイプは、たとえば、制御受信（たとえば、ＤＣＩ、ＤＣＩフォーマット、ＤＬグラント、ＵＬグラント、および／もしくは非周期的なＳＲＳトリガー）、データ受信、ならびに／またはＲＳ受信（たとえば、ＣＲＳ、ＤＭＲＳ、ＣＳＩ−ＲＳ）のうちの少なくとも１つであることができる。
【０１７２】
処理基準は、チャネルタイプ（たとえば、ＵＬチャネルタイプ）、たとえば、ＴＡが当てはまることができるチャネルタイプであることができ、またはそれを含むことができる。チャネルタイプは、たとえば、制御チャネル（たとえば、ＰＵＣＣＨなどのＵＬ制御チャネル）、またはデータチャネル（たとえば、ＰＵＳＣＨなどのＵＬデータチャネル）のうちの少なくとも１つであることができる。
【０１７３】
処理基準は、チャネルタイプ（たとえば、ＤＬチャネルタイプ）、たとえば、ＴＡが当てはまることができる（たとえば、ＵＬにおける）送信に対応すること、および／または至ることができる、制御またはデータが受信されることができるチャネルタイプであることができ、またはそれを含むことができる。チャネルタイプは、たとえば、制御チャネル（たとえば、ＰＤＣＣＨなどのＤＬ制御チャネル）、またはデータチャネル（たとえば、ＰＤＳＣＨなどのＤＬデータチャネル）のうちの少なくとも１つであることができる。
【０１７４】
処理基準は、ＴＡが当てはまることができるＵＬ送信に関連付けられることができ、対応することができ、および／または至ることができるＤＬ制御チャネルのチャネルロケーション、たとえば、時間および／または周波数ロケーションであることができ、またはそれを含むことができる。チャネルロケーションは、たとえば、制御領域（たとえば、データが存在することができない時間もしくはシンボル）またはデータ領域（たとえば、データが存在することができる時間もしくはシンボル）のうちの少なくとも１つであることができる。
【０１７５】
処理基準は、構成および／または使用されることができるタイムライン（たとえば、スケジューリングおよび／またはＨＡＲＱタイムライン）であることができ、またはそれを含むことができる。
【０１７６】
処理基準は、構成および／または使用されることができる基準信号タイプまたは構成であることができ、またはそれを含むことができる。
【０１７７】
本明細書において記述されている実施形態においては、ＷＴＲＵは、ＵＬ送信に適用することができる、上で定義されているＰＣ（または限界）を有することができ、決定することができ、および／またはそれを伴って構成されることができる。たとえば、ＰＣ（または限界）は、たとえば、ＵＬ送信に関して、（たとえば、ＷＴＲＵによって）サポートされること、ならびに／または（たとえば、ＷＴＲＵおよび／もしくはｅＮＢによって）使用されることができるＴＡ（たとえば、最大ＴＡ）、Ｒｘ−Ｔｘ時間差（たとえば、最大Ｒｘ−Ｔｘ時間差）、および／またはタイムライン（たとえば、最小スケジューリング、ＨＡＲＱ、もしくはＤＬからＵＬへのタイムライン）であることができる。ＵＬ送信は、ＤＬデータ送信（たとえば、ＰＤＳＣＨ送信）に対応することができるＨＡＲＱフィードバックであることができ、またはそれを含むことができる。ＷＴＲＵは、ＴＴＩ＿ｕｌのＴＴＩを伴ってＵＬチャネル（たとえば、ＰＵＣＣＨまたはＰＵＳＣＨチャネル）上でＨＡＲＱフィードバックを送信することができる。ＵＬ送信は、ＤＬ制御チャネルおよび／またはＤＣＩにおいて受信された可能性があるグラント（たとえば、ＵＬグラント）または割り当てに対応することができるＵＬデータ送信（たとえば、ＰＵＳＣＨ）であることができ、またはそれを含むことができる。
【０１７８】
ＷＴＲＵは、ＴＴＩ＿ｕｌのＴＴＩを伴ってＵＬデータ送信を送信することができる。ＤＬデータ送信に関する、および／またはＤＬ制御チャネル送信に関するＴＴＩは、ＴＴＩ＿ｄｌであることができる。ＴＴＩ＿ｕｌおよびＴＴＩ＿ｄｌは、同じまたは別々のＴＴＩであることができる（たとえば、同じまたは別々の値を有することができる）。
【０１７９】
ＰＤＳＣＨが受信されることができるＴＴＩは、ＴＴＩ＿ｄｌ  Ａと呼ばれることができる。ＰＵＳＣＨに関するＤＬ制御チャネル、ＤＣＩ、グラント、および／または割り当てが受信されることができるＴＴＩは、ＴＴＩ＿ｄｌ  Ｂと呼ばれることができる。ＴＴＩ＿ｄｌ  ＡおよびＴＴＩ＿ｄｌ  Ｂは、同じまたは別々であることができる。ＨＡＲＱフィードバックおよび／またはＰＵＳＣＨが送信されることができるＴＴＩは、ＴＴＩ＿ｕｌ  Ａと呼ばれることができる。
【０１８０】
本明細書において記述されている実施形態においては、さらなる処理基準が使用されることができる。処理基準は、下記のうちの少なくとも１つであることができ、またはそれを含むことができる。
【０１８１】
ＴＴＩ（たとえば、ＴＴＩ＿ｕｌおよび／またはＴＴＩ＿ｄｌ）。
【０１８２】
ＴＴＩ＿ｄｌとＴＴＩ＿ｕｌとの間における（たとえば、ＴＴＩ＿ｄｌ  ＡとＴＴＩ＿ｕｌ  Ａとの間における、ＴＴＩ＿ｄｌ  ＢとＴＴＩ＿ｕｌ  Ａとの間における、ならびに／またはＴＴＩ＿ｕｌ  Ａと、ＴＴＩ＿ｄｌ  ＡおよびＴＴＩ＿ｄｌ  ＢのうちでＴＴＩ＿ｕｌ  Ａに近い方との間における）時間差分。この場合には、時間差分は、たとえば、ＴＡの適用を除いて、ＴＴＩ＿ｄｌの始まり（または終わり）と、ＴＴＩ＿ｕｌの始まりとの間における時間であることができる。
【０１８３】
ＰＤＳＣＨによって搬送されることができるトランスポートブロック（ＴＢ）またはコードワード（ＣＷ）のＴＢＳ（たとえば、実際のＴＢＳまたは最大ＴＢＳ）。
【０１８４】
たとえば、ＤＬ  ＭＩＭＯが使用されることができる場合に、ＷＴＲＵによって必要とされるまたは使用される処理時間にインパクトを与えることができる、（たとえば、ＴＴＩ＿ｄｌ  Ａ中に）ＷＴＲＵによって受信されることができる別のＴＢまたはＣＷのＴＢＳ（たとえば、実際のＴＢＳまたは最大ＴＢＳ）。
【０１８５】
ＷＴＲＵによって受信されることができるＴＢまたはＣＷの数（たとえば、ＴＴＩ＿ｄｌ  Ａ中に受信されることができる数）。
【０１８６】
フィードバック（たとえば、ＨＡＲＱフィードバック）の送信のためにＷＴＲＵによって使用されることができるチャネル（たとえば、ＰＵＣＣＨまたはＰＵＳＣＨ）、たとえば、ＷＴＲＵがフィードバック（たとえば、ＨＡＲＱフィードバック）をＰＵＣＣＨまたはＰＵＳＣＨチャネル上で送信する、送信することになる、または送信することを意図しているかどうかの結果。
【０１８７】
たとえば、ＷＴＲＵがフィードバックを送信することができる場合に、ＴＴＩ内で送信されることができるチャネル（たとえば、ＰＵＣＣＨのみ、ＰＵＳＣＨのみ、またはＰＵＳＣＨおよびＰＵＣＣＨ）のセット。
【０１８８】
たとえば、ＷＴＲＵがフィードバック（たとえば、ＨＡＲＱフィードバック）を送信することができる場合に、ＷＴＲＵが、ＰＵＣＣＨのみ、ＰＵＳＣＨのみ、またはＰＵＳＣＨおよびＰＵＣＣＨの上でＴＴＩ内でＵＬにおいて送信を行う、送信を行うことになる、または送信を行うことを意図しているかどうかの結果。
【０１８９】
ＷＴＲＵがフィードバックを送信することができるＴＴＩ（たとえば、ＴＴＩ＿ｕｌ  Ａ）内でＰＵＳＣＨ送信に関するＵＬグラントをＷＴＲＵが受信した（たとえば、ＷＴＲＵが、ＵＬ送信を用意するためにさらなる時間を必要とする可能性がある）かどうかの結果。
【０１９０】
ＷＴＲＵがフィードバックを送信することができるＴＴＩ内でＰＵＳＣＨ上でＷＴＲＵが送信することができる少なくとも１つのトランスポートブロックのＴＢＳ（または最大ＴＢＳ）。
【０１９１】
ＰＤＳＣＨの受信のために使用されることができるレイヤの数、ＰＲＢの数、および／またはコーディングスキーム。
【０１９２】
ＵＬリソースが割り当てられているまたは許可されているＴＴＩ（たとえば、ＴＴＩ＿ｕｌ  Ａ）内でＰＵＳＣＨ上でＷＴＲＵが送信することができる少なくとも１つのトランスポートブロックのＴＢＳ（または最大ＴＢＳ）。
【０１９３】
ＷＴＲＵがＵＬグラントまたは割り当てを受信したＴＴＩ（たとえば、ＴＴＩ＿ｄｌ  Ｂ）内でＷＴＲＵがＤＬグラントまたは割り当てを受信したかどうか（たとえば、ＷＴＲＵがＵＬ送信の前にＤＬ  ＴＢを処理する必要がある可能性があるかどうか）の結果。
【０１９４】
ＷＴＲＵがＴＴＩ＿ｄｌ  Ｂ内でまたはその後に、およびＴＴＩ＿ｕｌ  Ａの前にＤＬグラントまたは割り当てを受信したかどうか（たとえば、ＷＴＲＵがＵＬ送信の前にＤＬ  ＴＢを処理する必要がある可能性があるかどうか）の結果。
【０１９５】
ＷＴＲＵがＣＰ−ＯＦＤＭ波形またはＤＦＴ−ｓ−ＯＦＤＭ波形に基づいてＰＵＳＣＨを送信することができるかどうかの結果。ならびに／または、
【０１９６】
ＷＴＲＵが第１のニューメロロジー（たとえば、第１のサブキャリアスペーシング）または第２のニューメロロジー（たとえば、第２のサブキャリアスペーシング）に基づいて信号を送信または受信することができるかどうかの結果。
【０１９７】
たとえば、ｘ（たとえば、２つのシンボル、４つのシンボル、または１つのタイムスロット）のＴＴＩ値（たとえば、ＴＴＩ＿ｄｌおよび／またはＴＴＩ＿ｕｌ値）に関しては、ＷＴＲＵは、ｙとしてそれが使用することができ、使用すると予想されることができ、および／またはサポートすることができる最大ＴＡ（または最大Ｒｘ−Ｔｘ時間差）を有することができ、決定することができ、またはそれを伴って構成されることができる。たとえば、ｙの値は、ｘの関数であること、またはｘに比例していることができる。たとえば、ｙは、ｘ／２に等しいことができる。ｙの値は、ＴＢＳの関数、たとえば、ＴＴＩおよびＴＢＳの関数であることができる。
【０１９８】
ＰＣ（または限界）は、１つまたは複数（たとえば、整数個）の時間ユニットで表されることができる。時間ユニットは、サブフレーム、タイムスロット、ミニスロット、ＴＴＩ、シンボル、時間サンプル、整数個のタイムスロットおよび／もしくはミニスロット、整数個のシンボル、分数のシンボル（たとえば、１／２のシンボルもしくは１／４のシンボル）、整数個の時間サンプル、ＴＡステップ、または整数個のＴＡステップであることができ、またはそれらを含むことができるが、それらには限定されない。ＴＡステップは、たとえば、１６個の時間サンプルであることができる。ＰＣは、マイクロ秒および／またはナノ秒などの時間で表されることができ、または表されることもできる。
【０１９９】
ＰＣ、ＴＴＩ、時間ユニット、および／または複数の時間ユニットは、たとえば、決定、構成、提供、および／または報告される場合には、量子化されることができ、および／または値のセット、リスト、もしくはテーブル内の値もしくはそれらへのインデックスによって表されることができる。
【０２００】
ＰＣは、カテゴリーのセット（たとえば、短い、中ぐらい、長い）内のカテゴリー（たとえば、カテゴリーへのインデックス）によって表されることができる。カテゴリーは、ＰＣ値を表すことができる。たとえば、「短い」は、ｘのＰＣを意味することができ、またはｘのＰＣとして定義されることができ、「中ぐらい」は、ｙのＰＣを意味することができ、またはｙのＰＣとして定義されることができ、「長い」は、ｚのＰＣを意味することができ、またはｚのＰＣとして定義されることができる。たとえば、ｘ、ｙ、およびｚは、サポートされること、必要とされること、および／または使用されることができる値、たとえば、最大値または最小値などのＰＣ値であることができ、またはそれらを表すことができる。ｘ、ｙ、およびｚの値は、ｘ＜ｙ＜ｚという関係に従うことができる。
【０２０１】
処理基準は、１つのＴＴＩ（たとえば、それぞれのＴＴＩ）内で、または１つの（たとえば、少なくとも１つの）ＴＴＩ（たとえば、それぞれのＴＴＩ）の間に決定されることができる（たとえば、ＷＴＲＵは、処理基準を決定することができる）。
【０２０２】
ＰＣは、使用されることができる基準信号タイプまたは構成に基づいて決定されることができる。１つまたは複数の基準信号タイプまたは構成は、物理チャネル（たとえば、ＰＤＳＣＨまたはＰＵＳＣＨ）に関して使用されることができ、ＰＣは、構成および／または使用されることができる基準信号タイプまたは構成に基づくことができる。
【０２０３】
本明細書において記述されている実施形態においては、ＷＴＲＵは、（たとえば、ＷＴＲＵの）ＰＣを、たとえば、ｅＮＢに提供すること（たとえば、送ること、シグナリングすること、報告すること、または送信すること）ができる。ＷＴＲＵは、ＰＣを（たとえば、ｅＮＢに）提供するように（たとえば、ｅＮＢによって）構成または要求されることができる。ＷＴＲＵは、ＷＴＲＵの１つまたは複数の能力を提供するようにとの要求に応答してＰＣを提供することができる。ＷＴＲＵは、少なくともＰＣを提供するようにとの要求に応答してＰＣを提供することができる。たとえば、ＷＴＲＵは、そのＰＣをＷＴＲＵ能力メッセージ内に含めることができる。
【０２０４】
いくつかの例および実施形態においては、「提供する」、「送る」、「シグナリングする」、「報告する」、および「送信する」という用語は、言い換え可能に使用されることができる。
【０２０５】
ＷＴＲＵは、処理基準に関連付けられることができる、および／または処理基準に対応することができるＰＣを（たとえば、ｅＮＢに）提供することができる。
【０２０６】
たとえば、ＷＴＲＵは、ＷＴＲＵがサポートすることができる１つまたは複数のＴＴＩ（たとえば、ＴＴＩ長さ）、またはＷＴＲＵがサポートすることができる最小ＴＴＩを提供すること、または示すことができる。ＷＴＲＵは、ＴＴＩまたはサポートされるＴＴＩ（たとえば、それぞれのＴＴＩまたはサポートされるＴＴＩ）に関するＰＣを示すことができる。たとえば、ＷＴＲＵは、ＴＴＩまたはサポートされるＴＴＩに関してＷＴＲＵがサポートすることができる最大ＴＡ、最大Ｒｘ−Ｔｘ時間差、および／または最大ＴＢＳを提供することができる。別の例においては、ＷＴＲＵは、ＴＴＩまたはサポートされるＴＴＩに関してＷＴＲＵが必要とするまたは使用する場合がある最小処理時間を提供することができる。別の例においては、ＷＴＲＵは、ＴＴＩ（ＵＬおよび／またはＤＬ  ＴＴＩ）、ＴＢＳ、送信タイプ、および／またはチャネルタイプのうちの少なくとも１つ（または少なくとも２つの組合せ）に関してＷＴＲＵがサポートすることができる最大ＴＡ（または最大Ｒｘ−Ｔｘ時間差）を提供することができる。
【０２０７】
ＴＴＩ、ＴＴＩ長さ、およびＴＴＩ持続時間は、言い換え可能に使用されることができる。
【０２０８】
別の例においては、ＷＴＲＵは、ＷＴＲＵがサポートすることができる１つまたは複数のタイムライン（たとえば、ＴＴＩ  ｎ→ＴＴＩ  ｎ＋ｋのタイムライン関係におけるｋの値）、またはＷＴＲＵがサポートすることができる最小タイムラインを示すことができる。ＷＴＲＵは、ＷＴＲＵがサポートすることができるタイムラインに関するＰＣを提供することができる。たとえば、ＷＴＲＵは、ＷＴＲＵがサポートすることができるタイムラインに関してＷＴＲＵがサポートすることができる最大ＴＡ、最大Ｒｘ−Ｔｘ時間差、および／または最大ＴＢＳを提供することができる。
【０２０９】
本明細書において記述されている実施形態においては、ＷＴＲＵは、ＰＣ（たとえば、処理限界）を伴って構成されることができ、構成（たとえば、ＰＣ構成）は、ｅＮＢによって提供されること、および／またはＷＴＲＵによって受信されることができる。構成は、ＷＴＲＵ固有のシグナリングおよび／またはセル固有のシグナリング内に含めて提供および／または受信されることができる。シグナリングは、ＲＲＣシグナリングであることができる。シグナリングは、ブロードキャストシグナリングであることができる。たとえば、ＰＣは、システム情報ブロック（ＳＩＢ）などのシステム情報内に含めて提供および／または受信されることができる。
【０２１０】
ＷＴＲＵは、第１のＴＴＩ、たとえば、通常のまたは普通のＴＴＩを使用すること、または使用するように構成されることができる。たとえば、ＷＴＲＵが第２のＴＴＩまたは短いＴＴＩ（ｓＴＴＩ）などのＴＴＩ用に構成されている場合には、ｅＮＢはＰＣを提供することができ、および／またはＷＴＲＵはＰＣを受信することができる。第２のＴＴＩは、第１のＴＴＩよりも短くてよい。ＰＣは、上述されている１つまたは複数の処理基準の関数に基づくこと、それらの処理基準に関連付けられること、および／またはそれらの処理基準に対応することができる。
【０２１１】
基準（ｃｒｉｔｅｒｉａ）および基準（ｃｒｉｔｅｒｉｏｎ）という用語は、本明細書においては言い換え可能に使用されることができる。たとえば、「基準（ｃｒｉｔｅｒｉａ）」は、「基準（ｃｒｉｔｅｒｉｏｎ）」を表すために使用されることができる。
【０２１２】
たとえば、ＷＴＲＵおよび／またはｅＮＢがサポートまたは使用することができる１つまたは複数のＴＴＩ（たとえば、ＴＴＩ長さ）をｅＮＢは提供することができ、および／またはＷＴＲＵは受信することができる。ＷＴＲＵは、ＷＴＲＵが使用することができる１つまたは複数のＴＴＩ（たとえば、ＴＴＩ長さ）を伴って（たとえば、ｅＮＢによって）構成されることができる。ＷＴＲＵは、ＴＴＩまたは構成されるＴＴＩ（たとえば、それぞれのＴＴＩまたは構成されるＴＴＩ）に関するＰＣを伴って構成されることができる。代替として、または追加として、ＷＴＲＵは、たとえば、構成されるＴＴＩに関して、ＷＴＲＵがサポートすることができる（たとえば、サポートする必要がある）最大ＴＡ、最大Ｒｘ−Ｔｘ時間差、および／または最大ＴＢＳを伴って（たとえば、ｅＮＢによって）構成されることができる。代替として、または追加として、ＷＴＲＵは、ＴＴＩ（ＵＬおよび／またはＤＬ  ＴＴＩ）、ＴＢＳ、送信タイプ、および／またはチャネルタイプのうちの少なくとも１つ（または少なくとも２つの組合せ）に関してＷＴＲＵがサポートすることができる（またはサポートする必要がある）最大ＴＡ（または最大Ｒｘ−Ｔｘ時間差）を伴って（たとえば、ｅＮＢによって）構成されることができる。
【０２１３】
代替として、または追加として、ＷＴＲＵは、第１のタイムライン、たとえば、通常のまたは普通のタイムラインを使用すること、または使用するように構成されることができる。この例においては、ＷＴＲＵは、ＷＴＲＵが使用することができる第２のタイムライン（たとえば、短縮されたタイムライン）を伴って（たとえば、ｅＮＢによって）構成されること、またはさらに構成されることができる。
【０２１４】
ＷＴＲＵが第２のタイムラインなどのタイムラインまたは短縮されたＴＴＩ用に構成されることができる場合には、ｅＮＢはＰＣを提供することができ、および／またはＷＴＲＵはＰＣを受信することができる。第２のタイムラインは、第１のタイムラインよりも短くてよい。たとえば、ＷＴＲＵは、たとえば、短縮されたタイムラインであることができる構成されたタイムラインに関してＷＴＲＵがサポートすることができる（たとえば、サポートする必要がある）最大ＴＡ、最大Ｒｘ−Ｔｘ時間差、および／または最大ＴＢＳを伴って（たとえば、ｅＮＢによって）構成されることができる。
【０２１５】
後述されている非網羅的で非排他的な実施形態は、ＰＣに対するＰＶのプロキシミティーに関連している。ＰＣは、限界、またはＷＴＲＵが（たとえば、処理および／または送信に関して）何をすることまたはサポートすることが可能であるかを定義することができる。ＰＶは、たとえば、ＷＴＲＵによって受信された構成および／またはＵＬ／ＤＬグラントに基づいてＷＴＲＵが（たとえば、処理および／または送信に関して）何をすることまたはサポートすることが必要であるかを定義することができる。本明細書において記述されている実施形態においては、ＰＣ（または限界）に対する（たとえば、ＰＶの）プロキシミティーが決定されること、提供されること（たとえば、示されること）、および／または使用されることができる。
【０２１６】
ＰＶは、値、たとえば、処理パラメータの現在のまたは最近の値であることができる。ＰＶは、ＵＬ送信および／またはＤＬ送信（もしくは受信）に関連していることができる。たとえば、処理パラメータは、下記のうちの少なくとも１つであることができ、またはそれを含むことができる。
【０２１７】
ＴＡ（たとえば、適用されているＴＡ）。
【０２１８】
Ｒｘ−Ｔｘ時間差。
【０２１９】
処理時間（たとえば、利用可能であること、および／または使用されることができる処理時間）、たとえば、ＴＴＩ、ＴＴＩ長さ、シンボルの数、ＯＦＤＭシンボルの数、シンボル長さ、サンプルの数、および時間サンプルの数のうちの少なくとも１つに基づく処理時間。
【０２２０】
ＴＴＩ（たとえば、ＴＴＩ長さ）、たとえば、識別、要求、および／または構成されることができるＴＴＩ（たとえば、ＴＴＩ長さ）。
【０２２１】
ＴＢＳ。ならびに／または、
【０２２２】
要求されること、構成されること、ならびに／または準静的に（たとえば、ＲＲＣシグナリングを介して）および／もしくは動的に（たとえば、ＤＣＩにおいて）示されることができるタイムラインまたはタイムライン値（たとえば、ＴＴＩ  ｎ→ＴＴＩ  ｎ＋ｋのタイムライン関係におけるｋの値）。
【０２２３】
ＷＴＲＵは、（たとえば、上で定義されているような）処理パラメータを測定して、その値を決定することができる。ＷＴＲＵは、処理パラメータの１つまたは複数の測定値を平均化および／またはフィルタリングして、その処理パラメータの値を決定することができる。
【０２２４】
ＷＴＲＵは、ＰＣに対するＰＶのプロキシミティーを決定することができる。たとえば、ＰＣに対するＰＶのプロキシミティーは、ＰＶとＰＣとの間における差、たとえば、ＰＶ−ＰＣまたはＰＣ−ＰＶであることができる。ＰＣに対するＰＶのプロキシミティーは、本明細書においてはヘッドルームと呼ばれる場合がある。本明細書において使用されているプロキシミティーという用語は、ＰＣに対するＰＶのプロキシミティー（たとえば、決定されたプロキシミティー）を表すことができる。したがって、プロキシミティーおよびヘッドルームは、言い換え可能に使用されることができる。
【０２２５】
ＰＣは、たとえば、本明細書で１つまたは複数の実施形態または例において記述されているようにＷＴＲＵによって決定されることができる。ＰＣは、たとえば、本明細書で１つまたは複数の実施形態または例において記述されているように構成されること（たとえば、構成内に含めて受信されること）ができる。ＰＣは、ｅＮＢから構成されること（たとえば、構成内に含めて受信されること）ができる。構成の受信は、ＷＴＲＵによるものであることができる。
【０２２６】
ＰＶ、および／またはＰＣに対するＰＶのプロキシミティーは、ＴＴＩ内で、または（たとえば、少なくとも１つの）ＴＴＩの間に（たとえば、ＷＴＲＵによって）決定されることができる。さらに、ＷＴＲＵは、それぞれのＴＴＩ内で、またはそれぞれのＴＴＩの間にＰＶおよび／またはプロキシミティーを決定することができる。
【０２２７】
本明細書において記述されている実施形態においては、ＷＴＲＵは、ＰＶがしきい値比較条件をかなえる（もしくは満たす）ことができる、またはかなえている（もしくは満たしている）ということを（またはその場合を）決定することもできる。ＰＶは、それがしきい値に達した（たとえば、しきい値にある）場合、しきい値を超えた場合、しきい値を超過した場合、および／またはしきい値未満である場合に、しきい値比較条件をかなえる（または満たす）ことができる。ＰＶは、それがしきい値に達することができる（たとえば、しきい値にあることができる）場合、しきい値を超えることができる場合、しきい値を超過することができる場合、および／またはしきい値未満であることができる場合に、しきい値比較条件をかなえる（または満たす）ことができる。
【０２２８】
たとえば、ＷＴＲＵは、ＰＶがしきい値に達することができる（たとえば、しきい値にあることができる）、しきい値を超えることができる、しきい値を超過することができる、および／またはしきい値未満であることができるということを（またはその場合を）決定することができる。ＷＴＲＵは、ＰＶがしきい値比較条件をかなえる（もしくは満たす）ことができる、またはかなえている（もしくは満たしている）場合に（たとえば、そうであるとＷＴＲＵが決定することができる場合に）、たとえば、ｅＮＢへのレポートまたは表示をトリガーまたは提供することができる。レポートまたは表示は、ＰＶがしきい値またはしきい値比較基準をかなえている（または満たしている）ということを示すことができる。
【０２２９】
本明細書において記述されている実施形態においては、ＷＴＲＵは、ＰＶがしきい値比較条件をかなえることができる、満たすことができる、かなえた可能性がある、および／または満たした可能性があるということを示すための、たとえば、ｅＮＢへのレポートまたは表示をトリガーまたは提供することができる。レポートまたは表示は、ＰＶを含むことができる（たとえば、ＰＶの値または値の代表的な表示を含むことができる）。レポートまたは表示は、どのしきい値比較条件がかなえられたか（または満たされたか）を識別することができ、またはその識別を含むことができる。
【０２３０】
本明細書において記述されている実施形態においては、ＷＴＲＵは、ＰＣに対するＰＶのプロキシミティーがしきい値比較条件をかなえる（もしくは満たす）ことができる、またはかなえている（もしくは満たしている）ということを（またはその場合を）決定することができる。ＰＣに対するＰＶのプロキシミティーは、ＰＣに対するＰＶのプロキシミティーがしきい値に達する（たとえば、しきい値にある）ことができる場合もしくはしきい値に達している（たとえば、しきい値にある）場合、しきい値を超えることができる場合もしくは超えている場合、しきい値を超過することができる場合もしくは超過している場合、および／またはしきい値未満であることができる場合もしくはしきい値未満である場合に、しきい値比較条件をかなえる（または満たす）ことができる。たとえば、ＷＴＲＵは、ＰＣに対するＰＶのプロキシミティーがしきい値に達する（たとえば、しきい値にある）ことができるもしくはしきい値に達している（たとえば、しきい値にある）、しきい値を超えることができるもしくは超えている、しきい値を超過することができるもしくは超過している、および／またはしきい値未満であることができるもしくはしきい値未満であるということを（またはその場合を）決定することができる。
【０２３１】
ＷＴＲＵは、条件がかなえられるまたは満たされることになるとＷＴＲＵが決定した場合に（たとえば、その決定が行われる時間ユニットまたはＴＴＩ内でまたはその間に）、条件がかなえられるまたは満たされるとみなすことができる。ＷＴＲＵは、条件がかなえられるまたは満たされることになるとＷＴＲＵが決定した場合に（たとえば、その決定が行われる時間ユニットまたはＴＴＩ内でまたはその間に）、条件がかなえられるまたは満たされると決定することができる。
【０２３２】
本明細書において記述されている実施形態においては、ＷＴＲＵは、たとえば、ＰＣに対するＰＶのプロキシミティーがしきい値比較条件をかなえる（または満たす）ことができる場合に（たとえば、そうであるとＷＴＲＵが決定した場合に）、たとえば、ｅＮＢへのレポートまたは表示をトリガーまたは提供することができる。レポートまたは表示は、ＰＣに対するＰＶのプロキシミティーがしきい値またはしきい値比較基準をかなえた（または満たした）ということを示すことができる。ＷＴＲＵは、ＰＣに対するＰＶのプロキシミティーがしきい値比較条件をかなえることができるもしくはかなえている、満たすことができるもしくは満たしている、かなえた可能性があるもしくはかなえた、および／または満たした可能性があるもしくは満たしたということを示すための、たとえば、ｅＮＢへのレポートまたは表示をトリガーまたは提供することができる。
【０２３３】
本明細書において記述されている実施形態においては、レポートまたは表示は、ＰＶ、ＰＣ、および／または、ＰＣに対するＰＶのプロキシミティーのうちの少なくとも１つを含むことができる（たとえば、それらの値または値の代表的な表示を含むことができる）。レポートまたは表示は、どのしきい値比較条件がかなえられたか（または満たされたか）を識別することができ、またはその識別を含むことができる。
【０２３４】
代替として、または追加として、本明細書において記述されている実施形態においては、ＷＴＲＵは、プロキシミティー条件がかなえられているもしくは満たされている、またはかなえられることができるもしくは満たされることができるということを（またはその場合を）（たとえば、プロキシミティー条件が当てはまっているまたは当てはまることができるということをまたはその場合を）決定することができる。プロキシミティー条件は、下記のうちの少なくとも１つ（または下記のうちの少なくとも１つであるかどうかの結果）であることができる。
【０２３５】
ＰＶは、ＰＣまたはしきい値であるか、またはそれに近くてよい。
【０２３６】
ＰＶは、ＰＣもしくはしきい値（たとえば、第１のしきい値）であるか、もしくはそうであることができ、またはＰＣもしくはしきい値（たとえば、第１のしきい値）を超過しているか、もしくは超過することができる。
【０２３７】
ＰＶは、ＰＣまたはしきい値（たとえば、第２のしきい値）未満であるか、またはそうであることができる。
【０２３８】
ＰＶは、ＰＣのしきい値（たとえば、第１のしきい値）内にあるか、またはそうであることができる。
【０２３９】
ＰＶは、ＰＣからのしきい値（たとえば、第２のしきい値）より大きいか、またはそうであることができる。
【０２４０】
ＰＶは、ＰＣのしきい値（たとえば、第１のしきい値）内にない状態から、ＰＣのしきい値（たとえば、第１のしきい値）内にある状態へ変わっているか、または変わることができる。
【０２４１】
ＰＶは、ＰＣからのしきい値（たとえば、第２のしきい値）より大きくはない状態から、ＰＣからのしきい値（たとえば、第２のしきい値）より大きい状態へ変わっているか、または変わることができる。
【０２４２】
ＰＶは、ＰＣの第１のしきい値内にある状態から、ＰＣからの第２のしきい値より大きい状態へ変わっているか、または変わることができる。
【０２４３】
ＰＶは、ＰＣからの第２のしきい値より大きい状態から、ＰＣの第１のしきい値内にある状態へ変わっているか、または変わることができる。
【０２４４】
（たとえば、ＰＣに対するＰＶの）プロキシミティーは、しきい値（たとえば、第１のしきい値）より大きい状態から、しきい値（たとえば、第１のしきい値）未満である状態へ変わっているか、または変わることができる。
【０２４５】
プロキシミティーは、しきい値（たとえば、第２のしきい値）未満である状態から、しきい値（たとえば、第２のしきい値）より大きい状態へ変わっているか、または変わることができる。
【０２４６】
プロキシミティーは、第１のしきい値未満である状態から、第２のしきい値より大きい状態へ変わっているか、または変わることができる。ならびに／または、
【０２４７】
プロキシミティーは、第２のしきい値より大きい状態から、ＰＣの第１のしきい値未満である状態へ変わっているか、または変わることができる。ＷＴＲＵは、プロキシミティー条件がかなえられるまたは満たされることができる場合に（たとえば、プロキシミティー条件がかなえられるまたは満たされることができるとＷＴＲＵが決定した場合に）、たとえば、ｅＮＢへのレポートまたは表示をトリガーまたは提供することができる。
【０２４８】
本明細書において記述されている実施形態においては、１つまたは複数のしきい値が提供および／または使用されることができる。１つまたは複数のしきい値は、たとえば、ｅＮＢによって、構成されることができる。ＷＴＲＵは、たとえば、ｅＮＢから、１つまたは複数のしきい値（たとえば、１つまたは複数のしきい値の構成）を受信することができる。第１のしきい値は、（たとえば、第１のしきい値比較条件に関する）第１のしきい値比較のために使用されることができる。第２のしきい値は、（たとえば、第２のしきい値比較条件に関する）第２のしきい値比較のために使用されることができる。第１のしきい値および第２のしきい値は、同じであってもよく、または異なってもよい。
【０２４９】
たとえば、しきい値比較条件がかなえられるまたは満たされることができるということを、またはその場合を決定するためにしきい値を使用する場合には、しきい値は、１つまたは複数のオフセットまたはヒステリシス値によって調整されることができる。オフセットまたはヒステリシス値の使用は、たとえば、ＰＶまたはプロキシミティーがしきい値に近い可能性がある場合にＰＶまたはプロキシミティーにおける小さな変化に起因してレポートをトリガーすることを防止することができる。
【０２５０】
１つまたは複数のしきい値は、構成またはサポートされることができるＴＴＩなどのＴＴＩに関連付けられることおよび／または対応することができる。１つまたは複数のしきい値は、ＴＴＩ用にまたはＴＴＩを伴って構成されることができる。
【０２５１】
いくつかの例および実施形態においては、「〜未満」は「〜以下」によって置き換えられることができ、「〜内に」は「〜においてまたは〜内に」によって置き換えられることができ、「〜よりも多い」は「少なくとも〜」によって置き換えられることができ、および／または「〜よりも大きい」は「〜以上」によって置き換えられることができ、依然として、本明細書において記述されている実施形態と整合していることができる。
【０２５２】
「しきい値」という用語は、しきい値の値を表すために使用されることができる。しきい値は、１つまたは複数（たとえば、整数個）の時間ユニットで構成されるおよび／または表されることができる。時間ユニットは、たとえば、シンボル、時間サンプル、整数個のシンボル、分数のシンボル（たとえば、１／２のシンボルもしくは１／４のシンボル）、整数個の時間サンプル、ＴＡステップ、または整数個のＴＡステップであることができる。ＴＡステップは、たとえば１６個の時間サンプルであることができる。しきい値は、マイクロ秒および／またはナノ秒などの時間で構成されるおよび／または表されることができる。
【０２５３】
たとえば、ＷＴＲＵは、ＰＶ（たとえば、ＴＡ、Ｒｘ−Ｔｘ時間差、処理時間、またはタイムライン）がしきい値にあるもしくはしきい値にあることができる、しきい値を超過しているもしくは超過することができる、またはしきい値を下回っているもしくは下回ることができるということを（またはその場合を）決定することができる。決定および／またはＰＶは、現在のＴＴＩまたは来たるＴＴＩなどのＴＴＩに関するものであることができる。決定および／またはＰＶは、ＵＬ  ＴＴＩまたはＵＬ送信（たとえば、来たるもしくは現在のＵＬ  ＴＴＩまたは来たるもしくは現在のＵＬ送信）に関するものであることができる。ＵＬ送信は、来たるまたは現在のＴＴＩに関するものであることができる。しきい値および／またはＰＶは、ＵＬ送信に関連付けられることができる処理時間に基づくことができる。しきい値および／またはＰＶは、ＵＬ送信に先立つことができる１つまたは複数のＤＬ  ＴＴＩに関連付けられることができる受信、処理、および／または処理時間に基づくことができる。ＷＴＲＵは、ＰＶがしきい値にあることができる、しきい値を超過することができる、またはしきい値を下回ることができるということを示すことができる、たとえば、ｅＮＢへのレポートまたは表示をトリガーおよび／または提供することができる。
【０２５４】
別の例においては、ＷＴＲＵは、ＰＣ（たとえば、最大ＴＡ能力もしくは限界、最大Ｒｘ−Ｔｘ時間差能力もしくは限界、処理時間能力もしくは限界、またはタイムライン能力もしくは限界）に対するＰＶ（たとえば、ＴＡ、Ｒｘ−Ｔｘ時間差、処理時間、またはタイムライン）のプロキシミティーがしきい値にあるもしくはあることができる、しきい値を超過しているもしくは超過することができる、またはしきい値を下回っているもしくは下回ることができるということを（またはその場合を）決定することができる。
【０２５５】
決定、プロキシミティー、ＰＶ、および／またはＰＣは、現在のＴＴＩまたは来たるＴＴＩなどのＴＴＩに関するものであることができる。決定、プロキシミティー、ＰＶ、および／またはＰＣは、ＵＬ  ＴＴＩまたはＵＬ送信（たとえば、来たるまたは現在のＵＬ  ＴＴＩまたはＵＬ送信）に関するものであることができる。ＵＬ送信は、来たるまたは現在のＴＴＩに関するものであることができる。しきい値（たとえば、プロキシミティー、ＰＶ、および／またはＰＣに関連付けられることができる）、ＰＶ、および／またはＰＣは、ＵＬ送信に関連付けられることができる処理時間に基づくことができる。しきい値（たとえば、プロキシミティー、ＰＶ、および／またはＰＣに関連付けられることができる）、ＰＶ、および／またはＰＣは、ＵＬ送信に先立つことができる１つまたは複数のＤＬ  ＴＴＩに関連付けられることができる受信、処理、および／または処理時間に基づくことができる。ＷＴＲＵは、ＰＣに対するＰＶのプロキシミティーがしきい値にあるもしくはあることができる、しきい値を超過しているもしくは超過することができる、またはしきい値を下回っているもしくは下回ることができるということを示すことができる、たとえば、ｅＮＢへのレポートまたは表示をトリガーおよび／または提供することができる。
【０２５６】
レポートは、１つまたは複数の表示であることができ、またはそれらを含むことができる。いくつかの例および実施形態においては、レポートおよび表示は、言い換え可能に使用されることができる。本明細書において記述されている実施形態においては、レポートまたは表示は、下記のうちの少なくとも１つであることができ、またはそれを含むことができる。
【０２５７】
ＰＶ（たとえば、現在のもしくは最近のＰＶ）、たとえば、現在のもしくは最近の（たとえば、直近の）適用されているＴＡ、現在のもしくは最近の（たとえば、直近の）Ｒｘ−Ｔｘ時間差（たとえば、測定されたＲｘ−Ｔｘ時間差）、または現在のもしくは最近の（たとえば、直近の）処理時間。
【０２５８】
ＰＣ（たとえば、ＷＴＲＵによって決定されることができる現在の、最近の、または直近のＰＣ）。
【０２５９】
たとえば、レポートもしくは表示の時間（たとえば、ＴＴＩ）、またはレポートもしくは表示が対応することができる時間に対応することができるＰＣに対するＰＶのプロキシミティー（またはヘッドルーム）。
【０２６０】
ＰＣに対するＰＶのプロキシミティー（またはヘッドルーム）、たとえば、現在のまたは最近の（たとえば、直近の）ＰＶおよび／またはＰＣを使用して決定されることができる現在のまたは最近の（たとえば、直近の）プロキシミティー値。
【０２６１】
（たとえば、どの）しきい値が超過されている可能性がある、または超過された可能性があるという表示。
【０２６２】
（たとえば、どの）しきい値比較条件がかなえられた（または満たされた）可能性があるという表示。
【０２６３】
（たとえば、どの）プロキシミティー条件がかなえられた（または満たされた）可能性があるという表示。
【０２６４】
ＴＴＩまたはＴＴＩ長さ、たとえば、しきい値が超過された可能性がある、および／または比較条件もしくはプロキシミティー条件がかなえられた（もしくは満たされた）可能性があるＴＴＩまたはＴＴＩ長さ。ならびに／または、
【０２６５】
レポートまたは表示をトリガーした（たとえば、レポートまたは表示の送信をトリガーした）可能性がある条件の表示。
【０２６６】
レポート内に含まれることができるＰＶ、ＰＣ、プロキシミティー（たとえば、ＰＣに対するＰＶの）、ヘッドルーム、および／またはＴＴＩは、１つまたは複数（たとえば、整数個）の時間ユニットで表されることができる。ＰＶ、ＰＣ、プロキシミティー（たとえば、ＰＣに対するＰＶの）、ヘッドルーム、ＴＴＩ、時間ユニット、および／または複数の時間ユニットは、たとえば、決定、構成、提供、および／または報告される場合には、量子化されることができ、および／または値のセット、リスト、もしくはテーブル内の値もしくはそれらへのインデックスによって表されることができる。
【０２６７】
本明細書において記述されている実施形態においては、レポートまたは表示は、ＲＲＣ、ＭＡＣ、または物理レイヤシグナリングのうちの少なくとも１つを介して提供されることができる。ＲＲＣ、ＭＡＣ、または物理レイヤシグナリングのうちの少なくとも１つを介してレポートまたは表示をＷＴＲＵが提供することができ、および／またはｅＮＢが受信することができる。レポートまたは表示は、ＲＲＣシグナリング、ＭＡＣ制御要素（たとえば、ＭＡＣ−ＣＥ）、ＰＵＣＣＨ、ＵＬ制御情報（ＵＣＩ）、および／またはスケジューリング要求（ＳＲ）のうちの少なくとも１つの中に含めて提供および／または受信されることができる。レポートまたは表示は、そのレポートまたは表示が提供されることができるＴＴＩ（たとえば、ＵＬ  ＴＴＩ）に対応することができる物理レイヤチャネルを使用して提供および／または受信されることができる。レポートまたは表示は、別のＴＴＩ（たとえば、ＵＬ  ＴＴＩ）、たとえば、通常のまたは普通のＴＴＩなどのより長いＴＴＩに対応することができる物理レイヤチャネルを使用して提供および／または受信されることができる。
【０２６８】
本明細書において記述されているものなどのレポートまたは表示は、プロキシミティーレポートまたはヘッドルームレポートと呼ばれる場合がある。ヘッドルームレポートは、タイミングヘッドルームレポートまたはＵＬタイミングヘッドルームレポートであることができる。プロキシミティーレポートは、周期的であること、非周期的であること、および／またはイベントによってトリガーされることができる。レポートの周期性は、たとえば、ｅＮＢによって構成されることができる。プロキシミティーレポートは、たとえば、ＴＴＩ内で、下記のイベントのうちの１つまたは複数が発生しているまたは発生することができる場合に、トリガーおよび／または送信されることができる。
【０２６９】
ＴＴＩ（たとえば、短いＴＴＩ（ｓＴＴＩ））を使用するための構成（たとえば、構成の受信）。
【０２７０】
ＴＴＩまたはＴＴＩ長さ（たとえば、短いＴＴＩまたはＴＴＩ長さ）の構成または再構成（たとえば、構成または再構成の受信）。
【０２７１】
周期的なタイマーが期限切れになっているか、または期限切れになった。
【０２７２】
しきい値比較条件がかなえられているか、またはかなえられることができる。
【０２７３】
プロキシミティー条件がかなえられているか、またはかなえられることができる。
【０２７４】
プロキシミティーレポートを求める非周期的な要求が、（たとえば、ＤＬ制御チャネルおよび／またはＤＣＩまたはＤＣＩフォーマットで）受信されている。
【０２７５】
ＰＶ、ＰＣ、またはプロキシミティーが、たとえば、最後のプロキシミティーレポートが送信された以降に、しきい値よりも多く変わっている。
【０２７６】
しきい値比較条件が、たとえば最後のプロキシミティーレポートが送信された以降に、変わった（たとえば、かなえられている対かなえられていない）。ならびに／または、
【０２７７】
プロキシミティー条件が、たとえば最後のプロキシミティーレポートが送信された以降に、変わった（たとえば、かなえられている対かなえられていない）。
【０２７８】
ＷＴＲＵは、上で識別されたイベントのうちの１つまたは複数が発生しているまたは発生することができる場合に（たとえば、それらのイベントのうちの１つまたは複数が発生することができるとＷＴＲＵが決定した場合に）プロキシミティーレポートをトリガーおよび／または送信することができる。たとえば、ＷＴＲＵは、ＴＴＩ（たとえば、ｓＴＴＩ）を使用するための構成をＷＴＲＵが受信した場合に、および／またはＴＴＩもしくはＴＴＩ長さ（たとえば、ｓＴＴＩもしくはＴＴＩ長さ）の構成もしくは再構成をＷＴＲＵが受信した場合に、プロキシミティーレポートをトリガーおよび／または送信することができる。別の例においては、ＷＴＲＵは、プロキシミティーレポートを求める非周期的な要求の受信に応答してプロキシミティーレポートをトリガーおよび／または送信することができる。
【０２７９】
トリガーおよび／または送信は、タイマー（たとえば、プロキシミティー禁止タイマーなどの禁止タイマー）が期限切れになったかどうかに基づいて条件付けられることができる。タイマーは、プロキシミティーレポートが送信されたときに始動されること（たとえば、０に、または構成されることができる最大値もしくは期限切れ値に設定されること）ができる。タイマーは、たとえば、過剰なプロキシミティーレポートを回避するために、使用されることができる。タイマーは、１つのＴＴＩ（たとえば、それぞれのＴＴＩ）内で調整されること（たとえば、インクリメントまたはデクリメントされること）ができる。タイマー、たとえば、デクリメントされるタイマーは、値が０であることができる場合に期限切れになることができる。タイマー、たとえば、インクリメントされるタイマーは、値が、構成されることができる最大値もしくは期限切れ値に達しているかまたはそれを超過している場合に期限切れになることができる。最大値または期限切れ値は、禁止タイマー最大値または期限切れ値であることができる。
【０２８０】
トリガーおよび／または送信は、（たとえば、ＭＡＣ−ＣＥ内に含めて送信されることができる）プロキシミティーレポートに関するＵＬ送信（たとえば、ＰＵＳＣＨ）内に余地があるかどうかに基づいて条件付けられることができる。
【０２８１】
ＷＴＲＵは、１つのＴＴＩ（たとえば、それぞれのＴＴＩ）内でまたはその間にイベントが発生することができるかどうかを評価および／または決定することができる。ＷＴＲＵは、ＴＴＩ、たとえば、その中でまたはその間にイベントが発生しているかまたは発生することができるとＷＴＲＵが決定するＴＴＩ内でプロキシミティーレポートをトリガーおよび／または送信することができる。ＴＴＩは、ＤＬ  ＴＴＩまたはＵＬ  ＴＴＩであることができる。ＴＴＩは、ｓＴＴＩまたは長いもしくは普通のＴＴＩであることができる。
【０２８２】
図５は、本明細書において記述されている例のうちのいずれかと組み合わせて使用されることができる、一例によるプロキシミティー報告方法５００の例である。図５における方法５００のそれぞれのステップは、別々に示され記述されているが、複数のステップが、示されているのとは異なる順序で、互いに並列に、または互いに同時に実行されることができる。図５の方法は、例示的な目的のためにＷＴＲＵによって実行されるが、それは、ｅＮＢ、ＡＰ、または基地局など、ワイヤレス通信システムにおいて動作する任意のノードによって実行されることもできる。図５の例においては、ＷＴＲＵは、５０１でＴＴＩ構成（たとえば、ｓＴＴＩ構成であることができる）を受信することができる。その構成は、しきい値（たとえば、プロキシミティー報告しきい値）を含むこともできる。そのしきい値は、上の例に従って定義されることができる。ＷＴＲＵは、５０２でＴＴＩまたはｓＴＴＩに関する（たとえば、ＴＴＩまたはｓＴＴＩ構成に関する）ＷＴＲＵのＰＣを決定することができ、それは、たとえば、最大（ｍａｘ）ＴＡ、ｍａｘ  Ｒｘ−Ｔｘ時間差、または上の例において定義されているパラメータのうちのいずれかを含むことができる。ＷＴＲＵは、上の例に従ってＰＣをｅＮＢへ報告することもできる。ＰＣは、少なくとも１つの処理基準（criteria）（たとえば、基準（criterion））に基づいて決定されることができる。処理基準は、（たとえば、ＴＴＩ構成においてもしくはそれに従って）使用および／もしくは構成されることができるＴＴＩもしくはＴＴＩ長さ内のシンボルの数、（ＵＬおよび／もしくはＤＬにおける）ｓＴＴＩ長さ、ＰＤＳＣＨのＴＢＳ（その間に、ＨＡＲＱフィードバックがＵＬ  ｓＴＴＩにおいて送信されることができる）、ＨＡＲＱがＵＬ  ｓＴＴＩにおいて送信されることができるチャネルタイプ（ＰＵＳＣＨもしくはＰＵＣＣＨ）、ＰＤＣＣＨに関するＤＬ  ＴＴＩもしくはＤＬ  ｓＴＴＩと、ＰＵＣＣＨもしくはＰＵＳＣＨに関するＵＬ  ＴＴＩもしくはＵＬ  ｓＴＴＩとの間における時間、または上の例において定義されているその他の処理基準のうちのいずれかを含むことができるが、それらには限定されない。ＷＴＲＵは、５０３でＰＶを決定することができ、それは、たとえば、ＴＡもしくはＲｘ−Ｔｘ時間差、または上の例において定義されているパラメータのうちのいずれかを含むことができる。ＷＴＲＵは、５０４でＰＣに対するＰＶのプロキシミティーを決定すること（たとえば、ＰＣ−ＰＶを決定すること）ができる。ＷＴＲＵは、５０５でプロキシミティー条件がかなえられているかどうかを決定することができ、それは、たとえば、ＰＣに対するＰＶのプロキシミティーがプロキシミティー報告しきい値未満であるかどうかを決定することを含むことができる。プロキシミティー条件がかなえられている場合には、ＷＴＲＵは、５０６でプロキシミティーレポートを送信することができ、それは、プロキシミティー条件の充足に基づいてＰＶ、ＰＣ、および／またはプロキシミティーを報告することを含むことができる。ＷＴＲＵは、ＴＴＩまたはｓＴＴＩ（たとえば、ＵＬ  ＴＴＩまたはｓＴＴＩ）の間に図５のプロセスを実行することができる。ＷＴＲＵは、プロキシミティーレポートを送信したこと（もしくは送信すると決定したこと）に続いて、またはプロキシミティー条件がかなえられていない場合に、５０７で（たとえば、プロセスを）終了することができ、または次のＴＴＩもしくはｓＴＴＩなどの別のＴＴＩもしくはｓＴＴＩの間に（たとえば、プロセスを）繰り返すことができる。繰り返す場合には、ＷＴＲＵは、たとえば、構成（たとえば、ＴＴＩ構成）が変更されていない場合には、たとえば、５０３から開始することができる。ＷＴＲＵは、新たな構成が受信されることができる場合には、５０１から開始することができる。
【０２８３】
図６は、本明細書において記述されている例のうちのいずれかと組み合わせて使用されることができる、別の例によるプロキシミティー報告方法６００の別の例である。図６における方法６００のそれぞれのステップは、別々に示され記述されているが、複数のステップが、示されているのとは異なる順序で、互いに並列に、または互いに同時に実行されることができる。図６の方法は、例示的な目的のためにＷＴＲＵによって実行されるが、それは、ｅＮＢ、ＡＰ、または基地局など、ワイヤレス通信システムにおいて動作する任意のノードによって実行されることもできる。図６の例においては、ＷＴＲＵは、６０１でｓＴＴＩ構成を受信することができる。その構成は、しきい値（たとえば、プロキシミティー報告しきい値）を含むこともできる。そのしきい値は、上の例に従って定義されることができる。ＷＴＲＵは、６０２でＵＬ  ｓＴＴＩに関する少なくとも１つの処理基準（criteria）（たとえば、基準（criterion））を決定することができる。処理基準は、（たとえば、ＴＴＩ構成においてもしくはそれに従って）使用および／もしくは構成されることができるＴＴＩもしくはＴＴＩ長さ内のシンボルの数、（ＵＬおよび／もしくはＤＬにおける）ｓＴＴＩ長さ、ＰＤＳＣＨのＴＢＳ（その間に、ＨＡＲＱフィードバックがＵＬ  ｓＴＴＩにおいて送信されることができる）、ＨＡＲＱがＵＬ  ｓＴＴＩにおいて送信されることができるチャネルタイプ（ＰＵＳＣＨもしくはＰＵＣＣＨ）、ＰＤＣＣＨに関するＤＬ  ｓＴＴＩと、ＰＵＣＣＨもしくはＰＵＳＣＨに関するＵＬ  ｓＴＴＩとの間における時間、または上の例において定義されているその他の処理基準のうちのいずれかを含むことができるが、それらには限定されない。ＷＴＲＵは、少なくとも１つの処理基準に基づいて６０３でＷＴＲＵのＰＣを決定することができ、それは、たとえば、ｍａｘ  ＴＡまたはＲｘ−Ｔｘ時間差を含むことができる。ＷＴＲＵは、ＰＣをｅＮＢへ報告することもできる。ＷＴＲＵは、６０４でＰＶを決定することができ、それは、たとえば、ＴＡまたはＲｘ−Ｔｘ時間差を含むことができる。ＷＴＲＵは、６０５でＰＣに対するＰＶのプロキシミティーを決定すること（たとえば、ＰＣ−ＰＶを決定すること）ができる。ＷＴＲＵは、６０６でプロキシミティー条件がかなえられているかどうかを決定することができ、それは、たとえば、ＰＣに対するＰＶのプロキシミティーがプロキシミティー報告しきい値未満であるかどうかを決定することを含むことができる。プロキシミティー条件がかなえられている場合には、ＷＴＲＵは、６０７でプロキシミティーレポートを送信することができ、それは、プロキシミティー条件の充足に基づいてＰＶ、ＰＣ、および／またはプロキシミティーを報告することを含むことができる。ＷＴＲＵは、ＴＴＩまたはｓＴＴＩ（たとえば、ＵＬ  ＴＴＩまたはｓＴＴＩ）の間に図６のプロセスを実行することができる。ＷＴＲＵは、プロキシミティーレポートを送信したこと（もしくは送信すると決定したこと）に続いて、またはプロキシミティー条件がかなえられていない場合に、６０８で（たとえば、プロセスを）終了することができ、または次のＴＴＩもしくはｓＴＴＩなどの別のＴＴ��もしくはｓＴＴＩの間に（たとえば、プロセスを）繰り返すことができる。繰り返す場合には、ＷＴＲＵは、たとえば、構成（たとえば、ＴＴＩ構成）が変更されていない場合には、たとえば、６０４から開始することができる。ＷＴＲＵは、新たな構成が受信されることができる場合には、６０１から開始することができる。
【０２８４】
上述されているように、ＷＴＲＵは、条件がかなえられることまたは満たされることができるということを（またはその場合を）（たとえば、条件が当てはまることができるということをまたはその場合を）決定することができる。たとえば、条件は、しきい値比較条件、プロキシミティー条件、例外条件、送信保留条件などのうちの少なくとも１つであることができる。ＷＴＲＵは、１つのＴＴＩ（たとえば、それぞれのＴＴＩ）内で、または１つの（たとえば、少なくとも１つの）ＴＴＩ（たとえば、それぞれのＴＴＩ）の間に条件がかなえられることができるということをまたはその場合を決定することができる。「かなえられる」および「満たされる」という用語は、本明細書において記述されている例および実施形態においては言い換え可能に使用されることができる。
【０２８５】
別の実施形態によれば、ＷＴＲＵは、たとえば、例外条件がかなえられているまたはかなえられることができる場合に（たとえば、例外条件がかなえられているまたはかなえられることができるとＷＴＲＵが決定した場合に）、少なくともいくつかのＵＬ送信を実行しないことができる。例外条件は、下記のうちの少なくとも１つ（または下記のうちの少なくとも１つであるかどうかの結果）であることができ、またはそれらを含むことができるが、それらには限定されない。
【０２８６】
ＰＶが、しきい値またはＰＣ（たとえば、サポート、許可、および／または使用されることができる最大値または最大ＰＶであることができるＰＣ）に達しているもしくは達することができるまたは超過しているもしくは超過することができること。
【０２８７】
ＰＣに対するＰＶのプロキシミティーが、ＰＶがしきい値またはＰＣに達することまたはそれを超過することができるということを（たとえば、その値によって）示すこと。
【０２８８】
ＰＣが達せられているもしくは超過されているまたは達せられるもしくは超過されることができること。
【０２８９】
ＰＶがサポートされていないまたはサポートされることができないこと。
【０２９０】
ＰＶが、しきい値またはＰＣ（たとえば、サポート、許可、および／または使用されることができる最小値または最小ＰＶであることができるＰＣ）を下回っているまたは下回ることができること。
【０２９１】
ＰＣに対するＰＶのプロキシミティーが、ＰＶがしきい値またはＰＣを下回ることができるということを（たとえば、その値によって）示すこと。
【０２９２】
送信保留条件は、下記のうちの少なくとも１つ（または下記のうちの少なくとも１つであるかどうかの結果）であることができ、またはそれらを含むことができる。
【０２９３】
タイマー（たとえば、ＴＡＴ）、たとえば、少なくともいくつかのＵＬ送信に関連付けられることができるタイマーが、停止されること、期限切れにされること、または期限切れになったとみなされることができること。
【０２９４】
タイマー（たとえば、ＴＡＴ）、たとえば、ＴＴＩ（たとえば、ＴＴＩ長さ）および／またはＴＡＧに関連付けられることができる（たとえば、それらに関するものであることができる）タイマーが、停止されること、期限切れにされること、または期限切れになったとみなされることができること。
【０２９５】
少なくともいくつかのＵＬ送信、たとえば、ＴＴＩ（たとえば、ＴＴＩ長さ）および／またはＴＡＧに関連付けられることができる（たとえば、それらに関するものであることができる）１つまたは複数のＵＬ送信が、停止または保留されることができること。
【０２９６】
少なくともいくつかのＵＬ送信、たとえば、ＴＴＩ（たとえば、ＴＴＩ長さ）および／またはＴＡＧに関連付けられることができる（たとえば、それらに関するものであることができる）１つまたは複数のＵＬ送信が実行されることができないということをフラグまたはインジケータ（たとえば、送信停止または保留フラグまたはインジケータ）が示すことができること。
【０２９７】
送信保留条件がかなえられているまたはかなえられることができる場合に（たとえば、送信保留条件がかなえられているまたはかなえられることができるとＷＴＲＵが決定した場合に）ＷＴＲＵがいくつかのＵＬ送信を実行しないことができること。
【０２９８】
たとえば、ＷＴＲＵは、ＰＶがしきい値もしくはＰＣに達しているもしくは達することができるかどうか、ＰＶがしきい値もしくはＰＣ（たとえば、最大であることができるＰＣ）を超過しているもしくは超過することができるかどうか、および／またはＰＶがしきい値もしくはＰＣ（たとえば、最小であることができるＰＣ）を下回っているもしくは下回ることができるかどうかを決定することができ、および／または評価することができる。この決定は、ＷＴＲＵによる評価に基づいて行われることができる。ＷＴＲＵは、たとえば、評価に基づいて、ＰＶがしきい値もしくはＰＣに達することができる（たとえば、しきい値もしくはＰＣであることができる、もしくはそれに等しくなることができる）、それを超過することができる、またはそれを下回ることができるということをまたはその場合を決定することができる。ＷＴＲＵは、少なくとも１つのＴＴＩ内でまたはその間に評価および／または決定を行うことができる。ＷＴＲＵは、たとえば、ＵＬ  ＴＴＩの間に評価および／または決定を行うことができる。ＷＴＲＵは、たとえば、ＵＬ  ＴＴＩに関連付けられることができるＤＬ  ＴＴＩ内で評価および／または決定を行うことができる。ＴＴＩ（たとえば、ＵＬ  ＴＴＩ）は、ＰＶおよび／またはＰＣが当てはまることができるＴＴＩであることができる。
【０２９９】
別の例においては、ＷＴＲＵは、第１のＰＶに対する、または第２のＰＶに対する調整をＷＴＲＵが受信するかまたは行った場合に、第１のＰＶに関する評価および／または決定を行うことができる。たとえば、ＷＴＲＵは、ＴＡ（たとえば、適用されているＴＡ）に対する調整をＷＴＲＵが受信した場合に、またはＴＡ（たとえば、適用されているＴＡ）をＷＴＲＵが調整した場合に、ＴＡ（たとえば、適用されているＴＡ）に関する評価を行うことができる。ＷＴＲＵは、ＴＡ（たとえば、適用されているＴＡ）に対する調整をＷＴＲＵが受信した場合に、またはＴＡ（たとえば、適用されているＴＡ）をＷＴＲＵが調整した場合に、Ｒｘ−Ｔｘ時間差に関する評価を行うことができる。
【０３００】
別の例においては、ＷＴＲＵは、たとえば、ＰＶに対する受信および／もしくは適用された調整に、またはＰＶにインパクトを与えることができるタイミング（たとえば、受信および／もしくは送信タイミング）に起因してＰＶが変わった場合に、ＰＶに関する評価および／または決定を行うことができる。
【０３０１】
別の例においては、ＷＴＲＵは、ＰＣに対するＰＶのプロキシミティーを決定することができる。ＷＴＲＵは、ＰＶがＰＣに達している、ＰＣを超過している、またはＰＣを下回っているかどうか、そうであるということ、またはそうである場合を決定および／または評価するために、ＰＣに対するＰＶのプロキシミティー（たとえば、決定されたプロキシミティー）を使用することができる。ＷＴＲＵは、決定されたプロキシミティーが０である場合に、ＰＶがＰＣに達しているということを（またはその場合を）決定することができる。ＷＴＲＵは、決定されたプロキシミティー（たとえば、ＰＣ−ＰＶ）がマイナスである場合に、ＰＶがＰＣを超過しているということを（またはその場合を）決定することができる。ＷＴＲＵは、決定されたプロキシミティー（たとえば、ＰＣ−ＰＶ）がプラスである場合に、ＰＶがＰＣを下回っている（たとえば、超過していない）ということを（またはその場合を）決定することができる。あるいは、ＷＴＲＵは、決定されたプロキシミティー（たとえば、ＰＶ−ＰＣ）がプラスである場合に、ＰＶがＰＣを超過しているということを（またはその場合を）決定することができる。ＷＴＲＵは、決定されたプロキシミティー（たとえば、ＰＶ−ＰＣ）がマイナスであることができる場合に、ＰＶがＰＣを下回っていることができる（たとえば、超過しないことができる）ということを（またはその場合を）決定することができる。
【０３０２】
ＷＴＲＵは、たとえば、条件がかなえられているとＷＴＲＵが決定した場合に、下記のうちの１つまたは複数を行うことができる。
【０３０３】
しきい値、構成された値、最大値、またはＰＣなどの特定の値にＰＶを設定すること（たとえば、ＰＶに関する特定の値を使用すること）、たとえば、サポートされている最大値にＰＶを制限すること。
【０３０４】
たとえば、ＴＴＩ、ＴＴＩ長さ、ならびに／または、ＵＬおよびＤＬ  ＴＴＩ長さの組合せの間に、少なくともいくつかのＵＬ送信を停止すること、保留すること、および／または実行しないこと。
【０３０５】
たとえば、別のＴＴＩ、別のＴＴＩ長さ、ならびに／または、ＵＬおよびＤＬ  ＴＴＩ長さの別の組合せの間に、少なくともいくつかのＵＬ送信を実行すること。
【０３０６】
たとえば、ＴＴＩ、ＴＴＩ長さ、ならびに／または、ＵＬおよびＤＬ  ＴＴＩ長さの組合せの間に、少なくともいくつかのＵＬ送信を修正すること。
【０３０７】
タイマー（たとえば、ＴＡＴ）、たとえば、ＴＡＧ、ＴＴＩ長さ、ならびに／または、ＵＬおよびＤＬ  ＴＴＩ長さの組合せに関連していることができるタイマー（たとえば、ＴＡＴ）を停止すること。
【０３０８】
タイマー（たとえば、ＴＡＴ）、たとえば、ＴＡＧ、ＴＴＩ長さ、ならびに／または、ＵＬおよびＤＬ  ＴＴＩ長さの組合せに関連していることができるタイマー（たとえば、ＴＡＴ）を期限切れになったとみなすこと。
【０３０９】
１つまたは複数のタイマー（たとえば、ＴＡＴ）期限切れアクション、送信停止アクション、および／または送信保留アクションを実行すること。
【０３１０】
たとえば、ＰＶがＰＣに達したまたはＰＣを超過した可能性があるということを示すためのフラグまたはインジケータを設定（またはクリア）し、たとえば、ＰＶがＰＣを下回っていることができるということを示すためのフラグまたはインジケータを設定（またはクリア）すること。
【０３１１】
たとえば、少なくともいくつかのＵＬ送信、たとえば、ＴＴＩ、ＴＴＩ長さ、ならびに／または、ＵＬおよびＤＬ  ＴＴＩ長さの組合せの間のいくつかのＵＬ送信が実行されないことができるということを示すためのフラグまたはインジケータ（たとえば、送信停止または保留フラグまたはインジケータ）を設定（またはクリア）すること。
【０３１２】
たとえば、条件がかなえられることができないＴＴＩ長さ（たとえば、より長いＴＴＩ長さ）を伴う送信を使用して、エラーメッセージおよび／またはプロキシミティーレポートを送信すること。ならびに／または、
【０３１３】
たとえば、ＰＲＡＣＨ送信および／またはランダムアクセス手順を使用して、エラーメッセージもしくは表示および／またはプロキシミティーレポートを送信すること。
【０３１４】
本明細書において記述されている例および実施形態のうちのいくつかにおいては、「設定する」および「クリアする」という用語は、互いに代用されること、および依然として本開示と整合していることができる。
【０３１５】
別の実施形態においては、ＷＴＲＵは、たとえば、条件がかなえられているまたはかなえられることができる場合に、しきい値、構成された値、最大値、またはＰＣなどの特定の値にＰＶを設定することができる。
【０３１６】
ＰＶ、しきい値、および／またはＰＣに関してかなえられることができる条件に関しては、ＷＴＲＵは、たとえば、ＰＶをしきい値に、またはＰＣに設定することができる。たとえば、ＴＡ（たとえば、適用されているＴＡ）が、最大ＴＡに達することができるもしくは達しているまたはそれを超過することができるもしくは超過している場合には、ＷＴＲＵは、ＴＡ（たとえば、適用されるＴＡ）を最大ＴＡに設定または制限することができる。
【０３１７】
ＰＶ、しきい値、および／またはＰＣに関してかなえられることができる条件に関しては、ＷＴＲＵは、たとえば、別のＰＶを特定の値に設定することができる。たとえば、Ｒｘ−Ｔｘ時間差が、最大Ｒｘ−Ｔｘ時間差に達することができるもしくは達しているまたはそれを超過することができるもしくは超過している場合には、ＷＴＲＵは、ＴＡ（たとえば、適用されるＴＡ）を最大ＴＡに設定することができる。ＴＡを最大ＴＡに設定することは、Ｒｘ−Ｔｘ時間差が最大Ｒｘ−Ｔｘ時間差を超過しないようにしておくことができる。
【０３１８】
たとえば、ＷＴＲＵが、少なくともいくつかのＵＬ送信（たとえば、ＰＵＳＣＨおよび／またはＰＵＣＣＨ送信）などの少なくともいくつかの送信に関して第１のＴＴＩ（たとえば、短いＴＴＩ）を使用するように、および、たとえば、第２のＴＴＩ（たとえば、通常のＴＴＩ）を使用しないように構成されることができるという条件で、ＷＴＲＵはＰＶを特定の値に設定することができる。
【０３１９】
たとえば、ＷＴＲＵは、１つの時間ユニット（たとえば、サブフレーム）内の、たとえば、ＷＴＲＵが第１のＴＴＩ（たとえば、短いＴＴＩ）を使用して送信を行うことができる時間ユニット内のＰＶに関しては第１の値（たとえば、特定のまたは上限を設けられた値）を、およびＷＴＲＵが第２のＴＴＩ（たとえば、通常のＴＴＩ）を使用して送信を行うことができる別の時間ユニット（たとえば、サブフレーム）内のＰＶに関しては第２の値（たとえば、普通のまたは上限を設けられていない値）を使用することができる。たとえば、ＷＴＲＵは、上限を設けられているＴＡを１つのサブフレーム内で、たとえば、ＷＴＲＵが第１のＴＴＩ（たとえば、短いＴＴＩ）を使用して送信を行うことができるサブフレーム内で、および上限を設けられていないＴＡを、ＷＴＲＵが第２のＴＴＩ（たとえば、通常のＴＴＩ）を使用して送信を行うことができる別のサブフレーム内で適用することができる。
【０３２０】
たとえば、ＷＴＲＵは、ＴＡ（たとえば、適用されているＴＡ）が最大ＴＡ（適用されているＴＡ）を超過することができるもしくは超過しているとＷＴＲＵが決定した場合、Ｒｘ−Ｔｘ時間差が最大Ｒｘ−Ｔｘ時間差を超過することができるもしくは超過しているとＷＴＲＵが決定した場合、および／または処理時間が最大処理時間を超過することができるもしくは超過しているとＷＴＲＵが決定した場合に、条件がかなえられることができるまたはかなえられていると決定することができる。
【０３２１】
別の例においては、ＷＴＲＵは、たとえば、必要とされることもしくは使用されることができる処理時間（たとえば、最小処理時間）が、利用可能な処理時間を超過することができるもしくは超過している（または利用可能な処理時間が、ＷＴＲＵが必要とすることができるもしくは使用することができる処理時間もしくは最小処理時間未満であることができるもしくはそれ未満である）とＷＴＲＵが決定した場合に、条件がかなえられることができるまたはかなえられていると決定することができる。
【０３２２】
別の例においては、ＷＴＲＵは、決定されること、示されること、要求されること、および／または構成されることができるＴＴＩ（たとえば、ＴＴＩ長さ）が、ＷＴＲＵがサポートすることができる最小ＴＴＩを下回っていることができるとＷＴＲＵが決定することができる場合に、条件がかなえられることができると決定することができる。ＴＴＩは、ｓＴＴＩであることができる。ＴＴＩは、ＵＬ  ＴＴＩおよび／またはＤＬ  ＴＴＩであることができる。最小ＴＴＩは、チャネル（たとえば、ＰＵＳＣＨおよび／またはＰＵＣＣＨ）に関連付けられることができる。最小ＴＴＩは、ＵＬ  ＴＴＩおよびＤＬ  ＴＴＩの組合せに関連付けられることができる。
【０３２３】
別の実施形態においては、ＷＴＲＵは、たとえば、条件がかなえられているまたはかなえられることができる場合に、少なくともいくつかのＵＬ送信（たとえば、現在の、来たる、および／または今後のＵＬ送信）、たとえば、ＰＶおよび／またはＰＣが当てはまることができるＴＴＩおよび／またはＴＴＩ長さの間の１つまたは複数のＵＬ送信を停止すること、保留すること、または実行しないことができる。
【０３２４】
たとえば、ＰＶおよび／またはＰＣに関してかなえられることができるまたはかなえられている条件に関しては、ＷＴＲＵは、ＰＶおよび／またはＰＣが当てはまることができるＴＴＩおよび／またはＴＴＩ長さの間の少なくともいくつかのＵＬ送信を実行しないことができる。それらのＵＬ送信は、ＰＵＳＣＨ、ＰＵＣＣＨ、および／またはＳＲＳのうちの少なくとも１つを含むことができる。ＷＴＲＵは、現在の、来たる、または次のＵＬ  ＴＴＩ、たとえば、ＰＶおよび／またはＰＣが当てはまることができる現在の、来たる、または次のＵＬ  ＴＴＩ（たとえば、ｓＴＴＩ）を伴って開始する少なくともいくつかのＵＬ送信を実行しないことができる。
【０３２５】
ＰＶおよび／もしくはＰＣが第１のＴＴＩおよび／もしくは第１のＴＴＩ長さに当てはまり、ならびに／または第１のＴＴＩもしくは第１のＴＴＩ長さの間に条件がかなえられているもしくはかなえられることができる場合には、ＷＴＲＵは、少なくともいくつかのＵＬ送信、たとえば、ＰＶおよび／もしくはＰＣが当てはまることができない、ならびに／または条件がかなえられていないもしくはかなえられることができない第２のＴＴＩおよび／または第２のＴＴＩ長さの間の１つまたは複数のＵＬ送信を実行することができる。
【０３２６】
本明細書において記述されている実施形態においては、ＷＴＲＵは、条件がかなえられているまたはかなえられることができる場合に（たとえば、条件がかなえられているまたはかなえられることができるとＷＴＲＵが決定した場合に）、下記のうちの少なくとも１つを行うことができる。
【０３２７】
（たとえば、任意のＴＴＩ長さなどのＴＴＩ長さの）いくつかの（たとえば、すべての）ＵＬ送信を、たとえば、再開条件がかなえられるまたはかなえられることができるまで停止すること。
【０３２８】
条件がかなえられているまたはかなえられることができる、ある（たとえば、任意の）ＴＴＩ長さ（またはＤＬ／ＵＬ  ＴＴＩ長さの組合せ）の間のいくつかの（たとえば、すべての）ＵＬ送信を、たとえば、再開条件がかなえられるまたはかなえられることができるまで停止すること。
【０３２９】
ある（たとえば、任意の）ＴＴＩ長さ（またはＤＬ／ＵＬ  ＴＴＩ長さの組合せ）の間のいくつかの（たとえば、すべての）ＵＬ送信を、その中で（またはその間に）条件がかなえられているまたはかなえられることができる（たとえば、その中でまたはその間に、条件がかなえられることができるということが決定されることができる）ＴＴＩの間に停止すること。
【０３３０】
条件がかなえられているまたはかなえられることができる、ある（たとえば、任意の）チャネルに関するいくつかの（たとえば、すべての）ＵＬ送信を、たとえば、再開条件がかなえられるまたはかなえられることができるまで停止すること。ならびに／または、
【０３３１】
ある（たとえば、任意の）チャネルに関するいくつかの（たとえば、すべての）ＵＬ送信を、その中で（またはその間に）条件がかなえられているまたはかなえられることができる（たとえば、その中でまたはその間に、条件がかなえられることができるということが決定されることができる）ＴＴＩの間に停止すること。
【０３３２】
送信を停止および／または保留することは、本明細書においては、送信をスキップすること、送信をやめること、送信を実行しないこと、および／または送信しないことと呼ばれる場合もある。したがって、本明細書において記述されているいくつかの例および実施形態においては、「停止する」、「保留する」、「スキップする」、「やめる」、「実行しない」、および「送信しない」は、言い換え可能に使用されることができる。「送信を実行すること」および「送信すること」は、言い換え可能に使用されることができる。いくつかの例および実施形態においては、「送信しないこと」および「０のパワーを伴って送信すること」は、言い換え可能に使用されることができる。
【０３３３】
停止されることができるＵＬ送信は、現在の、来たる、または今後のＵＬ送信を含むことができる。ＷＴＲＵは、たとえば、条件がかなえられていることに基づいて、条件がかなえられることができるとＷＴＲＵが決定するＴＴＩ（たとえば、第１のＴＴＩ）内のおよび／またはそのＴＴＩを伴って開始するいくつかのＵＬ送信を停止することができる。
【０３３４】
ＷＴＲＵは、たとえば、再開条件がかなえられていることに基づいて（たとえば、再開条件がかなえられているとＷＴＲＵが決定したことに基づいて）いくつかのＵＬ送信を実行または再開することができる。
【０３３５】
下記のうちの少なくとも１つが発生することができるまたは発生した可能性がある場合に（たとえば、そうであるとＷＴＲＵが決定した場合に）、再開条件がかなえられることができる（たとえば、ＷＴＲＵは、再開条件がかなえられていると決定することができる）。
【０３３６】
たとえば、ＷＴＲＵによるＰＲＡＣＨプリアンブル送信（この場合、そのＰＲＡＣＨ送信は、ＰＤＣＣＨ指示によってトリガーまたは開始される）に続く、ランダムアクセス応答内に含めて提供されていた可能性があるＴＡコマンドの受信。
【０３３７】
条件（たとえば、かなえられていた可能性がある条件）がもはやかなえられていないという結果になるＴＡコマンドの受信。
【０３３８】
関連付けられているタイマー（たとえば、ＴＡＴ）などのタイマー（たとえば、ＴＡＴ）の始動または再始動。ならびに／または、
【０３３９】
フラグまたはインジケータ（たとえば、送信停止または保留フラグまたはインジケータ）のクリア（またはリセット）。たとえば、フラグまたはインジケータ（たとえば、送信停止または保留フラグまたはインジケータ）がクリアまたはリセットされた場合に、再開条件がかなえられることができる。
【０３４０】
ＷＴＲＵは、いくつかのＵＬ送信、たとえば、条件がかなえられていることに基づいてそれが停止した可能性がある１つまたは複数のＵＬ送信を、その条件がかなえられていない（またはもはやかなえられていない）場合に実行または再開することができる。
【０３４１】
代替として、または追加として、ＷＴＲＵは、ＵＬ送信のＴＴＩ長さに基づいて１つまたは複数のＵＬ送信を実行することまたは実行しないことができる。ＷＴＲＵは、ＵＬ送信のＴＴＩ長さおよび関連付けられているＤＬ送信のＴＴＩ長さに基づいて１つまたは複数のＵＬ送信を実行することまたは実行しないことができる。（たとえば、ＰＵＣＣＨまたはＰＵＳＣＨ上での）ＵＬ  ＨＡＲＱ送信に関する関連付けられているＤＬ送信は、ＨＡＲＱが送信されることができるＰＤＳＣＨのＴＴＩ長さであることができる。（たとえば、ＰＵＳＣＨ上での）ＵＬデータ送信に関する関連付けられているＤＬ送信は、ＵＬデータチャネルに関するグラント、割り当て、またはスケジューリング情報を提供することができるＤＬ制御チャネル（たとえば、ＰＤＣＣＨ）に関連付けられているＴＴＩ長さであることができる。
【０３４２】
たとえば、ＷＴＲＵは、第１のＴＴＩ長さおよび／または第２のＴＴＩ長さを伴って構成されることおよび／またはそれを伴って動作していることができる。ＷＴＲＵは、条件がかなえられているまたはかなえられることができる第１のＴＴＩ長さ（たとえば、ｓＴＴＩ）を使用することができる（たとえば、ＵＬにおける）送信を停止することができる。ＷＴＲＵは、第２のＴＴＩ長さ（たとえば、ｎＴＴＩ）、たとえば、条件がかなえられることができないまたは条件もしくは条件の評価が当てはまることができないＴＴＩ長さを使用することができる（たとえば、ＵＬにおける）送信を実行することができ、またはそれらの送信を実行し続けることができる。
【０３４３】
ＷＴＲＵは、少なくとも１つのＴＴＩ（たとえば、ｓＴＴＩ）における、たとえば、現在のまたは次のＴＴＩ、たとえば、条件および／または条件のＰＶもしくはＰＣが当てはまることができる現在のまたは次のＤＬまたはＵＬ  ＴＴＩ（たとえば、ｓＴＴＩ）における、および／またはそれを伴って開始するＴＴＩ長さ（たとえば、ｓＴＴＩ）を使用して（たとえば、ＵＬにおいて）送信を行わないことができる。
【０３４４】
図７は、本明細書において記述されている例のうちのいずれかと組み合わせて使用されることができる、別の例による、条件がかなえられているまたはかなえられることができる場合にＵＬ送信を修正するための例示的な方法７００である。ＵＬ送信は、たとえば、例外条件などの条件がかなえられているまたはかなえられることができる場合に、（たとえば、ＷＴＲＵによって）修正されることができる。たとえば、ＷＴＲＵは、ＵＬ送信を（たとえば、複数の時間サンプルまたはシンボルだけ）遅延させることができる。別の例においては、ＷＴＲＵは、ＵＬ送信の一部分を送信しないことができ、それは、送信の始まりにおいて複数の時間サンプルまたはシンボルの送信をやめることまたはスキップすることを含むことができる。図７における方法７００のそれぞれのステップは、別々に示され記述されているが、複数のステップが、示されているのとは異なる順序で、互いに並列に、または互いに同時に実行されることができる。図７の方法は、例示的な目的のためにＷＴＲＵによって実行されるが、それは、ｅＮＢ、ＡＰ、または基地局など、ワイヤレス通信システムにおいて動作する任意のノードによって実行されることもできる。
【０３４５】
図７の例においては、ＷＴＲＵは、７０１で、たとえば、ｓＴＴＩ構成であることができるＴＴＩ構成を受信することができる。その構成は、しきい値を含むこともできる。そのしきい値は、上の例に従って定義されることができる。ＷＴＲＵは、７０２でＴＴＩまたはｓＴＴＩ構成に関するＷＴＲＵのＰＣを決定することができ、それは、たとえば、ｍａｘ  ＴＡ、ｍａｘ  Ｒｘ−Ｔｘ時間差、または、上の例において定義されているパラメータのうちのいずれかを含むことができる。ＷＴＲＵは、上の例に従ってＰＣをｅＮＢへ報告することもできる。ＰＣは、少なくとも１つの処理基準に基づくことができる。処理基準は、（たとえば、ＴＴＩ構成においてもしくはそれに従って）使用および／もしくは構成されることができるＴＴＩもしくはＴＴＩ長さ内のシンボルの数、（ＵＬおよび／もしくはＤＬにおける）ｓＴＴＩ長さ、ＰＤＳＣＨのＴＢＳ（その間に、ＨＡＲＱフィードバックがＵＬ  ｓＴＴＩにおいて送信されることができる）、ＨＡＲＱがＵＬ  ｓＴＴＩにおいて送信されることができるチャネルタイプ（ＰＵＳＣＨもしくはＰＵＣＣＨ）、ＰＤＣＣＨに関するＤＬ  ＴＴＩもしくはＤＬ  ｓＴＴＩと、ＰＵＣＣＨもしくはＰＵＳＣＨに関するＵＬ  ＴＴＩもしくはＵＬ  ｓＴＴＩとの間における時間、または上の例において定義されているその他の処理基準のうちのいずれかを含むことができるが、それらには限定されない。ＷＴＲＵは、７０３でＰＶを決定することができ、それは、たとえば、ＴＡもしくはＲｘ−Ｔｘ時間差、または上の例において定義されているパラメータのうちのいずれかを含むことができる。ＷＴＲＵは、次いで７０４で、ＰＶがＰＣを超過しているまたは超過することになるかどうかを決定することができる。図７の例においては、ＰＶがＰＣを超過しているまたは超過することになる場合には、ＷＴＲＵは、７０５で、ＰＣを超過することを回避するためにその送信を修正することができる。たとえば、ＷＴＲＵは、より低い優先度のＴＴＩ、チャネル、または送信タイプをやめること（すなわち、送信しないこと）を含むがそれには限定されない修正を行うことができる。ＰＶがＰＣを超過している、超過することができる、または超過することになる場合には、ＷＴＲＵは、たとえば、少なくともＰＶ−ＰＣ（たとえば、送信がスキップされることができる次に高いユニットの時間に量子化されたＰＶ−ＰＣ）に対応することができるＵＬ送信の最初のｘ個の時間サンプルまたはシンボルをやめることもできる。ＷＴＲＵは、ＴＴＩまたはｓＴＴＩ（たとえば、ＵＬ  ＴＴＩまたはｓＴＴＩ）の間に図７のプロセスを実行することができる。ＷＴＲＵは、ＰＣを超過することを回避するためにその送信を修正したこと（もしくは修正すると決定したこと）に続いて、またはＰＶがＰＣを超過していないまたは超過することにならない場合に、７０６で（たとえば、プロセスを）終了することができ、または次のＴＴＩもしくはｓＴＴＩなどの別のＴＴＩもしくはｓＴＴＩの間に（たとえば、プロセスを）繰り返すことができる。繰り返す場合には、ＷＴＲＵは、たとえば、構成（たとえば、ＴＴＩ構成）が変更されていない場合には、たとえば、７０３から開始することができる。ＷＴＲＵは、新たな構成が受信されることができる場合には、７０１から開始することができる。
【０３４６】
別の例においては、ＷＴＲＵが、ｘ個の時間サンプルの最大ＴＡまたはＲｘ−Ｔｘ時間差をサポートすることができ、かつ現在のＴＡまたはＲｘ−Ｔｘ時間差がｙ個の時間サンプル（たとえば、ｙ＞ｘ）である場合には、ＷＴＲＵは、ＴＡ、最大ＴＡ、Ｒｘ−Ｔｘ時間差、および／または最大Ｒｘ−Ｔｘ時間差のうちの少なくとも１つが当てはまることができるＵＬ送信であることができるＵＬ送信の最初のｚ個の時間サンプルまたは最初のｑ個のシンボルを送信しないことができる。そのＵＬ送信は、（たとえば、ＴＡまたはＲｘ−Ｔｘ時間差に関する）例外条件がかなえられているまたはかなえられることができるＴＴＩ（たとえば、ｓＴＴＩ）を伴う送信であることができる。ＷＴＲＵは、たとえば、ｙがｘよりも大きい場合には、最初のｚ個の時間サンプルまたは最初のｑ個のシンボルを送信しないことができる。
【０３４７】
ｚの値は、ｙ−ｘであることができる。あるいは、ｚの値は、ｙ−ｘ＋オフセット（たとえば、＋１または−１）であることができる。オフセットは、固定または構成されることができる。ｑの値は、ｚに対応することができる次に高い整数個のシンボルであることができる。たとえば、ｑの値は、ＣＥＩＬ［ｚ／（シンボルあたりの時間サンプルの数）］であることができる。
【０３４８】
天井関数、ＣＥＩＬ［ｘ］は、数（たとえば、実数）ｘを後続の最も小さい整数にマップすることができる。たとえば、ＣＥＩＬ［２．２］は３であることができる。
【０３４９】
さらなる例においては、ＷＴＲＵが必要とすることができるまたは使用することができる処理時間は、ｙであることができる（たとえば、ＰＶはｙに等しくなることができる）。利用可能な処理時間は、ｘであることができる（たとえば、ＰＣはｘに等しくなることができる）。ＷＴＲＵは、ＵＬ送信、たとえば、処理時間および／または利用可能な処理時間が当てはまるＵＬ送信の最初のｚ（たとえば、ｙ−ｘ）個の時間サンプルまたは最初のｑ個のシンボルを送信しないことができる。ＷＴＲＵは、たとえば、ｙがｘよりも大きい場合には、最初のｚ個の時間サンプルまたは最初のｑ個のシンボルを送信しないことができる。ＵＬ送信は、例外条件（たとえば、ＰＶ＞ＰＣ）が当てはまるまたは当てはまることができるＴＴＩ（たとえば、ｓＴＴＩ）を伴う送信であることができる。
【０３５０】
タイマー（たとえば、ＴＡＴ）、フラグ、および／またはインジケータが、構成、提供、および／または使用されることができる。フラグは、送信停止または保留フラグであることができる。インジケータは、送信停止または保留インジケータであることができる。
【０３５１】
タイマー（たとえば、ＴＡＴ）は、ＴＴＩ（たとえば、ＴＴＩ長さ）、たとえば、ＴＡＧのＴＴＩ（たとえば、ＴＴＩ長さ）に関連付けられることおよび／またはそれ用に構成されることができる。ＴＡＴは、タイマーの非限定的な例として使用されることができる。
【０３５２】
フラグまたはインジケータ、たとえば、停止または保留送信フラグまたはインジケータは、ＴＴＩ（たとえば、ＴＴＩ長さ）、たとえば、ＴＡＧのＴＴＩ（たとえば、ＴＴＩ長さ）に関連付けられることおよび／またはそれ用に構成されることができる。インジケータは、たとえば、フラグであることまたはフラグを含むことができる。フラグまたはインジケータは、少なくともいくつかのＵＬ送信、たとえば、ＴＴＩ（たとえば、ＴＴＩ長さ）に関連付けられることができるＵＬ送信を停止または保留するように示すために設定されることができる。
【０３５３】
ＷＴＲＵまたは（たとえば、ＷＴＲＵの）ＭＡＣエンティティーは、ＴＴＩ（たとえば、ＴＴＩ長さ）、たとえば、ＴＡＧのＴＴＩ（たとえば、ＴＴＩ長さ）に関連付けられることおよび／またはそれ用に構成されることができる少なくとも１つのタイマーおよび／または少なくとも１つのインジケータを有することおよび／または保持することができる。
【０３５４】
ＷＴＲＵは、たとえば、条件がかなえられることができる場合に、タイマーを停止することまたはそれを期限切れになったとみなすことができる。ＷＴＲＵは、たとえば、本明細書において記述されている１つまたは複数の例および／または実施形態に従って、タイマーを停止することまたはそれを期限切れになったとみなすことができる。
【０３５５】
タイマー（たとえば、ＴＡＴ）期限切れアクション、送信停止アクション、および／または送信保留アクションは、下記のうちの少なくとも１つであることができ、またはそれを含むことができる。
【０３５６】
たとえば、条件がかなえられることができるまたはタイマー（たとえば、ＴＡＴ）が期限切れになった可能性がある１つまたは複数のＴＴＩまたはＴＴＩ長さ（たとえば、すべてのＴＴＩまたはＴＴＩ長さ）の間に１つまたは複数の（たとえば、すべての）ＨＡＲＱバッファをフラッシュすること。
【０３５７】
１つまたは複数のＴＴＩまたはＴＴＩ長さ（たとえば、ｎＴＴＩを除くすべてのＴＴＩまたはＴＴＩ長さ）の間に、たとえば、条件がかなえられているもしくはかなえられることができるまたはタイマー（たとえば、ＴＡＴ）が期限切れになった可能性があるＴＡＧに関して、１つまたは複数の（たとえば、すべての）ＨＡＲＱバッファをフラッシュすること。
【０３５８】
たとえば、条件がかなえられることができるまたはタイマー（たとえば、ＴＡＴ）が期限切れになった可能性がある１つまたは複数のＴＴＩまたはＴＴＩ長さ（たとえば、すべてのＴＴＩまたはＴＴＩ長さ）の間にＰＵＣＣＨ（たとえば、ｓＰＵＣＣＨ）および／またはＳＲＳ（たとえば、ｓＳＲＳ）をリリースすること、および／またはリリースするようＲＲＣに通知すること。
【０３５９】
１つまたは複数のＴＴＩまたはＴＴＩ長さ（たとえば、ｎＴＴＩを除くすべてのＴＴＩまたはＴＴＩ長さ）の間に、たとえば、条件がかなえられることができるまたはタイマー（たとえば、ＴＡＴ）が期限切れになった可能性があるＴＡＧに関して、ＰＵＣＣＨ（たとえば、ｓＰＵＣＣＨ）および／またはＳＲＳ（たとえば、ｓＳＲＳ）をリリースすること、および／またはリリースするようＲＲＣに通知すること。
【０３６０】
ＤＬ割り振りのうちの１つもしくは複数（たとえば、いずれか）および／または１つもしくは複数の（たとえば、いずれかの）ＵＬグラントを、それらの割り振りおよび／またはグラントが、たとえば、条件がかなえられることができるまたはタイマー（たとえば、ＴＡＴ）が期限切れになった可能性がある１つまたは複数のＴＴＩまたはＴＴＩ長さ（たとえば、すべてのＴＴＩまたはＴＴＩ長さ）に関するものであることができる場合に、クリアすること。ならびに／または、
【０３６１】
ＤＬ割り振りのうちの１つもしくは複数（たとえば、いずれか）および／または１つもしくは複数の（たとえば、いずれかの）ＵＬグラントを、それらの割り振りおよび／またはグラントが、１つまたは複数のＴＴＩまたはＴＴＩ長さ（たとえば、ｎＴＴＩを除くすべてのＴＴＩまたはＴＴＩ長さ）に関するもの、たとえば、条件がかなえられることができるまたはタイマー（たとえば、ＴＡＴ）が期限切れになった可能性があるＴＡＧに関するものであることができる場合に、クリアすること。
【０３６２】
１つまたは複数のＨＡＲＱバッファは、ＴＴＩまたはＴＴＩ長さに関連付けられることおよび／またはその間に使用されることができる。ＨＡＲＱバッファの１つまたは複数の部分は、ＴＴＩおよび／またはＴＴＩ長さに関連付けられることおよび／またはその間に使用されることができる。
【０３６３】
ＴＴＩまたはＴＴＩ長さの間にＨＡＲＱバッファをフラッシュすることは、下記のうちの少なくとも１つを含むことができる。
【０３６４】
ＴＴＩまたはＴＴＩ長さに関連付けられることおよび／またはその間に使用されることができるＨＡＲＱバッファ（たとえば、ＨＡＲＱバッファ全体）をフラッシュすること。
【０３６５】
ＴＴＩまたはＴＴＩ長さに少なくとも部分的に関連付けられることおよび／またはその間に使用されることができるＨＡＲＱバッファ（たとえば、ＨＡＲＱバッファ全体）をフラッシュすること。ならびに／または、
【０３６６】
ＴＴＩまたはＴＴＩ長さに関連付けられることおよび／またはその間に使用されることができるＨＡＲＱバッファの一部をフラッシュすること。
【０３６７】
条件は、ＴＴＩ、ＴＴＩ長さ、ＴＡＧ、チャネル、および／またはＭＡＣエンティティーのうちの少なくとも１つに関連付けられることができる（たとえば、それに関するものであることができる）。
【０３６８】
ＷＴＲＵは、たとえば、ＴＴＩまたはＴＴＩ長さの間に、たとえば、条件がかなえられているまたはかなえられることができる場合に（たとえば、条件がかなえられているまたはかなえられることができるとＷＴＲＵが決定した場合に）、下記のうちの少なくとも１つを行うことができる。
【０３６９】
少なくとも、条件がかなえられることができるＴＴＩまたはＴＴＩ長さの間に、少なくともいくつかのＵＬ送信、たとえば、いくつかの（たとえば、すべての）ＵＬ送信を実行しないこと。
【０３７０】
少なくともいくつかのＵＬ送信、たとえば、条件がかなえられることができる１つまたは複数のＵＬチャネルの送信を実行しないこと。
【０３７１】
たとえば、条件がかなえられることができるＴＴＩまたはＴＴＩ長さよりも短くてよいＴＴＩまたはＴＴＩ長さの間に少なくともいくつかのＵＬ送信を実行しないこと。
【０３７２】
たとえば、条件がかなえられることができないまたは当てはまることができない、ある（たとえば、別の）ＴＴＩまたはＴＴＩ長さの間に少なくともいくつかのＵＬ送信を実行すること。ならびに／または、
【０３７３】
たとえば、ｎＴＴＩであることができる、ある（たとえば、別の）ＴＴＩもしくはＴＴＩ長さ、および／または条件がかなえられることができるＴＴＩもしくはＴＴＩ長さよりも長くてよい別のＴＴＩの間に少なくともいくつかのＵＬ送信を実行すること。
【０３７４】
ＷＴＲＵは、ＴＡＧベースで（たとえば、ＴＡＧごとに、またはそれぞれのＴＡＧごとに別々に）条件がかなえられているまたはかなえられることができるかどうかについての決定を行うことができる。ＷＴＲＵは、条件がかなえられているまたはかなえられることができるＴＡＧ上での１つまたは複数のＵＬ送信を停止することができる。ＷＴＲＵは、条件がかなえられることができないまたは当てはまることができないＴＡＧ上での１つまたは複数の（たとえば、すべての）ＵＬ送信を停止しないことができる。
【０３７５】
ＵＬ送信は、現在の、来たる、または今後のＵＬ送信であることができる。たとえば、ＷＴＲＵは、ＴＴＩ長さ、たとえば、ｓＴＴＩの間に、たとえばＴＡＧに関して、ＵＬ送信が保留されることができるかどうかを決定することができる。ＵＬ送信は、たとえば、関連付けられているタイマーが期限切れにされているもしくは期限切れにされることができる場合に、または関連付けられている保留送信インジケータが設定されているもしくは設定されることができる場合に、保留されることができる。ＷＴＲＵは、ＴＴＩ（たとえば、来たるＵＬ  ｓＴＴＩ）内でまたはその間に決定を行うことができる。ＵＬ送信が保留されるとＷＴＲＵが決定した場合には、ＷＴＲＵは、そのｓＴＴＩの間にそのＴＡＧに関して、ＵＬ送信をスキップすることができる。
【０３７６】
別の例においては、ＷＴＲＵは、ＴＴＩまたはＴＴＩ長さのいくつかの（たとえば、すべての）ＵＬ送信を、そのＴＴＩまたはＴＴＩ長さに関連付けられているタイマーが停止されていない場合に（たとえば、そのタイマーが稼働していることができる場合に）実行することができる。
【０３７７】
図８は、本明細書において記述されている例のうちのいずれかと組み合わせて使用されることができる、別の例による送信保留方法８００の例である。図８における方法８００のそれぞれのステップは、別々に示され記述されているが、複数のステップが、示されているのとは異なる順序で、互いに並列に、または互いに同時に実行されることができる。図８の方法は、例示的な目的のためにＷＴＲＵによって実行されるが、それは、ｅＮＢ、ＡＰ、または基地局など、ワイヤレス通信システムにおいて動作する任意のノードによって実行されることもできる。図８の例においては、ＷＴＲＵは、８０１で、たとえば、ｓＴＴＩ構成であることができるＴＴＩ構成を受信することができる。その構成は、しきい値を含むこともできる。そのしきい値は、上の例に従って定義されることができる。ＷＴＲＵは、８０２でＴＴＩまたはｓＴＴＩ構成に関するＷＴＲＵのＰＣを決定することができ、それは、たとえば、ｍａｘ  ＴＡ、ｍａｘ  Ｒｘ−Ｔｘ時間差、または上の例において定義されているパラメータのうちのいずれかを含むことができる。ＷＴＲＵは、上の例に従ってＰＣをｅＮＢへ報告することもできる。ＰＣは、少なくとも１つの処理基準に基づくことができる。処理基準は、（たとえば、ＴＴＩ構成においてもしくはそれに従って）使用および／もしくは構成されることができるＴＴＩもしくはＴＴＩ長さ内のシンボルの数、（ＵＬおよび／もしくはＤＬにおける）ｓＴＴＩ長さ、ＰＤＳＣＨのＴＢＳ（その間に、ＨＡＲＱフィードバックがＵＬ  ｓＴＴＩにおいて送信されることができる）、ＨＡＲＱがＵＬ  ｓＴＴＩにおいて送信されることができるチャネルタイプ（ＰＵＳＣＨもしくはＰＵＣＣＨ）、ＰＤＣＣＨに関するＤＬ  ＴＴＩもしくはＤＬ  ｓＴＴＩと、ＰＵＣＣＨもしくはＰＵＳＣＨに関するＵＬ  ＴＴＩもしくはＵＬ  ｓＴＴＩとの間における時間、または上の例において定義されているその他の処理基準のうちのいずれかを含むことができるが、それらには限定されない。ＷＴＲＵは、８０３でＰＶを決定することができ、それは、たとえば、ＴＡもしくはＲｘ−Ｔｘ時間差、または上の例において定義されているパラメータのうちのいずれかを含むことができる。ＷＴＲＵは、次いで８０４で、ＰＶがＰＣよりも大きいかどうかを決定することができる。ＰＶがＰＣよりも大きい場合には、ＷＴＲＵは、８０５でＴＴＩまたはｓＴＴＩの間にＵＬ送信のうちの少なくともいくつかまたはすべてを保留することができる。たとえば、ＵＬ送信のこの保留は、ＰＶがＰＣよりも大きいＴＡＧに当てはまることができる。ＰＶがＰＣよりも大きい場合には、ＷＴＲＵは、レポートを送信するか、または、ＰＲＡＣＨ上でプリアンブルを送信することによってランダムアクセス手順を開始することができる。
【０３７８】
ＷＴＲＵは、ＴＴＩまたはｓＴＴＩ（たとえば、ＵＬ  ＴＴＩまたはｓＴＴＩ）の間に図８のプロセスを実行することができる。ＷＴＲＵは、ＴＴＩもしくはｓＴＴＩの間にＵＬ送信のうちの少なくともいくつかもしくはすべてを保留したこと（もしくは保留すると決定したこと）に続いて、またはＰＶがＰＣよりも大きくない場合に、８０６で（たとえば、プロセスを）終了することができ、または次のＴＴＩもしくはｓＴＴＩなどの別のＴＴＩもしくはｓＴＴＩの間に（たとえば、プロセスを）繰り返すことができる。繰り返す場合には、ＷＴＲＵは、たとえば、構成（たとえば、ＴＴＩ構成）が変更されていない場合には、たとえば、８０３から開始することができる。ＷＴＲＵは、新たな構成が受信されることができる場合には、８０１から開始することができる。
【０３７９】
図９は、本明細書において記述されている例のうちのいずれかと組み合わせて使用されることができる、別の例による送信保留方法９００の別の例である。図９における方法９００のそれぞれのステップは、別々に示され記述されているが、複数のステップが、示されているのとは異なる順序で、互いに並列に、または互いに同時に実行されることができる。図９の方法は、例示的な目的のためにＷＴＲＵによって実行されるが、それは、ｅＮＢ、ＡＰ、または基地局など、ワイヤレス通信システムにおいて動作する任意のノードによって実行されることもできる。
【０３８０】
図９の例においては、ＷＴＲＵは、９０１で、たとえば、ｓＴＴＩ構成であることができるＴＴＩ構成を受信することができる。その構成は、しきい値を含むこともできる。そのしきい値は、上の例に従って定義されることができる。ＷＴＲＵは、９０２でＴＴＩまたはｓＴＴＩ構成に関するＷＴＲＵのＰＣを決定することができ、それは、たとえば、ｍａｘ  ＴＡ、ｍａｘ  Ｒｘ−Ｔｘ時間差、または上の例において定義されているパラメータのうちのいずれかを含むことができる。ＰＣは、少なくとも１つの処理基準に基づくことができる。処理基準は、（ＵＬおよび／もしくはＤＬにおける）ｓＴＴＩ長さ、ＰＤＳＣＨのＴＢＳ（その間に、ＨＡＲＱフィードバックがＵＬ  ｓＴＴＩにおいて送信されることができる）、ＨＡＲＱがＵＬ  ｓＴＴＩにおいて送信されることができるチャネルタイプ（ＰＵＳＣＨもしくはＰＵＣＣＨ）、ＰＤＣＣＨに関するＤＬ  ＴＴＩもしくはＤＬ  ｓＴＴＩと、ＰＵＣＣＨもしくはＰＵＳＣＨに関するＵＬ  ＴＴＩもしくはＵＬ  ｓＴＴＩとの間における時間、または上の例において定義されているその他の処理基準のうちのいずれかを含むことができるが、それらには限定されない。ＷＴＲＵは、９０３でＰＶを決定することができ、それは、たとえば、ＴＡもしくはＲｘ−Ｔｘ時間差、または上の例において定義されているパラメータのうちのいずれかを含むことができる。ＷＴＲＵは、次いで９０４で、ＰＶがＰＣよりも大きいかどうかを決定することができる。ＰＶがＰＣよりも大きい場合には、ＷＴＲＵは、９０５でＴＴＩまたはｓＴＴＩの間にＵＬ送信のうちの少なくともいくつかまたはすべてを保留することができる。たとえば、ＵＬ送信のこの保留は、ＰＶがＰＣよりも大きいＴＡＧに当てはまることができる。ＷＴＲＵは、９０６でＴＴＩもしくはｓＴＴＩ  ＴＡＴを期限切れになったとみなすこと、および／またはＴＴＩもしくはｓＴＴＩ送信保留インジケータを設定することもできる。たとえば、このようにＴＴＩもしくはｓＴＴＩ  ＴＡＴを期限切れになったとみなすこと、および／またはＴＴＩもしくはｓＴＴＩ送信保留インジケータを設定することは、ＰＶがＰＣよりも大きいＴＡＧに当てはまることができる。ＷＴＲＵは、９０７でＴＴＩまたはｓＴＴＩの間に１つまたは複数のＴＡＴ期限切れまたは送信保留アクションを実行することもできる。たとえば、このようにＴＴＩまたはｓＴＴＩの間に１つまたは複数のＴＡＴ期限切れまたは送信保留アクションを実行することは、ＰＶがＰＣよりも大きいＴＡＧに当てはまることができる。ＷＴＲＵは、ＴＴＩまたはｓＴＴＩ（たとえば、ＵＬ  ＴＴＩまたはｓＴＴＩ）の間に図９のプロセスを実行することができる。ＷＴＲＵは、上述のステップに続いて、またはＰＶがＰＣよりも大きくない場合に、９０８で（たとえば、プロセスを）終了することができ、または次のＴＴＩもしくはｓＴＴＩなどの別のＴＴＩもしくはｓＴＴＩの間に（たとえば、プロセスを）繰り返すことができる。繰り返す場合には、ＷＴＲＵは、たとえば、構成（たとえば、ＴＴＩ構成）が変更されていない場合には、たとえば９０３から開始することができる。ＷＴＲＵは、新たな構成が受信されることができる場合には、９０１から開��することができる。
【０３８１】
図１０は、本明細書において記述されている例のうちのいずれかと組み合わせて使用されることができる、別の例による、保留条件がかなえられている場合の送信保留方法１０００の別の例である。図１０における方法１０００のそれぞれのステップは、別々に示され記述されているが、複数のステップが、示されているのとは異なる順序で、互いに並列に、または互いに同時に実行されることができる。図１０の方法は、例示的な目的のためにＷＴＲＵによって実行されるが、それは、ｅＮＢ、ＡＰ、または基地局など、ワイヤレス通信システムにおいて動作する任意のノードによって実行されることもできる。
【０３８２】
少なくとも１つのＵＬ送信（たとえば、すべてのＵＬ送信）が（たとえば、ＴＴＩの間に）保留されていること、ＴＡＴが（たとえば、ＴＴＩの間に）期限切れにされていること、および送信保留インジケータが（たとえば、ＴＴＩの間に）設定されていることのうちの少なくとも１つがＴＡＧに関して当てはまる場合に、保留条件が当てはまることができる。図１０の例を参照すると、ＷＴＲＵは、１００１でＴＴＩの間に保留条件が当てはまっているかどうかを決定することができる。ＴＴＩまたはｓＴＴＩの間に保留条件が当てはまっている場合には、ＷＴＲＵは、１００２でＴＴＩまたはｓＴＴＩの間にＵＬ送信のうちの少なくともいくつかまたはすべてを送信しないことができる。たとえば、送信をやめることは、保留条件が当てはまっているＴＡＧに当てはまることができる。ＴＴＩまたはｓＴＴＩの間に保留条件が当てはまっていない場合には、ＷＴＲＵは、１００３でＴＴＩまたはｓＴＴＩの間に送信が進むのを許可すること、ならびにＰＵＳＣＨ、ＰＵＣＣＨ、および／またはＳＲＳの送信を用意することができる。たとえば、送信が進むのを許可すること、および送信を用意することは、保留条件が当てはまっていないＴＡＧに当てはまることができる。ＷＴＲＵは、１００４でプロセスを終了すること、または別のＴＴＩもしくはｓＴＴＩ、たとえば、次のＴＴＩもしくはｓＴＴＩの間にプロセスを繰り返すことができる。
【０３８３】
別の実施形態においては、ＷＴＲＵは、第１のＴＴＩ（たとえば、ＴＴＩ長さ）が第２のＴＴＩ（たとえば、ＴＴＩ長さ）よりも優先されることができること、第１のＴＴＩ（たとえば、ＴＴＩ長さ）の送信が第２のＴＴＩ（たとえば、ＴＴＩ長さ）の送信よりも優先されることができること、第１のチャネル（たとえば、ＰＵＣＣＨ）タイプが第２のチャネルタイプ（たとえば、ＰＵＳＣＨ）よりも優先されることができること、第１のチャネルタイプ（たとえば、ＰＵＣＣＨ）の送信が第２のチャネルタイプ（たとえば、ＰＵＳＣＨ）の送信よりも優先されることができること、および／または第１の送信タイプ（たとえば、ＨＡＲＱフィードバックなどのＵＣＩ）が（たとえば、データの）第２の送信タイプよりも優先されることができることなど、たとえば、条件がかなえられることを回避するために、１つの送信を別の送信よりも優先することができる。
【０３８４】
たとえば、第１のＴＴＩ長さが、第２のＴＴＩ長さを上回る優先度を有することができる場合には、第１のＴＴＩ長さを伴う送信が送信されることができ、第２のＴＴＩ長さを伴う送信がやめられること（たとえば、実行されないこと）ができる。
【０３８５】
別の例においては、たとえば、第１のＴＴＩ長さを伴う送信、および／または第１のＴＴＩ長さを伴う送信に関する用意が、条件（たとえば、例外条件）がかなえられる（この場合、その条件は、第２のＴＴＩ長さの間にかなえられることができる）という結果につながることができる場合には、第１のＴＴＩ長さを伴う送信が送信されることができ、第２のＴＴＩ長さを伴う送信がやめられることができる。あるいは、たとえば、第２のＴＴＩ長さが、第１のＴＴＩ長さを上回る優先度を有することができる場合には、第２のＴＴＩ長さを伴う送信が送信されることができ、第１のＴＴＩ長さを伴う送信がやめられることができる。第１のＴＴＩ長さは、たとえば、ｎＴＴＩであることができ、第２のＴＴＩ長さは、ｓＴＴＩであることができ、またはその逆もまた同様である。
【０３８６】
別の例においては、ＷＴＲＵは、ＵＣＩ（たとえば、ＨＡＲＱフィードバック）およびデータを送信することができ、または送信するようにスケジュールされることができる。ＷＴＲＵは、ＰＵＳＣＨ（たとえば、同じＰＵＳＣＨ）上でＵＣＩおよびデータを送信することができ、または送信するようにスケジュールされることができる。ＰＵＳＣＨの処理が、条件（たとえば、例外条件）がかなえられるという結果につながることができる場合には、ＷＴＲＵは、データをやめること（たとえば、送信しないこと）ができ、および／またはＰＵＳＣＨを送信しないことができる。ＷＴＲＵは、ＰＵＣＣＨ上でＵＣＩを送信することができる。
【０３８７】
別の例においては、ＷＴＲＵは、ＷＴＲＵがＵＣＩ（たとえば、ＨＡＲＱフィードバック）を生成することができるＰＤＳＣＨを受信することができる。ＷＴＲＵは、ＰＵＣＣＨまたはＰＵＳＣＨ上でＵＣＩを送信することができる。ＷＴＲＵがＵＣＩおよび／またはＨＡＲＱフィードバックを送信することができる時間の前に、ＷＴＲＵは、ＰＵＳＣＨに関する割り当てまたはスケジューリンググラントを受信することができる。ＰＵＳＣＨは、たとえば、割り当てまたはグラントに従って、ＷＴＲＵがＵＣＩを送信することができる時間の前に、その時間と少なくとも部分的に重なって、またはその時間の後に送信されることができる。ＷＴＲＵは、たとえば、用意および／またはＰＵＳＣＨ送信が、条件（たとえば、例外条件）がかなえられるという結果につながる場合には、ＰＵＳＣＨ送信に関するＵＬデータを用意しないことができ、および／またはＰＵＳＣＨを送信しないことができる。条件は、ＵＣＩが送信されることができるＴＴＩの間に、またはＵＣＩ送信のＴＴＩ長さの間にかなえられることができる。ＷＴＲＵは、たとえば、ＵＣＩおよび／またはＨＡＲＱフィードバックが送信されることができる場合に（たとえば、データ用の）ＰＵＳＣＨ送信がないことができるときには、ＰＵＣＣＨ上でＵＣＩを送信することができる。
【０３８８】
ＷＴＲＵは、ＰＵＳＣＨがやめられることができるということ、および／または、たとえば、ＰＵＣＣＨ送信のＴＴＩの間に、条件（たとえば、例外条件）がかなえられることができるということを示すための表示を、たとえばＰＵＣＣＨ送信内に含めて提供することができる。
【０３８９】
１つまたは複数の処理能力が、セルにおいて適用可能であることができ、または適用可能でないことができる。たとえば、スモールセルにおいては、セルエッジＷＴＲＵのために短いＴＡが使用されることができる。スモールセルにおいては、いくつかの（たとえば、すべての）ＷＴＲＵによって最大ＴＡがサポート可能であることができる。
【０３９０】
ｅＮＢは、ＰＣ（たとえば、１つまたは複数のＰＣ）がセルにおいて当てはまるかどうかを示すための表示を提供することができる。その表示は、ＲＲＣシグナリングおよび／またはブロードキャストシグナリングなどのシグナリング内に含めて提供されることができる。その表示は、システム情報内に含めて（たとえば、ＳＩＢ内に含めて）提供されることができる。ｅＮＢは、その表示を少なくとも１つのＷＴＲＵに提供することができる。ｅＮＢは、表示、たとえば、ＰＣが当てはまることができるかどうかについての表示を伴ってＷＴＲＵを構成することができる。
【０３９１】
ＷＴＲＵは、たとえば、ｅＮＢによって提供および／または構成されることができる表示を受信することができる。ＷＴＲＵは、ＰＣが当てはまる場合には、ＰＶ、ＰＣ、プロキシミティー、および／またはプロキシミティー報告のうちの少なくとも１つを考慮、決定、およびまたは使用することができる。ＷＴＲＵは、ＰＣが当てはまる場合を決定するために（たとえば、ｅＮＢによって）提供および／または構成されることができる表示を使用することができる。
【０３９２】
上述されているように、サブフレームｎにおけるＴＡコマンドは、サブフレームｎ＋ｘにおいて適用されることができ、その場合には、たとえば、ｘは６であることができる。サブフレームに等しいＴＴＩ長さの間に、ＴＡコマンドは、サブフレームｎ＋ｘにおいて（たとえば、その始まりに）適用されることができる。
【０３９３】
１つのサブフレームよりも短い長さを伴うＴＴＩ内で受信されることができるＴＡコマンドに関しては、そのＴＡコマンドは、（たとえば、依然として）サブフレーム内で受信されるとみなされることができる。たとえば、サブフレームレートにおいて（たとえば、サブフレーム境界上で）ＴＡを適用して、混合されたＴＴＩ長さの使用を可能にして、ＴＡの適用にインパクトを及ぼさないようにすることが有益である場合がある。
【０３９４】
サブフレームｎ内のＴＴＩまたはＴＴＩ長さ（たとえば、任意のＴＴＩまたはＴＴＩ長さ）内で（たとえば、ＷＴＲＵによって）受信されることができるＴＡコマンドに関しては、そのＴＡコマンドは、サブフレームｎ＋ｙにおいて、たとえば、サブフレームｎ＋ｙの始まりにおいてまたはその始まりに適用されることができる。ｙの値は、ｘ（たとえば、６）であることができる。
【０３９５】
ｙの値は、構成および／もしくは使用されることができるＴＴＩ長さ（たとえば、ＤＬおよび／もしくはＵＬ  ＴＴＩ長さ）、ＰＣ、たとえば、セル内の最大ＴＡ値、ならびに／またはＤＬ  ＴＴＩとＵＬ  ＴＴＩとの間における距離（たとえば、時間差分）のうちの少なくとも１つの関数であることができる。
【０３９６】
ｙの値は、たとえば、ＴＴＩ長さまたはＴＴＩ長さのセットの間に、固定または構成されることができる。ｙの値は、ＴＡコマンドとともに示されることができる。
【０３９７】
たとえば、ｙは、タイムスロット（たとえば、０．５ｍｓ）などのタイムピリオド以下のＴＴＩ長さの間に、固定または構成された値（たとえば、３）であることができる。
【０３９８】
ＷＴＲＵは、たとえば、ｎ＋ｙ適用ルールに従って、サブフレームｚにおいて適用されることができる複数のＴＡコマンドを受信することができる。ＷＴＲＵは、同じサブフレームの間の複数のＴＡコマンドの受信をエラーであるとみなすことができる。ＷＴＲＵは、受信されたＴＡコマンドのうちの１つ、たとえば、最も早く受信されたＴＡコマンド、または最も遅く受信されたＴＡコマンドを適用することができる。ＷＴＲＵは、たとえば、ＷＴＲＵ実施態様に従って、受信されたＴＡコマンドのうちの１つを適用することができる。ＷＴＲＵは、受信されたＴＡコマンドの組合せ（たとえば、総計）を適用することができる。
【０３９９】
たとえば、サブフレームｎ＋ｙは、サブフレームｎよりも少なくともｋ個のＴＴＩだけ後の最初のサブフレームであることができる。別の例においては、サブフレームｎ＋ｙは、ＴＡコマンドが受信されるＴＴＩよりも少なくともｋ個のＴＴＩだけ後の最初のサブフレームであることができる。ｋの値は、構成および／もしくは使用されることができるＴＴＩ長さ（たとえば、ＤＬおよび／もしくはＵＬ  ＴＴＩ長さ）、ＰＣ、たとえば、セル内の最大ＴＡ値、ならびに／またはＤＬ  ＴＴＩとＵＬ  ＴＴＩとの間における距離のうちの少なくとも１つの関数であることができる。
【０４００】
特徴および要素が特定の組合せで上述されているが、それぞれの特徴または要素は、単独で、またはその他の特徴および要素との任意の組合せで使用されることが可能であるということを当技術分野における標準的な技術者なら理解するであろう。加えて、本明細書において記述されている方法は、コンピュータまたはプロセッサによって実行するためにコンピュータ可読メディア内に組み込まれているコンピュータプログラム、ソフトウェア、またはファームウェアで実施されることができる。コンピュータ可読メディアの例は、（有線接続またはワイヤレス接続を介して送信される）電子信号、およびコンピュータ可読ストレージメディアを含む。コンピュータ可読ストレージメディアの例は、読み取り専用メモリ（ＲＯＭ）、ランダムアクセスメモリ（ＲＡＭ）、レジスタ、キャッシュメモリ、半導体メモリデバイス、内蔵ハードディスクおよび取り外し可能ディスクなどの磁気メディア、光磁気メディア、ＣＤ−ＲＯＭディスクおよびデジタル多用途ディスク（ＤＶＤ）などの光メディアを含むが、それらには限定されない。ＷＴＲＵ、ＵＥ、端末、基地局、ＲＮＣ、または任意のホストコンピュータにおいて使用するための無線周波数トランシーバを実施するために、ソフトウェアに関連付けられているプロセッサが使用されることができる。
【図１Ａ】
2019527999.tif 000003
【図１Ｂ】
2019527999.tif 000004
【図１Ｃ】
2019527999.tif 000005
【図１Ｄ】
2019527999.tif 000006
【図２】
2019527999.tif 000007
【図３】
2019527999.tif 000008
【図４】
2019527999.tif 000009
【図５】
2019527999.tif 000010
【図６】
2019527999.tif 000011
【図７】
2019527999.tif 000012
【図８】
2019527999.tif 000013
【図９】
2019527999.tif 000014
【図１０】
2019527999.tif 000015
【手続補正書】
【提出日】平成31年4月8日(2019.4.8)
【手続補正１】
【補正対象書類名】特許請求の範囲
【補正対象項目名】全文
【補正方法】変更
【補正の内容】
【特許請求の範囲】
【請求項１】
処理能力（ＰＣ）を使用するためにワイヤレス送信／受信ユニット（ＷＴＲＵ）において使用するための方法であって、
送信タイムインターバル（ＴＴＩ）構成を受信するステップと、
前記ＷＴＲＵの前記ＰＣを決定するステップであって、前記ＰＣは、タイムラインおよび最大タイミングアドバンス（ＴＡ）値に関連付けられており、前記最大ＴＡ値は、前記タイムラインに関連付けられており、前記タイムラインは、スケジューリングタイムライン、最小タイムライン、フィードバックタイムライン、およびハイブリッド自動再送要求（ＨＡＲＱ）タイムラインのうちの少なくとも１つである、ステップと、
前記決定されたＰＣを含むＷＴＲＵ能力メッセージを送信するステップと、
前記受信されたＴＴＩ構成に基づいてＴＴＩ長さを決定するステップと、
前記決定されたＴＴＩ長さを使用してユーザデータを送信するステップと
を含む方法。
【請求項２】
前記タイムラインは、第１の時間と第２の時間との間における時間ユニットの数として表されるタイムライン関係を含み、時間ユニットは、シンボル、ＴＴＩ、時間サンプル、および時間サンプルのセットのうちの少なくとも１つである、請求項１に記載の方法。
【請求項３】
前記ＴＴＩ構成は、少なくともシンボルの数を含む、請求項１に記載の方法。
【請求項４】
前記ＴＴＩ構成は、少なくともタイムスロットの数を含む、請求項１に記載の方法。
【請求項５】
前記ＴＴＩ構成は、少なくともサブキャリアスペーシングを含む、請求項１に記載の方法。
【請求項６】
前記送信されるＷＴＲＵ能力メッセージは、ｅＮｏｄｅＢ（ｅＮＢ）へ送信される、請求項１に記載の方法。
【請求項７】
前記決定されたＰＣは、ＰＣのセットの一部として送信される、請求項１に記載の方法。
【請求項８】
処理能力（ＰＣ）を使用するように構成されているワイヤレス送信／受信ユニット（ＷＴＲＵ）であって、
送信タイムインターバル（ＴＴＩ）構成を受信するように構成されている受信機と、
前記ＷＴＲＵの前記ＰＣを決定するように構成されているプロセッサであって、前記ＰＣは、タイムラインおよび最大タイミングアドバンス（ＴＡ）値に関連付けられており、前記最大ＴＡ値は、前記タイムラインに関連付けられており、前記タイムラインは、スケジューリングタイムライン、最小タイムライン、フィードバックタイムライン、およびハイブリッド自動再送要求（ＨＡＲＱ）タイムラインのうちの少なくとも１つである、プロセッサと、
前記決定されたＰＣを含むＷＴＲＵ能力メッセージを送信するように構成されている送信機と
を含み、
前記プロセッサは、前記受信されたＴＴＩ構成に基づいてＴＴＩ長さを決定するように構成されており、
前記送信機は、前記決定されたＴＴＩ長さを使用してユーザデータを送信するように構成されている、ＷＴＲＵ。
【請求項９】
前記タイムラインは、第１の時間と第２の時間との間における時間ユニットの数として表されるタイムライン関係を含み、時間ユニットは、シンボル、ＴＴＩ、時間サンプル、および時間サンプルのセットのうちの少なくとも１つである、請求項８に記載のＷＴＲＵ。
【請求項１０】
前記ＴＴＩ構成は、少なくともシンボルの数を含む、請求項８に記載のＷＴＲＵ。
【請求項１１】
前記ＴＴＩ構成は、少なくともタイムスロットの数を含む、請求項８に記載のＷＴＲＵ。
【請求項１２】
前記ＴＴＩ構成は、少なくともサブキャリアスペーシングを含む、請求項８に記載のＷＴＲＵ。
【請求項１３】
前記送信されるＷＴＲＵ能力メッセージは、ｅＮｏｄｅＢ（ｅＮＢ）へ送信される、請求項８に記載のＷＴＲＵ。
【請求項１４】
前記決定されたＰＣは、ＰＣのセットの一部として送信される、請求項８に記載のＷＴＲＵ。
【請求項１５】
処理能力（ＰＣ）を使用するためにｅＮｏｄｅＢ（ｅＮＢ）において使用するための方法であって、
送信タイムインターバル（ＴＴＩ）構成を送信するステップと、
決定されたＰＣのレポートを受信するステップであって、前記ＰＣは、タイムラインおよび最大タイミングアドバンス（ＴＡ）値に関連付けられており、前記最大ＴＡ値は、前記タイムラインに関連付けられており、前記タイムラインは、スケジューリングタイムライン、最小タイムライン、フィードバックタイムライン、およびハイブリッド自動再送要求（ＨＡＲＱ）タイムラインのうちの少なくとも１つである、ステップと、
前記決定されたＰＣを含むワイヤレス送信／受信ユニット（ＷＴＲＵ）能力メッセージを受信するステップと、
前記送信されたＴＴＩ構成に基づいてＴＴＩ長さを決定するステップと、
前記決定されたＴＴＩ長さを使用してユーザデータを受信するステップと
を含む方法。
【請求項１６】
前記タイムラインは、第１の時間と第２の時間との間における時間ユニットの数として表されるタイムライン関係を含み、時間ユニットは、シンボル、ＴＴＩ、時間サンプル、および時間サンプルのセットのうちの少なくとも１つである、請求項１５に記載の方法。
【請求項１７】
前記ＴＴＩ構成は、少なくともシンボルの数を含む、請求項１５に記載の方法。
【請求項１８】
前記ＴＴＩ構成は、少なくともタイムスロットの数を含む、請求項１５に記載の方法。
【請求項１９】
前記ＴＴＩ構成は、少なくともサブキャリアスペーシングを含む、請求項１５に記載の方法。
【請求項２０】
前記受信されるＷＴＲＵ能力メッセージは、ＷＴＲＵから受信される、請求項１５に記載の方法。
【請求項２１】
前記決定されたＰＣは、ＰＣのセットの一部として受信される、請求項１５に記載の方法。
【国際調査報告】
2019527999.tif 000016
2019527999.tif 000017
2019527999.tif 000018